(57)【要約】  第一通信装置（１１０）は、データを複数の通信キャリアに分割して送信可能である。また、第一通信装置（１１０）は、送信する通信キャリア数が異なる複数の通信モードを有し、通信状態に応じて通信モードを切り替える。第二通信装置（１２０）は、第一通信装置（１１０）によって複数の通信キャリアに分割して送信されたデータを受信可能であり、受信する通信キャリア数が異なる複数の通信モードを有し、通信状態に応じて通信モードを切り替える。
2010146673.tif 000002
【特許請求の範囲】
【請求項１】
複数の通信キャリアに分割して送信されたデータを受信可能であり、受信する通信キャリア数が異なる複数の通信モードを有する受信部と、
前記受信部の通信状態の変化を示す情報を取得する取得部と、
前記取得部によって取得された情報に基づいて前記通信モードを切り替える切替部と、
を備えることを特徴とする通信装置。
【請求項２】
前記受信部は、受信する通信キャリアが複数の複数キャリアモードと、受信する通信キャリアが単一の単一キャリアモードと、を前記通信モードとして有し、
前記切替部は、前記複数キャリアモードと前記単一キャリアモードとを切り替えることを特徴とする請求項１に記載の通信装置。
【請求項３】
前記取得部は、自装置が信号を送信するタイミングを示す有効期限つきのタイミングコマンドを取得し、
前記切替部は、前記取得部によって取得されたタイミングコマンドの有効期限に基づいて前記通信モードを切り替えることを特徴とする請求項１に記載の通信装置。
【請求項４】
前記取得部は、自装置が信号を送信するタイミングを示す有効期限つきのタイミングコマンドを取得し、
前記切替部は、前記取得部によって取得されたタイミングコマンドの有効期限内では前記複数キャリアモードに切り替え、前記タイミングコマンドの有効期限外では前記単一キャリアモードに切り替えることを特徴とする請求項２に記載の通信装置。
【請求項５】
前記取得部は、自装置に対して間欠受信サイクルの設定を要求する設定信号と、自装置に対して間欠受信サイクルの設定解除を要求する解除信号と、を取得し、
前記切替部は、前記取得部によって取得された設定信号および解除信号に基づいて前記通信モードを切り替えることを特徴とする請求項１に記載の通信装置。
【請求項６】
前記取得部は、自装置に対して間欠受信サイクルの設定を要求する設定信号と、自装置に対して間欠受信サイクルの設定解除を要求する解除信号と、を取得し、
前記切替部は、前記取得部によって前記設定信号が取得されると前記複数キャリアモードに切り替え、前記取得部によって前記解除信号が取得されると前記単一キャリアモードに切り替えることを特徴とする請求項２に記載の通信装置。
【請求項７】
前記取得部は、自装置に対する通信リソースの割り当てを示す割当情報を取得し、
前記切替部は、前記取得部によって取得された割当情報に基づいて前記通信モードを切り替えることを特徴とする請求項１に記載の通信装置。
【請求項８】
前記取得部は、自装置に対する通信リソースの割り当てを示す割当情報を取得し、
前記切替部は、前記取得部によって前記割当情報が取得されると前記複数キャリアモードに切り替え、前記割当情報が取得されてから一定期間が経過すると前記単一キャリアモードに切り替えることを特徴とする請求項２に記載の通信装置。
【請求項９】
前記取得部は、自装置の間欠受信の休止期間を計時する間欠受信休止タイマの動作状態を示すタイマ情報を取得し、
前記切替部は、前記取得部によって取得されたタイマ情報に基づいて前記通信モードを切り替えることを特徴とする請求項１に記載の通信装置。
【請求項１０】
前記取得部は、自装置の間欠受信の休止期間を計時する間欠受信休止タイマの動作状態を示すタイマ情報を取得し、
前記切替部は、前記取得部によって取得されたタイマ情報に基づいて、前記間欠受信休止タイマによる前記休止期間の計時が開始されると前記複数キャリアモードに切り替え、前記計時が終了すると前記単一キャリアモードに切り替えることを特徴とする請求項２に記載の通信装置。
【請求項１１】
前記取得部は、自装置のコネクトモードとアイドルモードとの切替を示す切替情報を取得し、
前記切替部は、前記取得部によって取得された切替情報に基づいて前記通信モードを切り替えることを特徴とする請求項１に記載の通信装置。
【請求項１２】
前記取得部は、自装置のコネクトモードとアイドルモードとの切替を示す切替情報を取得し、
前記切替部は、前記取得部によって取得された切替情報に基づいて、自装置がコネクトモードのときは前記複数キャリアモードに切り替え、自装置がアイドルモードのときは前記単一キャリアモードに切り替えることを特徴とする請求項２に記載の通信装置。
【請求項１３】
前記受信部が通信するセルを移行するセルリセレクションを行う制御部と、
前記制御部によるセルリセレクションの後に前記単一キャリアモードで前記受信部が受信する通信キャリアを、前記制御部によるセルリセレクションの前に前記受信部が受信していた通信キャリアの周波数と同じ周波数の通信キャリアに決定する決定部と、
を備えることを特徴とする請求項２に記載の通信装置。
【請求項１４】
前記受信部の通信中にセルを移行するハンドオーバを行う制御部と、
前記制御部によるハンドオーバの後に前記単一キャリアモードで前記受信部が受信する通信キャリアを、前記制御部によるハンドオーバの前に前記受信部が受信していた通信キャリアの周波数と同じ周波数の通信キャリアに決定する決定部と、
を備えることを特徴とする請求項２に記載の通信装置。
【請求項１５】
前記受信部が通信するセルへの再接続を行う制御部と、
前記制御部による再接続の後に前記単一キャリアモードで前記受信部が受信する通信キャリアを、前記制御部による再接続の前に前記受信部が受信していた通信キャリアの周波数と同じ周波数の通信キャリアに決定する決定部と、
を備えることを特徴とする請求項２に記載の通信装置。
【請求項１６】
データを複数の通信キャリアに分割して送信可能であり、送信する通信キャリア数が異なる複数の通信モードを有する送信部と、
前記送信部の通信状態の変化を示す情報を取得する取得部と、
前記取得部によって取得された情報に基づいて前記通信モードを切り替える切替部と、
を備えることを特徴とする通信装置。
【請求項１７】
前記送信部は、送信する通信キャリアが複数の複数キャリアモードと、送信する通信キャリアが単一の単一キャリアモードと、を前記通信モードとして有し、
前記切替部は、前記複数キャリアモードと前記単一キャリアモードとを切り替えることを特徴とする請求項１６に記載の通信装置。
【請求項１８】
前記送信部は、通信先の通信装置がデータを送信するタイミングを示す有効期限つきのタイミングコマンドを前記通信先の通信装置へ送信し、
前記取得部は、前記送信部によって送信されたタイミングコマンドに対する前記通信先の通信装置からの送達確認信号を取得し、
前記切替部は、前記取得部によって取得された送達確認信号に基づいて前記通信モードを切り替えることを特徴とする請求項１６に記載の通信装置。
【請求項１９】
前記送信部は、通信先の通信装置がデータを送信するタイミングを示す有効期限つきのタイミングコマンドを前記通信先の通信装置へ送信し、
前記取得部は、前記送信部によって送信されたタイミングコマンドに対する前記通信先の通信装置からの送達確認信号を取得し、
前記切替部は、前記取得部によって送達確認信号が取得された場合に、前記有効期限内では前記複数キャリアモードに切り替え、前記有効期限外では前記単一キャリアモードに切り替えることを特徴とする請求項１７に記載の通信装置。
【請求項２０】
前記送信部は、通信先の通信装置に対して間欠受信サイクルの設定を要求する設定信号と、前記通信先の通信装置に対して間欠受信サイクルの設定解除を要求する解除信号と、を前記通信先の通信装置へ送信し、
前記取得部は、前記送信部によって送信された設定信号または解除信号に対する前記通信先の通信装置からの完了信号を取得し、
前記切替部は、前記取得部によって取得された完了信号に基づいて前記通信モードを切り替えることを特徴とする請求項１６に記載の通信装置。
【請求項２１】
前記送信部は、通信先の通信装置に対して間欠受信サイクルの設定を要求する設定信号と、前記通信先の通信装置に対して間欠受信サイクルの設定解除を要求する解除信号と、を前記通信先の通信装置へ送信し、
前記取得部は、前記送信部によって送信された設定信号または解除信号に対する前記通信先の通信装置からの完了信号を取得し、
前記切替部は、前記取得部によって前記設定信号に対する完了信号が取得されると前記複数キャリアモードに切り替え、前記取得部によって前記解除信号に対する完了信号が取得されると前記単一キャリアモードに切り替えることを特徴とする請求項１７に記載の通信装置。
【請求項２２】
前記送信部は、通信先の通信装置に対する通信リソースの割り当てを示す割当情報を前記通信先の通信装置へ送信し、
前記取得部は、前記送信部によって送信された割当情報に対する前記通信先の通信装置からの送達確認信号を取得し、
前記切替部は、前記取得部によって取得された送達確認信号に基づいて前記通信モードを切り替えることを特徴とする請求項１６に記載の通信装置。
【請求項２３】
前記送信部は、通信先の通信装置に対する通信リソースの割り当てを示す割当情報を前記通信先の通信装置へ送信し、
前記取得部は、前記送信部によって送信された割当情報に対する前記通信先の通信装置からの送達確認信号を取得し、
前記切替部は、前記取得部によって送達確認信号が取得されると前記複数キャリアモードに切り替え、前記取得部によって送達確認信号が取得されてから一定時間が経過すると前記単一キャリアモードに切り替えることを特徴とする請求項１７に記載の通信装置。
【請求項２４】
前記送信部は、通信先の通信装置によるデータの送信に対する通信リソースの割り当てを示す送信割当情報を前記通信先の通信装置へ送信し、
前記取得部は、前記送信部によって送信された送信割当情報に基づいて前記通信先の通信装置から送信されたデータを取得し、
前記切替部は、前記取得部によって取得されたデータに基づいて前記通信モードを切り替えることを特徴とする請求項１６に記載の通信装置。
【請求項２５】
前記送信部は、通信先の通信装置によるデータの送信に対する通信リソースの割り当てを示す送信割当情報を前記通信先の通信装置へ送信し、
前記取得部は、前記送信部によって送信された送信割当情報に基づいて前記通信先の通信装置から送信されたデータを取得し、
前記切替部は、前記取得部によってデータが取得されると前記複数キャリアモードに切り替え、前記取得部によってデータが取得されてから一定時間が経過すると前記単一キャリアモードに切り替えることを特徴とする請求項１７に記載の通信装置。
【請求項２６】
前記送信部は、通信先の通信装置のコネクトモードとアイドルモードとの切替を示す切替情報を前記通信先の通信装置へ送信し、
前記取得部は、前記送信部によって送信された切替情報に基づいて前記通信先の通信装置から送信された完了信号を取得し、
前記切替部は、前記取得部によって取得された完了信号に基づいて前記通信モードを切り替えることを特徴とする請求項１６に記載の通信装置。
【請求項２７】
前記送信部は、通信先の通信装置のコネクトモードとアイドルモードとの切替を示す切替情報を前記通信先の通信装置へ送信し、
前記取得部は、前記送信部によって送信された切替情報に基づいて前記通信先の通信装置から送信された完了信号を取得し、
前記切替部は、前記取得部によってコネクトモードへの切替を要求する切替情報が取得されると前記複数キャリアモードに切り替え、前記取得部によってアイドルモードへの切替を要求する切替情報が取得されると前記単一キャリアモードに切り替えることを特徴とする請求項１７に記載の通信装置。
【請求項２８】
データを複数の通信キャリアに分割して送信可能であり、送信する通信キャリア数が異なる複数の通信モードを有し、通信状態に応じて前記通信モードを切り替える第一通信装置と、
前記第一通信装置によって複数の通信キャリアに分割して送信されたデータを受信可能であり、受信する通信キャリア数が異なる複数の通信モードを有し、通信状態に応じて前記通信モードを切り替える第二通信装置と、
を含むことを特徴とする通信システム。
【請求項２９】
データを複数の通信キャリアに分割して送信可能であり、送信する通信キャリア数が異なる複数の通信モードを有し、通信状態に応じて前記通信モードを切り替える第一通信工程と、
前記第一通信工程によって複数の通信キャリアに分割して送信されたデータを受信可能であり、受信する通信キャリア数が異なる複数の通信モードを有し、通信状態に応じて前記通信モードを切り替える第二通信工程と、
を含むことを特徴とする通信方法。
【発明の詳細な説明】
【技術分野】
【０００１】
この発明は、通信を行う通信装置、通信システムおよび通信方法に関する。
【背景技術】
【０００２】
標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（Ｌｏｎｇ  Ｔｅｒｍ  Ｅｖｏｌｕｔｉｏｎ）−Ａｄｖａｎｃｅｄの仕様化が進められている。ＬＴＥ−Ａｄｖａｎｃｅｄでは、ＬＴＥのシステムキャリア（たとえば最大２０ＭＨｚ）をコンポーネントキャリアと定義し、コンポーネントキャリアを複数束ねることでより高いスループットを得ることが検討されている。【０００３】
また、どのような回線状態にあっても最適な通信速度での通信を保証することができる無線データ通信方法および装置を提供するために、マルチリンク方法により複数の回線を用いて無線データ通信を行う無線データ通信装置であって、回線状態を監視して得られた監視情報によりデータパスを切り替えて回線選択を行う安定化部を有する無線データ通信方法が開示されている（たとえば、下記特許文献１参照。）。【０００４】
また、基地局装置と交換局とを接続する有線回線が、前記複数の端末がチャネルを共通に使用することができる共用チャネルと、１つの端末のみが使用できる専用チャネルとからなり、端末から転送されるデータの量が所定値以上である場合に、前記端末に専用チャネルを割り当て、該専用チャネルを用いたデータ転送に際して、前記端末から転送されるデータが、転送データ量過多により待たされ、該待ち合わせデータの量が予め定められた遅延データ量発生値以上である場合、前記端末に新たに別の専用チャネルを割り当て、待ち合わせデータの量が、予め定められた遅延データ量復旧値以下になるまで、前記専用チャネルと前記追加専用チャネルとを用いてデータを転送するパケット転送方法が開示されている（たとえば、下記特許文献２参照。）。
【先行技術文献】
【特許文献】
【０００５】
【特許文献１】特開２０００−１７４７７０号公報
【特許文献２】特開２００１−０２４７０６号公報
【発明の概要】
【発明が解決しようとする課題】
【０００６】
しかしながら、上述した従来技術では、物理リソースを効率よく使用することができないという問題がある。たとえば、伝送するデータが無い場合、または伝送するデータが少ない場合にも複数のコンポーネントキャリアを送受信すると消費電力の無駄が生ずる。【０００７】
特に、受信側の通信装置においては、伝送するデータが無い場合、または伝送するデータが少ない場合にも、データが格納されているか否かを確認するために複数のコンポーネントキャリアを受信するため、消費電力の無駄が大きい。また、ＬＴＥ−Ａｄｖａｎｃｅｄに規定されたコンポーネントキャリアに限らず、データを複数の通信キャリアに分割して伝送する通信方式全般においても同様の問題がある。【０００８】
本発明の一側面では、物理リソースを効率よく使用することを目的とする。
【課題を解決するための手段】
【０００９】
第１の案では、複数の通信キャリアに分割して送信されたデータを受信可能であり、受信する通信キャリア数が異なる複数の通信モードを有する受信部と、前記受信部の通信状態の変化を示す情報を取得する取得部と、前記取得部によって取得された情報に基づいて前記通信モードを切り替える切替部と、を備える通信装置を用いることとする。
【発明の効果】
【００１０】
本発明によれば、物理リソースを効率よく使用することができるという効果を奏する。
【図面の簡単な説明】
【００１１】
【図１】実施の形態１にかかる通信システムの構成を示すブロック図である。
【図２】通信システムにおいて使用される通信キャリアを示す図である。
【図３】実施の形態２にかかる端末装置の構成を示すブロック図である。
【図４】実施の形態２にかかる基地局装置の構成を示すブロック図である。
【図５】実施の形態２にかかる端末装置の動作の一例を示すフローチャートである。
【図６】実施の形態２にかかる基地局装置の動作の一例を示すフローチャートである。
【図７】実施の形態２にかかる通信システムの動作の一例を示すシーケンス図である。
【図８】実施の形態３にかかる端末装置の構成を示すブロック図である。
【図９】実施の形態３にかかる基地局装置の構成を示すブロック図である。
【図１０】実施の形態３にかかる端末装置の動作の一例を示すフローチャートである。
【図１１】実施の形態３にかかる基地局装置の動作の一例を示すフローチャートである。
【図１２】実施の形態４にかかる端末装置の構成を示すブロック図である。
【図１３】実施の形態４にかかる基地局装置の構成を示すブロック図である。
【図１４】実施の形態４にかかる端末装置の動作の一例を示すフローチャートである。
【図１５】実施の形態４にかかる基地局装置の動作の一例を示すフローチャートである。
【図１６】実施の形態４にかかる通信システムの動作の一例を示すシーケンス図である。
【図１７】実施の形態５にかかる端末装置の構成を示すブロック図である。
【図１８】実施の形態５にかかる端末装置の動作の一例を示すフローチャートである。
【図１９】実施の形態５にかかる基地局装置の動作の一例を示すフローチャートである。
【図２０】実施の形態６にかかる端末装置の構成を示すブロック図である。
【図２１】実施の形態６にかかる基地局装置の構成を示すブロック図である。
【図２２】実施の形態６にかかる端末装置の動作の一例を示すフローチャートである。
【図２３】実施の形態６にかかる基地局装置の動作の一例を示すフローチャートである。
【図２４】実施の形態７にかかる端末装置の構成を示すブロック図である。
【図２５】実施の形態７にかかる端末装置の動作の一例を示すフローチャートである。
【図２６】実施の形態７にかかる端末装置の動作の具体例を示す図である。
【図２７】実施の形態７にかかる端末装置の変形例１を示すブロック図である。
【図２８】実施の形態７にかかる端末装置の変形例２を示すブロック図である。
【発明を実施するための形態】
【００１２】
以下に添付図面を参照して、この通信装置、通信システムおよび通信方法の好適な実施の形態を詳細に説明する。
【００１３】
（実施の形態１）
（実施の形態１にかかる通信システムの構成）
図１は、実施の形態１にかかる通信システムの構成を示すブロック図である。図１に示すように、実施の形態１にかかる通信システム１００は、第一通信装置１１０と、第二通信装置１２０と、を含んでいる。ここでは、第一通信装置１１０および第二通信装置１２０において、第一通信装置１１０から第二通信装置１２０へデータを送信するための構成について説明する。ただし、第一通信装置１１０および第二通信装置１２０は、第二通信装置１２０から第一通信装置１１０へデータを送信するための構成を備えていてもよい。
【００１４】
第一通信装置１１０は、送信部１１１と、取得部１１２と、切替部１１３と、を備えている。送信部１１１は、データを複数の通信キャリアに分割して送信可能であり、送信する通信キャリア数が異なる複数の通信モードを有する。たとえば、送信部１１１は、複数キャリアモードおよび単一キャリアモードを通信モードとして有する。
【００１５】
複数キャリアモードは、送信する通信キャリアが複数の通信モードである。送信部１１１は、複数キャリアモードのときは、データを複数の通信キャリアに分割して送信する。単一キャリアモードは、送信する通信キャリアが単一の通信モードである。送信部１１１は、単一キャリアモードのときは、データを単一のキャリアにより送信する。
【００１６】
取得部１１２は、送信部１１１の通信状態の変化を示す情報を取得する。送信部１１１の通信状態の変化とは、たとえば、送信部１１１が送信するデータの量の変化である。または、送信部１１１の通信状態の変化は、送信部１１１が送信するデータの有無の変化であってもよい。取得部１１２は、取得した情報を切替部１１３へ出力する。
【００１７】
切替部１１３は、取得部１１２によって取得された情報に基づいて送信部１１１の通信モードを切り替える。たとえば、切替部１１３は、送信部１１１が送信するデータの量が所定量より大きくなる旨の情報が取得部１１２から出力されると、送信部１１１の通信モードを複数キャリアモードに切り替える。また、切替部１１３は、送信部１１１が送信するデータの量が所定量以下になる旨の情報が取得部１１２から出力されると、送信部１１１の通信モードを単一キャリアモードに切り替える。
【００１８】
または、切替部１１３は、送信部１１１が送信するデータが有る旨の情報が取得部１１２から出力されると、送信部１１１の通信モードを複数キャリアモードに切り替えるようにしてもよい。また、切替部１１３は、送信部１１１が送信するデータが無い旨の情報が取得部１１２から出力されると、送信部１１１の通信モードを単一キャリアモードに切り替えるようにしてもよい。
【００１９】
第二通信装置１２０は、受信部１２１と、取得部１２２と、切替部１２３と、を備えている。受信部１２１は、複数の通信キャリアに分割して送信されたデータを受信可能であり、受信する通信キャリア数が異なる複数の通信モードを有する。たとえば、受信部１２１は、複数キャリアモードおよび単一キャリアモードを通信モードとして有する。
【００２０】
複数キャリアモードは、受信する通信キャリアが複数の通信モードである。受信部１２１は、複数キャリアモードのときは、複数の通信キャリアに分割して送信されたデータを受信する。単一キャリアモードは、受信する通信キャリアが単一の通信モードである。受信部１２１は、単一キャリアモードのときは、単一の通信キャリアにより送信されたデータを受信する。
【００２１】
取得部１２２は、受信部１２１の通信状態の変化を示す情報を取得する。受信部１２１の通信状態の変化とは、たとえば、受信部１２１が受信するデータの量の変化である。または、受信部１２１の通信状態の変化は、受信部１２１が受信するデータの有無の変化であってもよい。取得部１２２は、取得した情報を切替部１２３へ出力する。
【００２２】
切替部１２３は、取得部１２２によって取得された情報に基づいて受信部１２１の通信モードを切り替える。たとえば、切替部１２３は、受信部１２１が受信するデータの量が所定量より大きくなる旨の情報が取得部１２２から出力されると、受信部１２１の通信モードを複数キャリアモードに切り替える。また、切替部１２３は、受信部１２１が受信するデータの量が所定量以下になる旨の情報が取得部１２２から出力されると、受信部１２１の通信モードを単一キャリアモードに切り替える。
【００２３】
または、切替部１２３は、受信部１２１が受信するデータが有る旨の情報が取得部１２２から出力されると、受信部１２１の通信モードを複数キャリアモードに切り替えるようにしてもよい。この場合は、切替部１２３は、受信部１２１が受信するデータが無い旨の情報が取得部１２２から出力されると、受信部１２１の通信モードを単一キャリアモードに切り替える。
【００２４】
（各通信装置のハードウェア構成）
第一通信装置１１０の送信部１１１は、たとえば、アンテナや通信制御回路などの無線通信インターフェースにより実現される。第一通信装置１１０の取得部１１２は、たとえば、ＤＳＰ（Ｄｉｇｉｔａｌ  Ｓｉｇｎａｌ  Ｐｒｏｃｅｓｓｏｒ）などの情報処理手段により実現される。取得部１１２は、取得した情報を第一通信装置１１０のメモリに記憶する。第一通信装置１１０の切替部１１３は、たとえば、ＤＳＰなどの情報処理手段により実現される。切替部１１３は、取得部１１２によりメモリに記憶された情報を読み出し、読み出した情報に基づいて通信モードを切り替える。
【００２５】
第二通信装置１２０の受信部１２１は、たとえば、アンテナや通信制御回路などの無線通信インターフェースにより実現される。第二通信装置１２０の取得部１２２は、たとえば、ＤＳＰなどの情報処理手段により実現される。取得部１２２は、取得した情報を第二通信装置１２０のメモリに記憶する。第二通信装置１２０の切替部１２３は、たとえば、ＤＳＰなどの情報処理手段により実現される。切替部１２３は、取得部１２２によりメモリに記憶された情報を読み出し、読み出した情報に基づいて通信モードを切り替える。
【００２６】
（通信システムにおいて使用される通信キャリア）
図２は、通信システムにおいて使用される通信キャリアを示す図である。図２において、横軸は周波数を示している。通信キャリア２０１〜２０３のそれぞれは、周波数によって分割されたシステムキャリアを示している。第一通信装置１１０の送信部１１１は、複数キャリアモードのときは、たとえばデータを通信キャリア２０１〜２０３のそれぞれに分割して送信する。また、第一通信装置１１０の送信部１１１は、単一キャリアモードのときは、たとえばデータを通信キャリア２０１によって送信する。
【００２７】
第二通信装置１２０の受信部１２１は、複数キャリアモードのときは、たとえば通信キャリア２０１〜２０３に分割して送信されたデータを受信する。また、第一通信装置１１０の送信部１１１は、単一キャリアモードのときは、たとえば通信キャリア２０１によって送信されたデータを受信する。
【００２８】
このように、実施の形態１にかかる通信システム１００は、通信状態に応じて、コンポーネントキャリア数が異なる複数の通信モードを切り替える。これにより、伝送するデータ量が多い場合は、コンポーネントキャリア数が多い通信モード（たとえば複数キャリアモード）に切り替えることで高いスループットによる通信を行うことができる。
【００２９】
また、伝送するデータが無い場合、または少ない場合は、コンポーネントキャリア数が少ない通信モード（たとえば単一キャリアモード）に切り替えることで第一通信装置１１０および第二通信装置１２０の消費電力を抑えることができる。このように、通信システム１００によれば、通信リソースを効率よく使用することができる。
【００３０】
（実施の形態２）
（実施の形態２にかかる端末装置の構成）
図３は、実施の形態２にかかる端末装置の構成を示すブロック図である。図３に示すように、実施の形態２にかかる端末装置３００は、アンテナ３０１と、ＲＦ処理部３０２と、復調部３０３と、復号部３０４と、論理チャネル解析部３０５と、送信タイミング制御部３０６と、キャリア数切替部３０７と、Ａｃｋ／Ｎａｃｋ生成部３０８と、符号化部３０９と、変調部３１０と、を備えている。
【００３１】
端末装置３００は、たとえば図１に示した第二通信装置１２０に対応する構成である。また、端末装置３００は、たとえばＬＴＥ−Ａｄｖａｎｃｅｄに対応する端末装置である。端末装置３００は、複数のコンポーネントキャリア（通信キャリア）に分割して送信されたデータを受信可能であり、受信する通信キャリア数が異なる複数の通信モードを有する。たとえば、端末装置３００は、受信する通信キャリアが複数の複数キャリアモードと、受信する通信キャリアが単一の単一キャリアモードと、を通信モードとして有する。
【００３２】
アンテナ３０１、ＲＦ処理部３０２、復調部３０３および復号部３０４は、たとえば図１に示した受信部１２１に対応する構成である。論理チャネル解析部３０５は、たとえば図１に示した取得部１２２に対応する構成である。キャリア数切替部３０７は、たとえば図１に示した切替部１２３に対応する構成である。
【００３３】
アンテナ３０１は、基地局装置（たとえば図４の基地局装置４００）との間で無線通信を行うためのアンテナである。具体的には、アンテナ３０１は、基地局装置から送信された信号を受信してＲＦ処理部３０２へ出力する。また、アンテナ３０１は、ＲＦ処理部３０２から出力された送達確認信号（ＡｃｋまたはＮａｃｋ）を基地局装置へ送信する。
【００３４】
ＲＦ処理部３０２は、アンテナ３０１から出力された信号の周波数を高周波（ＲＦ：Ｒａｄｉｏ  Ｆｒｅｑｕｅｎｃｙ）からベースバンドに変換し、周波数を変換した信号を復調部３０３へ出力する。また、ＲＦ処理部３０２は、変調部３１０から出力された送達確認信号の周波数をベースバンドから高周波に変換し、周波数を変換した送達確認信号をアンテナ３０１へ出力する。
【００３５】
復調部３０３は、ＲＦ処理部３０２から出力された信号を復調し、復調した信号を復号部３０４へ出力する。復号部３０４は、復調部３０３から出力された信号を復号し、復号により得られたデータを論理チャネル解析部３０５へ出力する。たとえば、復号部３０４は、信号の誤り訂正復号（ＦＥＣ：Ｆｏｒｗａｒｄ  Ｅｒｒｏｒ  Ｃｏｒｒｅｃｔｉｏｎ）を行い、誤り訂正復号の結果をＡｃｋ／Ｎａｃｋ生成部３０８へ通知する。
【００３６】
論理チャネル解析部３０５は、復号部３０４から出力されたデータの論理チャネル解析を行う。たとえば、論理チャネル解析部３０５は、データに含まれるバイナリデータを取得して、取得したバイナリデータを後段へ出力する。バイナリデータは、たとえば基地局装置から送信されたユーザデータである。また、論理チャネル解析部３０５は、データに含まれるタイミングコマンドを、通信状態の変化を示す情報として取得する。
【００３７】
具体的には、論理チャネル解析部３０５は、データの論理チャネルＩＤが格納された領域からタイミングコマンドを示すＩＤを検出し、検出したＩＤに対応する領域からタイミングコマンドを取得する。タイミングコマンドは、端末装置３００が基地局装置へデータを送信するタイミングを示すコマンドである。
【００３８】
たとえば、タイミングコマンドは、前回の端末装置３００の送信タイミングからの差分によって示される。また、タイミングコマンドには有効期限が設けられている。有効期限の長さは、たとえば、端末装置３００が基地局装置へ最初に接続したときに基地局装置によって設定される。論理チャネル解析部３０５は、取得したタイミングコマンドを送信タイミング制御部３０６へ出力する。
【００３９】
送信タイミング制御部３０６は、論理チャネル解析部３０５から出力されたタイミングコマンドに基づいて端末装置３００によるデータ（ユーザデータ）の送信タイミングを制御する。ただし、図３においては、端末装置３００からデータを送信する構成については図示を省略している。また、送信タイミング制御部３０６は、タイミングコマンドが取得された旨をキャリア数切替部３０７へ通知する。
【００４０】
キャリア数切替部３０７は、タイミングコマンドの有効期限を計時する同期タイマの機能を備えている。キャリア数切替部３０７は、タイミングコマンドが取得された旨が送信タイミング制御部３０６から通知されると、同期タイマによる有効期限の計時を開始させる。そして、キャリア数切替部３０７は、同期タイマによって計時されるタイミングコマンドの有効期限に基づいて端末装置３００の通信モードを切り替える。
【００４１】
具体的には、キャリア数切替部３０７は、タイミングコマンドの有効期限内においては通信モードを複数キャリアモードに設定する。また、キャリア数切替部３０７は、タイミングコマンドの有効期限外においては通信モードを単一キャリアモードに設定する。
【００４２】
たとえば、キャリア数切替部３０７は、複数のコンポートキャリアによる受信動作を行う設定をＲＦ処理部３０２および復調部３０３に対して行うことで通信モードを複数キャリアモードに設定する。また、キャリア数切替部３０７は、単一のコンポートキャリアによる受信動作を行う設定をＲＦ処理部３０２および復調部３０３に対して行うことで通信モードを単一キャリアモードに設定する。
【００４３】
Ａｃｋ／Ｎａｃｋ生成部３０８は、復号部３０４から通知された誤り訂正復号の結果に基づいて送達確認信号を生成する。たとえば、Ａｃｋ／Ｎａｃｋ生成部３０８は、復号部３０４から誤りがなかった旨または誤り訂正に成功した旨が通知されるとＡｃｋを生成し、誤り訂正に失敗した旨が通知されるとＮａｃｋを生成する。Ａｃｋ／Ｎａｃｋ生成部３０８は、生成した送達確認信号を符号化部３０９へ出力する。
【００４４】
符号化部３０９は、Ａｃｋ／Ｎａｃｋ生成部３０８から出力された送達確認信号を符号化する。符号化部３０９は、符号化した送達確認信号を変調部３１０へ出力する。変調部３１０は、符号化部３０９から出力された送達確認信号を変調する。変調部３１０は、変調した送達確認信号をＲＦ処理部３０２へ出力する。
【００４５】
（実施の形態２にかかる基地局装置の構成）
図４は、実施の形態２にかかる基地局装置の構成を示すブロック図である。図４に示すように、実施の形態２にかかる基地局装置４００は、スケジューラ部４０１と、送信タイミング制御部４０２と、バイナリデータバッファ部４０３と、符号化部４０４と、変調部４０５と、ＲＦ処理部４０６と、アンテナ４０７と、復調部４０８と、Ａｃｋ／Ｎａｃｋ判定部４０９と、キャリア数切替部４１０と、を備えている。
【００４６】
基地局装置４００は、たとえば図１に示した第一通信装置１１０に対応する構成である。また、基地局装置４００は、たとえばＬＴＥ−Ａｄｖａｎｃｅｄに対応する基地局装置である。基地局装置４００は、データを複数のコンポーネントキャリア（通信キャリア）に分割して送信可能であり、送信する通信キャリア数が異なる複数の通信モードを有する。たとえば、基地局装置４００は、送信する通信キャリアが複数の複数キャリアモードと、送信する通信キャリアが単一の単一キャリアモードと、を通信モードとして有する。
【００４７】
スケジューラ部４０１、送信タイミング制御部４０２、符号化部４０４、変調部４０５、ＲＦ処理部４０６およびアンテナ４０７は、たとえば図１に示した送信部１１１に対応する構成である。復調部４０８およびＡｃｋ／Ｎａｃｋ判定部４０９は、たとえば図１に示した取得部１１２に対応する構成である。キャリア数切替部４１０は、たとえば図１に示した切替部１１３に対応する構成である。
【００４８】
スケジューラ部４０１は、端末装置３００と基地局装置４００との間における通信のスケジューリングを行う。たとえば、スケジューラ部４０１は、基地局装置４００から各端末装置へ送信するデータのビット数などを決定する。また、スケジューラ部４０１は、キャリア数切替部４１０によって設定される基地局装置４００の通信モードに基づいて、各通信において使用するコンポーネントキャリアを決定する。
【００４９】
たとえば、スケジューラ部４０１は、キャリア数切替部４１０によって複数キャリアモードに設定されているときは、複数のコンポートキャリアを使用してデータを送信するようにスケジューリングを行う。また、スケジューラ部４０１は、キャリア数切替部４１０によって単一キャリアモードに設定されているときは、単一のコンポートキャリアを使用してデータを送信するようにスケジューリングを行う。
【００５０】
スケジューラ部４０１は、スケジューリングの結果を送信タイミング制御部４０２および変調部４０５へ通知する。また、スケジューラ部４０１は、スケジューリングの結果に基づいてバイナリデータバッファ部４０３へデータの出力指示を出力する。バイナリデータバッファ部４０３には、端末装置３００へ送信するためのデータ（バイナリデータ）が格納される。バイナリデータバッファ部４０３は、スケジューラ部４０１から出力指示が出力されると、格納されたデータを符号化部４０４へ出力する。
【００５１】
送信タイミング制御部４０２は、スケジューラ部４０１から通知されたスケジューリングの結果に基づいて、基地局装置４００から送信するデータに対する送達確認信号を端末装置３００が送信するタイミングを示すタイミングコマンドを生成する。送信タイミング制御部４０２は、生成したタイミングコマンドを符号化部４０４へ出力する。
【００５２】
符号化部４０４は、送信タイミング制御部４０２から出力されたタイミングコマンドを、バイナリデータバッファ部４０３から出力されたデータに格納する。そして、符号化部４０４は、タイミングコマンドを格納したデータを符号化し、符号化したデータを変調部４０５へ出力する。変調部４０５は、符号化部４０４から出力されたデータを変調し、変調により得られた信号をＲＦ処理部４０６へ出力する。
【００５３】
また、変調部４０５は、スケジューラ部４０１から通知されるスケジューリングの結果が示すコンポーネントキャリアに対応する通信リソース（物理リソース）によってデータを変調する。たとえば、変調部４０５は、複数のコンポーネントキャリアに分割してデータを送信する旨が通知された場合は、複数のコンポーネントキャリアに対応する各通信リソースによってデータの変調を行う。また、変調部４０５は、単一のコンポーネントキャリアによりデータを送信する旨が通知された場合は、単一のコンポーネントキャリアに対応する通信リソースによってデータの変調を行う。
【００５４】
ＲＦ処理部４０６は、変調部４０５から出力された信号の周波数をベースバンドから高周波に変換し、周波数を変換した信号をアンテナ４０７へ出力する。また、ＲＦ処理部４０６は、アンテナ４０７から出力された送達確認信号の周波数を高周波からベースバンドに変換し、周波数を変換した送達確認信号を復調部４０８へ出力する。
【００５５】
アンテナ４０７は、端末装置３００との間で無線通信を行うためのアンテナである。具体的には、アンテナ４０７は、端末装置３００から送信された送達確認信号を受信してＲＦ処理部４０６へ出力する。また、アンテナ４０７は、ＲＦ処理部４０６から出力された信号を端末装置３００へ送信する。
【００５６】
復調部４０８は、ＲＦ処理部４０６から出力された送達確認信号を復調し、復調した送達確認信号をＡｃｋ／Ｎａｃｋ判定部４０９へ出力する。Ａｃｋ／Ｎａｃｋ判定部４０９は、復調部４０８から出力された送達確認信号を判定する。たとえば、Ａｃｋ／Ｎａｃｋ判定部４０９は、送達確認信号がいずれの信号に対するものであるかの判定や、送達確認信号がＡｃｋおよびＮａｃｋのいずれであるかの判定を行う。Ａｃｋ／Ｎａｃｋ判定部４０９は、判定結果をキャリア数切替部４１０へ通知する。
【００５７】
キャリア数切替部４１０は、Ａｃｋ／Ｎａｃｋ判定部４０９から通知される判定結果に基づいて基地局装置４００の通信モードを切り替える。具体的には、キャリア数切替部４１０は、タイミングコマンドに対するＡｃｋを受信した旨の判定結果がＡｃｋ／Ｎａｃｋ判定部４０９から通知されると、通信モードを複数キャリアモードに切り替える。
【００５８】
また、キャリア数切替部４１０は、基地局装置４００から端末装置３００へ送信されたタイミングコマンドの有効期限を計時する同期タイマの機能を備えている。キャリア数切替部４１０は、同期タイマに基づいて、タイミングコマンドの有効期限外になると、通信モードを単一キャリアモードに切り替える。
【００５９】
具体的には、キャリア数切替部４１０は、複数のコンポートキャリアによるスケジューリングを行う設定をスケジューラ部４０１に対して行うことで、基地局装置４００の通信モードを複数キャリアモードに設定する。また、キャリア数切替部４１０は、単一のコンポートキャリアによるスケジューリングを行う設定をスケジューラ部４０１に対して行うことで、基地局装置４００の通信モードを単一キャリアモードに設定する。
【００６０】
（実施の形態２にかかる端末装置の動作）
図５は、実施の形態２にかかる端末装置の動作の一例を示すフローチャートである。端末装置３００（図３参照）は、たとえば以下のような動作を行う。図５に示すように、まず、キャリア数切替部３０７が、基地局装置４００からのタイミングコマンドを受信したか否かを判断する（ステップＳ５０１）。タイミングコマンドを受信していない場合（ステップＳ５０１：Ｎｏ）は、ステップＳ５０４へ移行する。
【００６１】
ステップＳ５０１においてタイミングコマンドを受信した場合（ステップＳ５０１：Ｙｅｓ）は、キャリア数切替部３０７が、タイミングコマンドの有効期限を計時する同期タイマの動作を開始させる（ステップＳ５０２）。つぎに、キャリア数切替部３０７が、端末装置３００の通信モードを複数キャリアモードに切り替える（ステップＳ５０３）。つぎに、キャリア数切替部３０７が、ステップＳ５０２によって動作を開始された同期タイマの期限が切れたか否かを判断する（ステップＳ５０４）。
【００６２】
ステップＳ５０４において、同期タイマの期限が切れていない場合（ステップＳ５０４：Ｎｏ）は、ステップＳ５０１へ戻って処理を続行する。同期タイマの期限が切れた場合（ステップＳ５０４：Ｙｅｓ）は、キャリア数切替部３０７が、端末装置３００の通信モードを単一キャリアモードに切り替え（ステップＳ５０５）、ステップＳ５０１へ戻って処理を続行する。以上の動作を行うことで、端末装置３００は、取得されたタイミングコマンドの有効期限に基づいて通信モードを切り替えることができる。
【００６３】
（実施の形態２にかかる基地局装置の動作）
図６は、実施の形態２にかかる基地局装置の動作の一例を示すフローチャートである。基地局装置４００（図４参照）は、たとえば以下のような動作を行う。図６に示すように、まず、Ａｃｋ／Ｎａｃｋ判定部４０９が、端末装置３００へ送信したタイミングコマンドに対するＡｃｋを受信したか否かを判断する（ステップＳ６０１）。Ａｃｋを受信していない場合（ステップＳ６０１：Ｎｏ）は、ステップＳ６０４へ移行する。
【００６４】
ステップＳ６０１において、タイミングコマンドに対するＡｃｋを受信した場合（ステップＳ６０１：Ｙｅｓ）は、キャリア数切替部４１０が、タイミングコマンドの有効期限を計時する同期タイマの動作を開始させる（ステップＳ６０２）。つぎに、キャリア数切替部４１０が、通信モードを複数キャリアモードに切り替える（ステップＳ６０３）。つぎに、キャリア数切替部４１０が、ステップＳ６０２によって動作を開始された同期タイマの期限が切れたか否かを判断する（ステップＳ６０４）。
【００６５】
ステップＳ６０４において、同期タイマの期限が切れていない場合（ステップＳ６０４：Ｎｏ）は、ステップＳ６０１へ戻って処理を続行する。同期タイマの期限が切れた場合（ステップＳ６０４：Ｙｅｓ）は、キャリア数切替部４１０が、通信モードを単一キャリアモードに切り替え（ステップＳ６０５）、ステップＳ６０１へ戻って処理を続行する。以上の動作を行うことで、基地局装置４００は、端末装置３００へ送信されたタイミングコマンドに対する端末装置３００からの送達確認信号を取得し、取得した送達確認信号に基づいて通信モードを切り替えることができる。
【００６６】
（実施の形態２にかかる通信システムの動作）
図７は、実施の形態２にかかる通信システムの動作の一例を示すシーケンス図である。まず、基地局装置４００において送信データが発生すると（ステップＳ７０１）、基地局装置４００が、端末装置３００へタイミングコマンドを送信する（ステップＳ７０２）。期限ｔ１は、ステップＳ７０２によって送信されたタイミングコマンドの有効期限を示している。つぎに、基地局装置４００が、ステップＳ７０１によって発生した送信データの一部のデータを端末装置３００へ送信する（ステップＳ７０３）。
【００６７】
つぎに、端末装置３００が、ステップＳ７０３によって送信されたデータに対するＡｃｋを基地局装置４００へ送信する（ステップＳ７０４）。つぎに、基地局装置４００が、端末装置３００へタイミングコマンドを送信する（ステップＳ７０５）。期限ｔ２は、ステップＳ７０５によって送信されたタイミングコマンドの有効期限を示している。つぎに、基地局装置４００が、ステップＳ７０１によって発生した送信データのうちの未送信のデータを端末装置３００へ送信する（ステップＳ７０６）。
【００６８】
つぎに、端末装置３００が、ステップＳ７０６によって送信されたデータに対するＡｃｋを基地局装置４００へ送信する（ステップＳ７０７）。以上のステップによって、ステップＳ７０１において発生した送信データが、すべて端末装置３００によって受信されたとする。つぎに、基地局装置４００が、送信処理を終了し（ステップＳ７０８）、一連の動作を終了する。
【００６９】
以上のステップにおいて、端末装置３００および基地局装置４００は、期限ｔ１および期限ｔ２の少なくとも一方が計時中となっている期間Ｔにおいては通信モードが複数キャリアモードとなる。また、端末装置３００および基地局装置４００は、期間Ｔ以外の期間においては通信モードが単一キャリアモードとなる。
【００７０】
なお、図７においては、ステップＳ７０３およびステップＳ７０６によって送信されたデータが端末装置３００によって正常に受信され、端末装置３００から基地局装置４００へＡｃｋが送信される場合について説明した。これに対して、データが端末装置３００によって正常に受信されず、端末装置３００から基地局装置４００へＮａｃｋが送信された場合は、基地局装置４００は、送信したデータを再度、端末装置３００へ送信する。
【００７１】
また、基地局装置４００においては、送信したタイミングコマンドに対する端末装置３００からのＡｃｋ（不図示）を受信してから期限ｔ１の計時を開始してもよい。この場合も、たとえばステップＳ７０３およびステップＳ７０６においてデータを送信するときに、基地局装置４００の通信モードを複数キャリアモードに切り替えることができる。
【００７２】
図７に示したように、基地局装置４００は、データの送信処理中においてはタイミングコマンドを定期的に端末装置３００へ送信する。これにより、データの送信処理中においては端末装置３００および基地局装置４００が複数キャリアモードに切り替わり、高いスループットによる通信を行うことができる。
【００７３】
また、基地局装置４００は、データの送信処理を終了すると、タイミングコマンドの送信を停止する。これにより、データの送信処理後においてはタイミングコマンドの有効期限が切れ、端末装置３００および基地局装置４００が単一キャリアモードに切り替わる。このため、端末装置３００および基地局装置４００の消費電力を抑えることができる。
【００７４】
このように、実施の形態２にかかる端末装置３００は、端末装置３００が信号を送信するタイミングを示すタイミングコマンドを、通信状態の変化を示す情報として取得する。タイミングコマンドは、たとえば、端末装置３００が受信するデータに対する送達確認信号を端末装置３００が送信するタイミングを示すタイミングコマンドである。
【００７５】
端末装置３００は、取得されたタイミングコマンドの有効期限に基づいて通信モードを切り替える。これにより、既存のタイミングコマンドを通信状態の変化を示す情報として利用できるため、新たな制御情報を基地局装置４００との間で送受信しなくても通信リソースを効率よく使用することができる。
【００７６】
たとえば、タイミングコマンドの有効期限内は基地局装置４００からデータが送信される可能性が高いため、端末装置３００は、タイミングコマンドの有効期限内は複数キャリアモードに切り替えることで高いスループットによる通信を行うことができる。また、タイミングコマンドの有効期限外は基地局装置４００からデータが送信される可能性が低いため、端末装置３００は、タイミングコマンドの有効期限外は単一キャリアモードに切り替えることで消費電力を抑えることができる。
【００７７】
また、新たな制御情報を送受信しなくてもよいため、大きな設計変更をしなくても通信リソースを効率よく使用することができる。また、新たな制御情報を送受信することによる通信リソースの圧迫を抑えることもできる。また、新たな制御情報を送受信することによって通信モードの切り替えが遅延することを回避することもできる。
【００７８】
実施の形態２にかかる基地局装置４００は、端末装置３００へ送信されたタイミングコマンドに対する端末装置３００からの送達確認信号を、通信状態の変化を示す情報として取得し、送達確認信号に基づいて通信モードを切り替える。これにより、既存のタイミングコマンドを通信状態の変化を示す情報として利用できるため、新たな制御情報を端末装置３００との間で送受信しなくても通信リソースを効率よく使用することができる。
【００７９】
たとえば、基地局装置４００は、タイミングコマンドに対する端末装置３００からの送達確認信号が取得された場合に、タイミングコマンドの有効期限内では複数キャリアモードに切り替え、タイミングコマンドの有効期限外では単一キャリアモードに切り替える。これにより、タイミングコマンドが正常に端末装置３００に受信されたことを確認してから通信モードを切り替えられるため、端末装置３００による通信モードの切替と合わせて基地局装置４００の通信モードを切り替えることができる。
【００８０】
また、送達確認信号を送受信しない通信では、基地局装置４００は送達確認信号を送信するためのタイミングコマンドを端末装置３００へ送信しないため、端末装置３００および基地局装置４００の通信モードは単一キャリアモードとなる。送達確認信号を送受信しない通信ではデータ量が少ない場合が多いため、この場合は、単一キャリアモードでも十分なスループットを得ることができるとともに、消費電力を抑えることができる。
【００８１】
たとえば、ＬＴＥにおけるＰＣＣＨ（Ｐａｇｉｎｇ  Ｃｏｎｔｒｏｌ  Ｃｈａｎｎｅｌ）やＢＣＣＨ（Ｂｒｏａｄｃａｓｔ  Ｃｏｎｔｒｏｌ  Ｃｈａｎｎｅｌ）は送達確認信号を送受信しないが、データレートは低い。実施の形態２においては、ＰＣＣＨやＢＣＣＨにおいては通信モードが単一キャリアモードのままとなるため、十分なスループットを得ることができるとともに、消費電力を抑えることができる。
【００８２】
また、タイミングコマンドは、端末装置３００がデータ（ユーザデータ）を基地局装置４００へ送信するタイミングを示すタイミングコマンドであってもよい。たとえば、端末装置３００は、基地局装置４００に対する送信データが発生した場合に、基地局装置４００に対してランダムアクセスを行うことによって、データを送信するためのタイミングコマンドを基地局装置４００から取得する。
【００８３】
この場合も、基地局装置４００は、取得したタイミングコマンドの有効期限に基づいて通信モードを切り替えることで通信リソースを効率よく使用することができる。なお、複数キャリアモードにおけるコンポーネントキャリア数は、基地局装置４００から端末装置３００へのダウンリンクと、端末装置３００から基地局装置４００へのアップリンクと、で異なっていてもよい。
【００８４】
（実施の形態３）
（実施の形態３にかかる端末装置の構成）
図８は、実施の形態３にかかる端末装置の構成を示すブロック図である。図８において、図３に示した構成と同様の構成については同一の符号を付して説明を省略する。図８に示すように、実施の形態３にかかる端末装置３００は、図３に示した構成において、送信タイミング制御部３０６およびＡｃｋ／Ｎａｃｋ生成部３０８に代えてＲＲＣ情報解析部８０１およびＲＲＣ完了信号生成部８０２を備えている。
【００８５】
復号部３０４は、誤り訂正復号の結果をＲＲＣ完了信号生成部８０２へ出力する。論理チャネル解析部３０５は、復号部３０４から出力されたデータに含まれるＲＲＣ（Ｒａｄｉｏ  Ｒｅｓｏｕｒｃｅ  Ｃｏｎｔｒｏｌ）メッセージを取得する。論理チャネル解析部３０５は、取得したＲＲＣメッセージをＲＲＣ情報解析部８０１へ出力する。
【００８６】
ＲＲＣ情報解析部８０１は、論理チャネル解析部３０５から出力されたＲＲＣメッセージからＤＲＸ（間欠受信）情報を検出する。ＤＲＸ情報には、端末装置３００（自装置）に対してＤＲＸサイクルの設定を要求するＤＲＸ設定信号と、端末装置３００に対してＤＲＸサイクルの設定解除を要求するＤＲＸ解除信号と、が含まれる。ＲＲＣ情報解析部８０１は、検出したＤＲＸ情報を復調部３０３およびキャリア数切替部３０７へ出力する。
【００８７】
復調部３０３は、ＲＲＣ情報解析部８０１から出力されたＤＲＸ情報に基づいて間欠受信を行う。具体的には、復調部３０３は、ＲＲＣ情報解析部８０１からＤＲＸ設定信号が出力されると、ＤＲＸ設定信号に基づいてＤＲＸサイクルを設定して間欠受信を行う。また、復調部３０３は、ＲＲＣ情報解析部８０１からＤＲＸ解除信号が出力されると、ＤＲＸサイクルを解除して間欠受信を終了する。
【００８８】
キャリア数切替部３０７は、ＲＲＣ情報解析部８０１から出力されたＤＲＸ情報に基づいて通信モードを切り替える。具体的には、キャリア数切替部３０７は、ＲＲＣ情報解析部８０１からＤＲＸ設定信号が出力されると、端末装置３００の通信モードを複数キャリアモードに切り替える。また、復調部３０３は、ＲＲＣ情報解析部８０１からＤＲＸ解除信号が出力されると、端末装置３００の通信モードを単一キャリアモードに切り替える。
【００８９】
ＲＲＣ完了信号生成部８０２は、復号部３０４から通知された誤り訂正復号の結果に基づいてＲＲＣ完了信号を生成する。具体的には、ＲＲＣ完了信号生成部８０２は、復号部３０４から誤り訂正に成功した旨が通知されるとＲＲＣ完了信号を生成する。ＲＲＣ完了信号生成部８０２は、生成したＲＲＣ完了信号を符号化部３０９へ出力する。
【００９０】
符号化部３０９は、ＲＲＣ完了信号生成部８０２から出力されたＲＲＣ完了信号を符号化する。符号化部３０９は、符号化したＲＲＣ完了信号を変調部３１０へ出力する。変調部３１０は、符号化部３０９から出力されたＲＲＣ完了信号を変調する。変調部３１０は、変調したＲＲＣ完了信号をＲＦ処理部３０２へ出力する。ＲＦ処理部３０２は、変調部３１０から出力されたＲＲＣ完了信号の周波数をベースバンドから高周波に変換し、周波数を変換したＲＲＣ完了信号をアンテナ３０１へ出力する。アンテナ３０１は、ＲＦ処理部３０２から出力されたＲＲＣ完了信号を基地局装置４００へ送信する。
【００９１】
（実施の形態３にかかる基地局装置の構成）
図９は、実施の形態３にかかる基地局装置の構成を示すブロック図である。図９において、図４に示した構成と同様の構成については同一の符号を付して説明を省略する。図９に示すように、実施の形態３にかかる基地局装置４００は、図４に示した送信タイミング制御部４０２およびＡｃｋ／Ｎａｃｋ判定部４０９に代えてＤＲＸサイクル設定制御部９０１、復号部９０２およびＲＲＣ完了信号判定部９０３を備えている。
【００９２】
スケジューラ部４０１は、スケジューリングにおいて、端末装置３００のＤＲＸサイクルの設定および設定解除の決定を行う。たとえば、スケジューラ部４０１は、端末装置３００へ送信するデータが無い場合や少ない場合は、端末装置３００にＤＲＸサイクルを設定することを決定する。また、スケジューラ部４０１は、端末装置３００へ送信するデータが多い場合は端末装置３００に設定したＤＲＸサイクルを解除することを決定する。
【００９３】
スケジューラ部４０１は、スケジューリングの結果をＤＲＸサイクル設定制御部９０１および変調部４０５へ通知する。ＤＲＸサイクル設定制御部９０１は、スケジューラ部４０１から通知されたスケジューリングの結果に基づいてＤＲＸ情報を生成する。ＤＲＸ情報は、たとえば、端末装置３００に対してＤＲＸサイクルの設定を要求する設定信号、または、端末装置３００に対してＤＲＸサイクルの設定解除を要求する解除信号である。
【００９４】
ＤＲＸサイクル設定制御部９０１は、生成したＤＲＸ情報を含むＲＲＣメッセージを符号化部４０４へ出力する。符号化部４０４は、ＤＲＸサイクル設定制御部９０１から出力されたＲＲＣメッセージを、バイナリデータバッファ部４０３から出力されたデータに格納する。符号化部４０４は、ＲＲＣメッセージを格納したデータを符号化し、符号化したデータを変調部４０５へ出力する。
【００９５】
アンテナ４０７は、端末装置３００から送信されたＲＲＣ完了信号を受信してＲＦ処理部４０６へ出力する。ＲＦ処理部４０６は、アンテナ４０７から出力されたＲＲＣ完了信号の周波数を高周波からベースバンドに変換し、周波数を変換したＲＲＣ完了信号を復調部４０８へ出力する。復調部４０８は、ＲＦ処理部４０６から出力されたＲＲＣ完了信号を復調し、復調したＲＲＣ完了信号を復号部９０２へ出力する。
【００９６】
復号部９０２は、復調部４０８から出力されたＲＲＣ完了信号を復号する。復号部９０２は、復号したＲＲＣ完了信号をＲＲＣ完了信号判定部９０３へ出力する。ＲＲＣ完了信号判定部９０３は、復号部９０２から出力されたＲＲＣ完了信号の判定を行う。たとえば、ＲＲＣ完了信号判定部９０３は、ＲＲＣ完了信号が、ＤＲＸ設定信号に対するＲＲＣ完了信号であるのか、またはＤＲＸ解除信号に対するＲＲＣ完了信号であるのかを判定する。ＲＲＣ完了信号判定部９０３は、判定結果をキャリア数切替部４１０へ通知する。
【００９７】
キャリア数切替部４１０は、ＲＲＣ完了信号判定部９０３から通知される判定結果に基づいて基地局装置４００の通信モードを切り替える。具体的には、キャリア数切替部４１０は、ＤＲＸ設定信号に対するＲＲＣ完了信号を取得した旨がＲＲＣ完了信号判定部９０３から通知されると、通信モードを単一キャリアモードに切り替える。また、キャリア数切替部４１０は、ＤＲＸ解除信号に対するＲＲＣ完了信号を取得した旨がＲＲＣ完了信号判定部９０３から通知されると、通信モードを複数キャリアモードに切り替える。
【００９８】
（実施の形態３にかかる端末装置の動作）
図１０は、実施の形態３にかかる端末装置の動作の一例を示すフローチャートである。端末装置３００（図８参照）は、たとえば以下のような動作を行う。図１０に示すように、まず、キャリア数切替部３０７が、基地局装置４００からのＤＲＸ設定信号を受信したか否かを判断する（ステップＳ１００１）。ＤＲＸ設定信号を受信していない場合（ステップＳ１００１：Ｎｏ）は、ステップＳ１００３へ移行する。
【００９９】
ステップＳ１００１において、基地局装置４００からのＤＲＸ設定信号を受信した場合（ステップＳ１００１：Ｙｅｓ）は、キャリア数切替部３０７が、端末装置３００の通信モードを複数キャリアモードに切り替える（ステップＳ１００２）。つぎに、キャリア数切替部３０７が、基地局装置４００からのＤＲＸ解除信号を受信したか否かを判断する（ステップＳ１００３）。
【０１００】
ステップＳ１００３において、ＤＲＸ解除信号を受信していない場合（ステップＳ１００３：Ｎｏ）は、ステップＳ１００１へ戻って処理を続行する。ＤＲＸ解除信号を受信した場合（ステップＳ１００３：Ｙｅｓ）は、キャリア数切替部３０７が、端末装置３００の通信モードを単一キャリアモードに切り替え（ステップＳ１００４）、ステップＳ１００１へ戻って処理を続行する。以上の動作を行うことで、端末装置３００は、取得された設定信号および解除信号に基づいて通信モードを切り替えることができる。
【０１０１】
（実施の形態３にかかる基地局装置の動作）
図１１は、実施の形態３にかかる基地局装置の動作の一例を示すフローチャートである。基地局装置４００（図９参照）は、たとえば以下のような動作を行う。図１１に示すように、まず、ＲＲＣ完了信号判定部９０３が、端末装置３００へ送信したＤＲＸ設定信号に対するＲＲＣ完了信号を受信したか否かを判断する（ステップＳ１１０１）。ＤＲＸ設定信号に対するＲＲＣ完了信号を受信していない場合（ステップＳ１１０１：Ｎｏ）は、ステップＳ１１０３へ移行する。
【０１０２】
ステップＳ１１０１において、ＤＲＸ設定信号に対するＲＲＣ完了信号を受信した場合（ステップＳ１１０１：Ｙｅｓ）は、キャリア数切替部４１０が、基地局装置４００の通信モードを単一キャリアモードに切り替える（ステップＳ１１０２）。つぎに、ＲＲＣ完了信号判定部９０３が、端末装置３００へ送信したＤＲＸ解除信号に対するＲＲＣ完了信号を受信したか否かを判断する（ステップＳ１１０３）。
【０１０３】
ステップＳ１１０３において、ＤＲＸ解除信号に対するＲＲＣ完了信号を受信していない場合（ステップＳ１１０３：Ｎｏ）は、ステップＳ１１０１へ戻って処理を続行する。ＤＲＸ解除信号に対するＲＲＣ完了信号を受信した場合（ステップＳ１１０３：Ｙｅｓ）は、キャリア数切替部４１０が、基地局装置４００の通信モードを複数キャリアモードに切り替え（ステップＳ１１０４）、ステップＳ１１０１へ戻って処理を続行する。以上の動作を行うことで、基地局装置４００は、ＤＲＸ設定信号およびＤＲＸ解除信号に対するＲＲＣ完了信号に基づいて通信モードを切り替えることができる。
【０１０４】
このように、実施の形態３にかかる端末装置３００は、端末装置３００に対してＤＲＸサイクルの設定を要求するＤＲＸ設定信号と、端末装置３００に対してＤＲＸサイクルの設定解除を要求するＤＲＸ解除信号と、を取得する。そして、端末装置３００は、取得されたＤＲＸ設定信号およびＤＲＸ解除信号に基づいて通信モードを切り替える。
【０１０５】
これにより、既存のＤＲＸ設定信号およびＤＲＸ解除信号を通信状態の変化を示す情報として利用できるため、新たな制御情報を基地局装置４００との間で送受信しなくても通信リソースを効率よく使用することができる。
【０１０６】
たとえば、ＤＲＸサイクルの解除時は基地局装置４００からデータが送信される可能性が高いため、端末装置３００は、ＤＲＸ解除信号を受信した場合は複数キャリアモードに切り替えることで高いスループットによる通信を行うことができる。また、ＤＲＸサイクルの設定時は基地局装置４００からデータが送信される可能性が低いため、端末装置３００は、ＤＲＸ設定信号を受信した場合は単一キャリアモードに切り替えることで消費電力を抑えることができる。
【０１０７】
実施の形態３にかかる基地局装置４００は、端末装置３００へ送信されたＤＲＸ設定信号またはＤＲＸ解除信号に対する端末装置３００からのＲＲＣ完了信号を取得し、取得されたＲＲＣ完了信号に基づいて通信モードを切り替える。これにより、既存のＲＲＣ完了信号を通信状態の変化を示す情報として利用できるため、新たな制御情報を端末装置３００との間で送受信しなくても通信リソースを効率よく使用することができる。
【０１０８】
たとえば、基地局装置４００は、端末装置３００へ送信されたＤＲＸ解除信号に対する端末装置３００からのＲＲＣ完了信号が取得された場合に複数キャリアモードに切り替える。また、基地局装置４００は、端末装置３００へ送信されたＤＲＸ設定信号に対する端末装置３００からのＲＲＣ完了信号が取得された場合に単一キャリアモードに切り替える。これにより、ＤＲＸ解除信号またはＤＲＸ設定信号が正常に端末装置３００に受信されたことを確認してから通信モードを切り替えられるため、端末装置３００による通信モードの切替と合わせて基地局装置４００の通信モードを切り替えることができる。
【０１０９】
（実施の形態４）
（実施の形態４にかかる端末装置の構成）
図１２は、実施の形態４にかかる端末装置の構成を示すブロック図である。図１２において、図３に示した構成と同様の構成については同一の符号を付して説明を省略する。実施の形態４にかかる端末装置３００は、図３に示した復号部３０４、論理チャネル解析部３０５および送信タイミング制御部３０６に代えてデータチャネル復号部１２０１、制御チャネル復号部１２０２およびバイナリデータバッファ部１２０３を備えている。
【０１１０】
復調部３０３は、復調した信号をデータチャネル復号部１２０１および制御チャネル復号部１２０２へ出力する。データチャネル復号部１２０１は、制御チャネル復号部１２０２から出力された受信割当情報に基づいて、復調部３０３から出力された信号に含まれるデータチャネルを復号する。たとえば、データチャネル復号部１２０１は、信号の誤り訂正復号を行い、誤り訂正復号の結果をＡｃｋ／Ｎａｃｋ生成部３０８へ通知する。また、データチャネル復号部１２０１は、復号したデータを後段へ出力する。
【０１１１】
制御チャネル復号部１２０２は、復調部３０３から出力された信号に含まれる制御チャネルを復号する。復調部３０３から出力された信号に含まれる制御チャネルには、端末装置３００に対して割り当てられた通信リソースを示す割当情報が含まれている。割当情報は、たとえば、端末装置３００によるデータの受信に対して割り当てられた通信リソースを示す受信割当情報、または、端末装置３００によるデータの送信に対して割り当てられた通信リソースを示す送信割当情報である。
【０１１２】
制御チャネル復号部１２０２は、制御チャネルに含まれる受信割当情報および送信割当情報を、通信状態の変化を示す情報として取得する。制御チャネル復号部１２０２は、受信割当情報を取得すると、取得した受信割当情報をデータチャネル復号部１２０１へ出力するとともに、受信割当情報を取得した旨をキャリア数切替部３０７へ通知する。制御チャネル復号部１２０２は、送信割当情報を取得すると、送信割当情報を取得した旨をキャリア数切替部３０７へ通知する。
【０１１３】
また、制御チャネル復号部１２０２は、送信割当情報を取得すると、送信割当情報が示す通信リソースに応じた量のデータを出力させる出力指示をバイナリデータバッファ部１２０３へ出力する。バイナリデータバッファ部１２０３には、基地局装置４００へ送信するためのデータ（バイナリデータ）が格納される。バイナリデータバッファ部１２０３は、制御チャネル復号部１２０２から出力指示が出力されると、格納されているデータのうちの出力指示が示す量のデータを符号化部３０９へ出力する。
【０１１４】
キャリア数切替部３０７は、制御チャネル復号部１２０２による受信割当情報または送信割当情報の取得の通知に基づいて、端末装置３００の通信モードを切り替える。具体的には、キャリア数切替部３０７は、受信割当情報または送信割当情報を取得した旨が制御チャネル復号部１２０２から通知されると通信モードを複数キャリアモードに設定する。
【０１１５】
また、キャリア数切替部３０７は、受信割当情報または送信割当情報を取得した旨が制御チャネル復号部１２０２から通知されてから一定時間（たとえば数秒間）を計時するタイマの機能を備えている。キャリア数切替部３０７は、タイマによる計時に基づいて、受信割当情報または送信割当情報を取得した旨が制御チャネル復号部１２０２から通知されてから一定時間が経過すると通信モードを単一キャリアモードに設定する。
【０１１６】
また、キャリア数切替部３０７は、タイマによる計時中にさらに受信割当情報または送信割当情報を取得した旨が制御チャネル復号部１２０２から通知されると、タイマをリセットするようにしてもよい。この場合は、キャリア数切替部３０７は、タイマをリセットしてからさらに一定時間が経過すると通信モードを単一キャリアモードに設定する。
【０１１７】
Ａｃｋ／Ｎａｃｋ生成部３０８は、データチャネル復号部１２０１から通知された誤り訂正復号の結果に基づいて送達確認信号を生成する。符号化部３０９は、Ａｃｋ／Ｎａｃｋ生成部３０８から出力された送達確認信号を符号化し、符号化した送達確認信号を変調部３１０へ出力する。また、符号化部３０９は、バイナリデータバッファ部１２０３から出力されたデータを符号化し、符号化したデータを変調部３１０へ出力する。
【０１１８】
変調部３１０は、符号化部３０９から出力されたデータを変調し、変調したデータをＲＦ処理部３０２へ出力する。アンテナ３０１は、ＲＦ処理部３０２から出力された送達確認信号およびデータを基地局装置４００へ送信する。ＲＦ処理部３０２は、変調部３１０から出力された送達確認信号およびデータの周波数をベースバンドから高周波に変換し、周波数を変換した送達確認信号およびデータをアンテナ３０１へ出力する。
【０１１９】
（実施の形態４にかかる基地局装置の構成）
図１３は、実施の形態４にかかる基地局装置の構成を示すブロック図である。図１３において、図４に示した構成と同様の構成については同一の符号を付して説明を省略する。図１３に示すように、実施の形態４にかかる基地局装置４００は、図４に示した構成において、送信タイミング制御部４０２および復調部４０８に代えて制御信号生成部１３０１、Ａｃｋ／Ｎａｃｋ復調部１３０２およびデータ復調部１３０３を備えている。
【０１２０】
スケジューラ部４０１は、スケジューリングの結果を制御信号生成部１３０１および変調部４０５へ通知する。制御信号生成部１３０１は、スケジューラ部４０１から通知されたスケジューリングの結果に基づいて制御信号を生成する。たとえば、制御信号生成部１３０１は、端末装置３００によるデータの受信に対して割り当てられた通信リソースを示す受信割当情報を生成する。また、制御信号生成部１３０１は、端末装置３００によるデータの送信に対して割り当てられた通信リソースを示す送信割当情報を生成する。
【０１２１】
スケジューラ部４０１は、生成した制御信号を制御チャネルとして符号化部４０４へ出力する。符号化部４０４は、送信タイミング制御部４０２から出力された制御チャネルを符号化し、符号化したデータを変調部４０５へ出力する。変調部４０５は、符号化部４０４から出力された制御チャネルを変調する。
【０１２２】
ＲＦ処理部４０６は、アンテナ４０７から出力された送達確認信号の周波数を高周波からベースバンドに変換し、周波数を変換した送達確認信号をＡｃｋ／Ｎａｃｋ復調部１３０２およびデータ復調部１３０３へ出力する。アンテナ４０７は、端末装置３００から送信された信号を受信してＲＦ処理部４０６へ出力する。
【０１２３】
Ａｃｋ／Ｎａｃｋ復調部１３０２は、ＲＦ処理部４０６から出力された信号に含まれる送達確認信号を復調し、復調した送達確認信号をＡｃｋ／Ｎａｃｋ判定部４０９へ出力する。データ復調部１３０３は、ＲＦ処理部４０６から出力された信号に含まれるデータを復調し、復調したデータをキャリア数切替部４１０へ出力する。キャリア数切替部４１０は、Ａｃｋ／Ｎａｃｋ判定部４０９から通知される判定結果と、データ復調部１３０３から出力されるデータと、に基づいて基地局装置４００の通信モードを切り替える。
【０１２４】
具体的には、キャリア数切替部４１０は、基地局装置４００から端末装置３００へ送信された受信割当情報に対するＡｃｋを受信した旨の判定結果がＡｃｋ／Ｎａｃｋ判定部４０９から通知されると、通信モードを複数キャリアモードに切り替える。また、キャリア数切替部４１０は、端末装置３００によって送信されたデータがデータ復調部１３０３から出力されると、通信モードを複数キャリアモードに切り替える。
【０１２５】
また、キャリア数切替部４１０は、通信モードを複数キャリアモードに切り替えてから一定時間を計時するタイマの機能を備えている。キャリア数切替部４１０は、タイマに基づいて、通信モードを複数キャリアモードに切り替えてから一定時間が経過すると、通信モードを単一キャリアモードに切り替える。
【０１２６】
（実施の形態４にかかる端末装置の動作）
図１４は、実施の形態４にかかる端末装置の動作の一例を示すフローチャートである。端末装置３００（図１２参照）は、たとえば以下のような動作を行う。図１４に示すように、まず、キャリア数切替部３０７が、基地局装置４００からの受信割当情報または送信割当情報を受信したか否かを判断する（ステップＳ１４０１）。
【０１２７】
ステップＳ１４０１において、受信割当情報または送信割当情報を受信していない場合（ステップＳ１４０１：Ｎｏ）は、ステップＳ１４０４へ移行する。基地局装置４００からの受信割当情報または送信割当情報を受信した場合（ステップＳ１４０１：Ｙｅｓ）は、キャリア数切替部３０７が、一定時間を計時するタイマの動作を開始させる（ステップＳ１４０２）。つぎに、キャリア数切替部３０７が、端末装置３００の通信モードを複数キャリアモードに切り替える（ステップＳ１４０３）。
【０１２８】
つぎに、キャリア数切替部３０７が、ステップＳ１４０２によって動作を開始されたタイマの期限が切れたか否かを判断する（ステップＳ１４０４）。タイマの期限が切れていない場合（ステップＳ１４０４：Ｎｏ）は、ステップＳ１４０１へ戻って処理を続行する。タイマの期限が切れた場合（ステップＳ１４０４：Ｙｅｓ）は、キャリア数切替部３０７が、端末装置３００の通信モードを単一キャリアモードに切り替え（ステップＳ１４０５）、ステップＳ１４０１へ戻って処理を続行する。以上の動作を行うことで、端末装置３００は、端末装置３００に対する通信リソースの割り当てを示す割当情報に基づいて通信モードを切り替えることができる。
【０１２９】
（実施の形態４にかかる基地局装置の動作）
図１５は、実施の形態４にかかる基地局装置の動作の一例を示すフローチャートである。基地局装置４００（図１３参照）は、たとえば以下のような動作を行う。図１５に示すように、まず、キャリア数切替部４１０が、端末装置３００へ送信した受信割当情報もしくは送信割当情報に対するＡｃｋ、または、端末装置３００から送信されたデータを受信したか否かを判断する（ステップＳ１５０１）。
【０１３０】
ステップＳ１５０１において、Ａｃｋまたはデータを受信していない場合（ステップＳ１５０１：Ｎｏ）は、ステップＳ１５０４へ移行する。Ａｃｋまたはデータを受信した場合（ステップＳ１５０１：Ｙｅｓ）は、キャリア数切替部４１０が、一定時間を計時するタイマの動作を開始させる（ステップＳ１５０２）。
【０１３１】
つぎに、キャリア数切替部４１０が、スケジューラ部４０１における通信モードを複数キャリアモードに切り替える（ステップＳ１５０３）。つぎに、キャリア数切替部４１０が、ステップＳ１５０２によって動作を開始されたタイマの期限が切れたか否かを判断する（ステップＳ１５０４）。
【０１３２】
ステップＳ１５０４において、タイマの期限が切れていない場合（ステップＳ１５０４：Ｎｏ）は、ステップＳ１５０１へ戻って処理を続行する。タイマの期限が切れた場合（ステップＳ１５０４：Ｙｅｓ）は、キャリア数切替部４１０が、スケジューラ部４０１における通信モードを単一キャリアモードに切り替え（ステップＳ１５０５）、ステップＳ１５０１へ戻って処理を続行する。
【０１３３】
以上の動作を行うことで、基地局装置４００は、端末装置３００へ送信した受信割当情報もしくは送信割当情報に対する送達確認信号に基づいて通信モードを切り替えることができる。また、基地局装置４００は、端末装置３００へ送信した送信割当情報に基づいて端末装置３００から送信されたデータに基づいて通信モードを切り替えることができる。
【０１３４】
（実施の形態４にかかる通信システムの動作）
図１６は、実施の形態４にかかる通信システムの動作の一例を示すシーケンス図である。まず、基地局装置４００において送信データが発生すると（ステップＳ１６０１）、基地局装置４００が、端末装置３００へ制御チャネルを送信する（ステップＳ１６０２）。ステップＳ１６０２によって送信される制御チャネルには受信割当情報が含まれている。
【０１３５】
期限ｔ１は、ステップＳ１６０２によって送信された受信割当情報が端末装置３００によって受信されてからの一定時間を示している。つぎに、基地局装置４００が、ステップＳ１６０１によって発生した送信データの一部のデータを端末装置３００へ送信する（ステップＳ１６０３）。つぎに、端末装置３００が、ステップＳ１６０３によって送信されたデータに対するＡｃｋを基地局装置４００へ送信する（ステップＳ１６０４）。
【０１３６】
つぎに、基地局装置４００が、端末装置３００へ制御チャネルを送信する（ステップＳ１６０５）。ステップＳ１６０５によって送信される制御チャネルには受信割当情報が含まれている。期限ｔ２は、ステップＳ１６０５によって送信された受信割当情報が端末装置３００によって受信されてからの一定時間を示している。つぎに、基地局装置４００が、ステップＳ１６０１によって発生した送信データのうちの未送信のデータを端末装置３００へ送信する（ステップＳ１６０６）。
【０１３７】
つぎに、端末装置３００が、ステップＳ１６０６によって送信されたデータに対するＡｃｋを基地局装置４００へ送信する（ステップＳ１６０７）。以上のステップによって、ステップＳ１６０１において発生した送信データが、すべて端末装置３００によって受信されたとする。つぎに、基地局装置４００が、送信処理を終了し（ステップＳ１６０８）、一連の動作を終了する。
【０１３８】
以上のステップにおいて、端末装置３００および基地局装置４００は、期限ｔ１および期限ｔ２の少なくとも一方が計時中となっている期間Ｔにおいては通信モードが複数キャリアモードとなる。また、端末装置３００および基地局装置４００は、期間Ｔ以外の期間においては通信モードが単一キャリアモードとなる。
【０１３９】
なお、図１６においては、ステップＳ１６０３とステップＳ１６０６によって送信されたデータが端末装置３００によって正常に受信され、端末装置３００から基地局装置４００へＡｃｋが送信される場合について説明した。これに対して、データが端末装置３００によって正常に受信されず、端末装置３００から基地局装置４００へＮａｃｋが送信された場合は、基地局装置４００は、送信したデータを再度、端末装置３００へ送信する。
【０１４０】
また、基地局装置４００においては、送信した制御チャネルに対する端末装置３００からのＡｃｋ（不図示）を受信してから期限ｔ１の計時を開始してもよい。この場合も、たとえばステップＳ１６０３およびステップＳ１６０６においてデータを送信するときに、通信モードを複数キャリアモードに切り替えることができる。
【０１４１】
また、基地局装置４００においては、ステップＳ１６０３によって送信したデータに対する、端末装置３００からのＡｃｋを受信（ステップＳ１６０４）してから期限ｔ１の計時を開始してもよい。この場合も、たとえばステップＳ１６０６においてデータを送信するときに、通信モードを複数キャリアモードに切り替えることができる。
【０１４２】
図１６に示したように、基地局装置４００は、データの送信処理中においては制御チャネルを定期的に端末装置３００へ送信する。これにより、データの送信処理中においては端末装置３００および基地局装置４００が複数キャリアモードに切り替わり、高いスループットによる通信を行うことができる。
【０１４３】
また、基地局装置４００は、データの送信処理を終了すると、制御チャネルの送信を停止する。これにより、データの送信処理後においては制御チャネルの有効期限が切れ、端末装置３００および基地局装置４００が単一キャリアモードに切り替わる。このため、端末装置３００および基地局装置４００の消費電力を抑えることができる。
【０１４４】
このように、実施の形態４にかかる端末装置３００は、端末装置３００に対する通信リソースの割り当てを示す割当情報（受信割当情報または送信割当情報）を取得し、取得された割当情報に基づいて通信モードを切り替える。これにより、既存の割当情報を通信状態の変化を示す情報として利用できるため、新たな制御情報を基地局装置４００との間で送受信しなくても通信リソースを効率よく使用することができる。
【０１４５】
たとえば、受信割当情報を受信した後は基地局装置４００からデータが送信される可能性が高いため、端末装置３００は、受信割当情報を受信した場合は複数キャリアモードに切り替えることで高いスループットによる通信を行うことができる。また、送信割当情報を受信した後は端末装置３００からデータを送信する可能性が高いため、端末装置３００は、送信割当情報を受信した場合は複数キャリアモードに切り替えることで高いスループットによる通信を行うことができる。
【０１４６】
また、受信割当情報または送信割当情報を受信した後の一定期間は繰り返し通信が行われる可能性が高い。たとえば、端末装置３００によってウェブページの閲覧などを行う場合は、特定のページにアクセスした後に、ページ内のリンクからさらに他のページへアクセスされる可能性が高い。
【０１４７】
このため、端末装置３００は、受信割当情報または送信割当情報を受信してから一定期間は複数キャリアモードに切り替えることで高いスループットによる通信を行うことができる。また、端末装置３００は、受信割当情報または送信割当情報を受信してから一定期間が経過したら単一キャリアモードに切り替えることで消費電力を抑えることができる。
【０１４８】
実施の形態４にかかる基地局装置４００は、端末装置３００へ送信された割当情報（受信割当情報または送信割当情報）に対する端末装置３００からの送達確認信号を取得し、取得された送達確認信号に基づいて通信モードを切り替える。これにより、既存の送達確認信号を通信状態の変化を示す情報として利用できるため、新たな制御情報を端末装置３００との間で送受信しなくても通信リソースを効率よく使用することができる。
【０１４９】
たとえば、基地局装置４００は、端末装置３００へ送信された割当情報に対する端末装置３００からの送達確認信号が取得された場合に複数キャリアモードに切り替える。また、基地局装置４００は、端末装置３００へ送信された割当情報に対する端末装置３００からの送達確認信号が取得されてから一定時間が経過すると単一キャリアモードに切り替える。これにより、割当情報が正常に端末装置３００に受信されたことを確認してから通信モードを切り替えられるため、端末装置３００による通信モードの切替と合わせて基地局装置４００の通信モードを切り替えることができる。
【０１５０】
また、実施の形態４にかかる基地局装置４００は、端末装置３００へ送信された送信割当情報に基づいて端末装置３００から送信されたデータを取得し、取得されたデータに基づいて通信モードを切り替える。これにより、既存のデータを通信状態の変化を示す情報として利用できるため、新たな制御情報を端末装置３００との間で送受信しなくても通信リソースを効率よく使用することができる。
【０１５１】
たとえば、基地局装置４００は、端末装置３００へ送信された送信割当情報に基づいて端末装置３００から送信されたデータが取得された場合に複数キャリアモードに切り替える。また、基地局装置４００は、端末装置３００へ送信された送信割当情報に基づいて端末装置３００から送信されたデータが取得されてから一定時間が経過すると単一キャリアモードに切り替える。これにより、割当情報が正常に端末装置３００に受信されたことを確認してから通信モードを切り替えられるため、端末装置３００による通信モードの切替と合わせて基地局装置４００の通信モードを切り替えることができる。
【０１５２】
（実施の形態５）
（実施の形態５にかかる端末装置の構成）
図１７は、実施の形態５にかかる端末装置の構成を示すブロック図である。図１７において、図１２に示した構成と同様の構成については同一の符号を付して説明を省略する。図１７に示すように、実施の形態５にかかる端末装置３００は、図１２に示した端末装置３００の構成に加えてＤＲＸ制御部１７０１を備えている。
【０１５３】
制御チャネル復号部１２０２は、復号した制御チャネルをＤＲＸ制御部１７０１へ出力する。ＤＲＸ制御部１７０１は、制御チャネル復号部１２０２から出力された制御チャネルに基づいて動作するＤＲＸ休止タイマ（間欠受信休止タイマ）の機能を備えている。ＤＲＸ休止タイマは、端末装置３００のＤＲＸの休止期間を計時するタイマであり、たとえば、ＬＴＥに規定されたＤＲＸ  Ｉｎａｃｔｉｖｉｔｙ  ｔｉｍｅｒである。
【０１５４】
ＤＲＸ制御部１７０１は、ＤＲＸ休止タイマの動作中は、ＤＲＸを休止して常時制御チャネルを受信するように復調部３０３を制御する。また、ＤＲＸ制御部１７０１は、ＤＲＸ休止タイマの動作が終了すると、ＤＲＸを行うように復調部３０３を制御する。また、ＤＲＸ制御部１７０１は、ＤＲＸ休止タイマの動作状態を示すタイマ情報を、通信状態の変化を示す情報として取得する。ＤＲＸ制御部１７０１は、取得したタイマ情報をキャリア数切替部３０７へ出力する。
【０１５５】
キャリア数切替部３０７は、ＤＲＸ制御部１７０１から通知されるタイマ情報に基づいて端末装置３００の通信モードを切り替える。たとえば、キャリア数切替部３０７は、タイマ情報に基づいて、ＤＲＸ制御部１７０１のＤＲＸ休止タイマによるＤＲＸの休止期間の計時が開始されると通信モードを複数キャリアモードに切り替える。また、キャリア数切替部３０７は、タイマ情報に基づいて、ＤＲＸ休止タイマによるＤＲＸの休止期間の計時が終了すると通信モードを単一キャリアモードに切り替える。
【０１５６】
（実施の形態５にかかる基地局装置の構成）
実施の形態５にかかる基地局装置４００の構成には、たとえば、図９に示した基地局装置４００の構成を用いることができる。この場合は、基地局装置４００は、たとえば端末装置３００へＤＲＸ解除信号を送信することで、端末装置３００のＤＲＸ休止タイマの計時を開始させることができる。
【０１５７】
（実施の形態５にかかる端末装置の動作）
図１８は、実施の形態５にかかる端末装置の動作の一例を示すフローチャートである。端末装置３００（図１７参照）は、たとえば以下のような動作を行う。図１８に示すように、まず、キャリア数切替部３０７が、ＤＲＸ休止タイマによるＤＲＸの休止期間の計時が開始されたか否かを判断する（ステップＳ１８０１）。ＤＲＸ休止タイマによる計時が開始されていない場合（ステップＳ１８０１：Ｎｏ）はステップＳ１８０３へ移行する。
【０１５８】
ステップＳ１８０１において、ＤＲＸ休止タイマによる計時が開始された場合（ステップＳ１８０１：Ｙｅｓ）は、キャリア数切替部３０７が、端末装置３００の通信モードを複数キャリアモードに切り替える（ステップＳ１８０２）。つぎに、キャリア数切替部３０７が、ＤＲＸ休止タイマによるＤＲＸの休止期間の計時が終了したか否かを判断する（ステップＳ１８０３）。
【０１５９】
ステップＳ１８０３において、ＤＲＸ休止タイマによる計時が終了していない場合（ステップＳ１８０３：Ｎｏ）は、ステップＳ１８０１へ戻って処理を続行する。ＤＲＸ休止タイマによる計時が終了した場合（ステップＳ１８０３：Ｙｅｓ）は、キャリア数切替部３０７が、端末装置３００の通信モードを単一キャリアモードに切り替え（ステップＳ１８０４）、ステップＳ１８０１へ戻って処理を続行する。以上の動作を行うことで、端末装置３００は、タイマ情報に基づいて通信モードを切り替えることができる。
【０１６０】
（実施の形態５にかかる基地局装置の動作）
図１９は、実施の形態５にかかる基地局装置の動作の一例を示すフローチャートである。実施の形態５にかかる基地局装置４００（たとえば図９参照）は、たとえば以下のような動作を行う。図１９に示すように、まず、キャリア数切替部４１０が、端末装置３００におけるＤＲＸ休止タイマによるＤＲＸの休止期間の計時が開始されたか否かを判断する（ステップＳ１９０１）。ＤＲＸ休止タイマによる計時が開始されていない場合（ステップＳ１９０１：Ｎｏ）はステップＳ１９０３へ移行する。
【０１６１】
ステップＳ１９０１において、ＤＲＸ休止タイマによる計時が開始された場合（ステップＳ１９０１：Ｙｅｓ）は、キャリア数切替部４１０が、基地局装置４００の通信モードを複数キャリアモードに切り替える（ステップＳ１９０２）。つぎに、キャリア数切替部４１０が、端末装置３００におけるＤＲＸ休止タイマによるＤＲＸの休止期間の計時が終了したか否かを判断する（ステップＳ１９０３）。
【０１６２】
ステップＳ１９０３において、ＤＲＸ休止タイマによる計時が終了していない場合（ステップＳ１９０３：Ｎｏ）は、ステップＳ１９０１へ戻って処理を続行する。ＤＲＸ休止タイマによる計時が終了した場合（ステップＳ１９０３：Ｙｅｓ）は、キャリア数切替部４１０が、基地局装置４００の通信モードを単一キャリアモードに切り替え（ステップＳ１９０４）、ステップＳ１９０１へ戻って処理を続行する。
【０１６３】
ステップＳ１９０１において、基地局装置４００は、たとえば、端末装置３００へ送信したＤＲＸ設定信号に対するＡｃｋを受信したか否かによって、ＤＲＸ休止タイマによる計時が開始されたか否かを判断する。また、ステップＳ１９０３において、基地局装置４００は、たとえば、ＤＲＸ設定信号に対するＡｃｋを受信してから一定時間が経過したか否かによって、ＤＲＸ休止タイマによる計時が終了したか否かを判断する。
【０１６４】
このように、実施の形態５にかかる端末装置３００は、端末装置３００のＤＲＸの休止期間を計時するＤＲＸ休止タイマの動作状態を示すタイマ情報を取得し、取得されたタイマ情報に基づいて通信モードを切り替える。これにより、既存のタイマ情報を通信状態の変化を示す情報として利用できるため、新たな制御情報を基地局装置４００との間で送受信しなくても通信リソースを効率よく使用することができる。
【０１６５】
たとえば、ＤＲＸ休止タイマの計時中は基地局装置４００からデータが送信される可能性が高いため、端末装置３００は、ＤＲＸ休止タイマによる計時が開始された場合は複数キャリアモードに切り替えることで高いスループットによる通信を行うことができる。また、ＤＲＸ休止タイマの計時中以外は基地局装置４００からデータが送信される可能性が低いため、端末装置３００は、ＤＲＸ休止タイマによる計時が終了した場合は単一キャリアモードに切り替えることで消費電力を抑えることができる。
【０１６６】
（実施の形態６）
（実施の形態６にかかる端末装置の構成）
図２０は、実施の形態６にかかる端末装置の構成を示すブロック図である。図２０において、図８に示した構成と同様の構成については同一の符号を付して説明を省略する。ＲＲＣ情報解析部８０１は、論理チャネル解析部３０５から出力されたＲＲＣメッセージから、コネクトモードとアイドルモードとの切替情報を検出する。
【０１６７】
コネクトモードは、たとえばＬＴＥに規定されたｃｏｎｎｅｃｔｅｄ  ｍｏｄｅである。アイドルモードは、たとえばＬＴＥに規定されたｉｄｌｅ  ｍｏｄｅである。ＲＲＣ情報解析部８０１は、検出した切替情報を復調部３０３およびキャリア数切替部３０７へ出力する。復調部３０３は、ＲＲＣ情報解析部８０１から出力された切替情報に基づいてコネクトモードとアイドルモードとを切り替える。
【０１６８】
キャリア数切替部３０７は、ＲＲＣ情報解析部８０１から出力された切替情報に基づいて通信モードを切り替える。具体的には、キャリア数切替部３０７は、端末装置３００がコネクトモードのときは通信モードを複数キャリアモードに切り替える。また、キャリア数切替部３０７は、端末装置３００がアイドルモードのときは通信モードを複数キャリアモードに切り替える。
【０１６９】
（実施の形態６にかかる基地局装置の構成）
図２１は、実施の形態６にかかる基地局装置の構成を示すブロック図である。図２１において、図９に示した構成と同様の構成については同一の符号を付して説明を省略する。図２１に示すように、実施の形態６にかかる基地局装置４００は、図９に示したＤＲＸサイクル設定制御部９０１に代えてＲＲＣメッセージ生成部２１０１を備えている。
【０１７０】
スケジューラ部４０１は、スケジューリングにおいて、端末装置３００のコネクトモードとアイドルモードとの切替の決定を行う。スケジューラ部４０１は、スケジューリングの結果をＲＲＣメッセージ生成部２１０１および変調部４０５へ通知する。ＲＲＣメッセージ生成部２１０１は、スケジューラ部４０１から通知されたスケジューリングの結果に基づいて、コネクトモードとアイドルモードとの切替を示す切替情報を生成する。
【０１７１】
ＲＲＣメッセージ生成部２１０１は、生成した切替情報を含むＲＲＣメッセージを符号化部４０４へ出力する。符号化部４０４は、ＲＲＣメッセージ生成部２１０１から出力されたＲＲＣメッセージを、バイナリデータバッファ部４０３から出力されたデータに格納する。符号化部４０４は、ＲＲＣメッセージを格納したデータを符号化し、符号化したデータを変調部４０５へ出力する。
【０１７２】
ＲＦ処理部４０６は、アンテナ４０７から出力されたＲＲＣ完了信号の周波数を高周波からベースバンドに変換し、周波数を変換したＲＲＣ完了信号を復調部４０８へ出力する。復調部４０８は、ＲＦ処理部４０６から出力されたＲＲＣ完了信号を復調し、復調したＲＲＣ完了信号を復号部９０２へ出力する。
【０１７３】
復号部９０２は、復調部４０８から出力されたＲＲＣ完了信号を復号する。復号部９０２は、復号したＲＲＣ完了信号をＲＲＣ完了信号判定部９０３へ出力する。ＲＲＣ完了信号判定部９０３は、復号部９０２から出力されたＲＲＣ完了信号の判定を行う。たとえば、ＲＲＣ完了信号判定部９０３は、ＲＲＣ完了信号が、コネクトモードへの切替を要求する切替情報に対するＲＲＣ完了信号であるのか、またはアイドルモードへの切替を要求する切替情報に対するＲＲＣ完了信号であるのかを判定する。ＲＲＣ完了信号判定部９０３は、判定結果をキャリア数切替部４１０へ通知する。
【０１７４】
キャリア数切替部４１０は、ＲＲＣ完了信号判定部９０３から通知される判定結果に基づいて基地局装置４００の通信モードを切り替える。具体的には、キャリア数切替部４１０は、コネクトモードへの切替を要求する切替情報に対するＲＲＣ完了信号を取得した旨がＲＲＣ完了信号判定部９０３から通知されると、通信モードを複数キャリアモードに切り替える。また、キャリア数切替部４１０は、アイドルモードへの切替を要求する切替情報に対するＲＲＣ完了信号を取得した旨がＲＲＣ完了信号判定部９０３から通知されると、通信モードを単一キャリアモードに切り替える。
【０１７５】
（実施の形態６にかかる端末装置の動作）
図２２は、実施の形態６にかかる端末装置の動作の一例を示すフローチャートである。端末装置３００（図２０参照）は、たとえば以下のような動作を行う。図２２に示すように、まず、キャリア数切替部３０７が、端末装置３００がコネクトモードか否かを判断する（ステップＳ２２０１）。端末装置３００がコネクトモードでない場合（ステップＳ２２０１：Ｎｏ）は、ステップＳ２２０３へ移行する。
【０１７６】
ステップＳ２２０１において、端末装置３００がコネクトモードである場合（ステップＳ２２０１：Ｙｅｓ）は、キャリア数切替部３０７が、端末装置３００の通信モードを複数キャリアモードに切り替える（ステップＳ２２０２）。つぎに、キャリア数切替部３０７が、端末装置３００がアイドルモードか否かを判断する（ステップＳ２２０３）。
【０１７７】
ステップＳ２２０３において、端末装置３００がアイドルモードでない場合（ステップＳ２２０３：Ｎｏ）は、ステップＳ２２０１へ戻って処理を続行する。端末装置３００がアイドルモードである場合（ステップＳ２２０３：Ｙｅｓ）は、キャリア数切替部３０７が、端末装置３００の通信モードを単一キャリアモードに切り替え（ステップＳ２２０４）、ステップＳ２２０１へ戻って処理を続行する。以上の動作を行うことで、端末装置３００は、切替情報に基づいて通信モードを切り替えることができる。
【０１７８】
（実施の形態６にかかる基地局装置の動作）
図２３は、実施の形態６にかかる基地局装置の動作の一例を示すフローチャートである。基地局装置４００（図２１参照）は、たとえば以下のような動作を行う。図２３に示すように、まず、ＲＲＣ完了信号判定部９０３が、端末装置３００へ送信したコネクトモードへの切替を要求する切替情報に対するＲＲＣ完了信号を端末装置３００から受信したか否かを判断する（ステップＳ２３０１）。
【０１７９】
ステップＳ２３０１において、切替情報に対するＲＲＣ完了信号を受信していない場合（ステップＳ２３０１：Ｎｏ）は、ステップＳ２３０３へ移行する。切替情報に対するＲＲＣ完了信号に対するＲＲＣ完了信号を受信した場合（ステップＳ２３０１：Ｙｅｓ）は、スケジューラ部４０１が、基地局装置４００の通信モードを単一キャリアモードに切り替える（ステップＳ２３０２）。
【０１８０】
つぎに、ＲＲＣ完了信号判定部９０３が、端末装置３００へ送信したアイドルモードへの切替を要求する切替情報に対するＲＲＣ完了信号を端末装置３００から受信したか否かを判断する（ステップＳ２３０３）。切替情報に対するＲＲＣ完了信号を受信していない場合（ステップＳ２３０３：Ｎｏ）は、ステップＳ２３０１へ戻って処理を続行する。
【０１８１】
ステップＳ２３０３において、切替情報に対するＲＲＣ完了信号を受信した場合（ステップＳ２３０３：Ｙｅｓ）は、キャリア数切替部４１０が、通信モードを複数キャリアモードに切り替え（ステップＳ２３０４）、ステップＳ２３０１へ戻って処理を続行する。以上の動作を行うことで、基地局装置４００は、切替情報に基づいて端末装置３００から送信されたＲＲＣ完了信号に基づいて通信モードを切り替えることができる。
【０１８２】
このように、実施の形態６にかかる端末装置３００は、端末装置３００のコネクトモードとアイドルモードとの切替を示す切替情報を取得し、取得された切替情報に基づいて通信モードを切り替える。これにより、既存の切替情報を通信状態の変化を示す情報として利用できるため、新たな制御情報を基地局装置４００との間で送受信しなくても通信リソースを効率よく使用することができる。
【０１８３】
たとえば、端末装置３００がコネクトモードのときは基地局装置４００からデータが送信される可能性が高いため、端末装置３００は、コネクトモードのときは複数キャリアモードに切り替えることで高いスループットによる通信を行うことができる。また、端末装置３００がアイドルモードのときは基地局装置４００からデータが送信される可能性が低いため、端末装置３００は、アイドルモードのときは単一キャリアモードに切り替えることで消費電力を抑えることができる。
【０１８４】
実施の形態６にかかる基地局装置４００は、端末装置３００へ送信された切替情報に対する端末装置３００からのＲＲＣ完了信号を取得し、取得されたＲＲＣ完了信号に基づいて通信モードを切り替える。これにより、既存のＲＲＣ完了信号を通信状態の変化を示す情報として利用できるため、新たな制御情報を端末装置３００との間で送受信しなくても通信リソースを効率よく使用することができる。
【０１８５】
たとえば、基地局装置４００は、端末装置３００へ送信された、コネクトモードへの切替を要求する切替情報に対する端末装置３００からのＲＲＣ完了信号が取得された場合に複数キャリアモードに切り替える。また、基地局装置４００は、端末装置３００へ送信された、アイドルモードへの切替を要求する切替情報に対する端末装置３００からのＲＲＣ完了信号が取得された場合に単一キャリアモードに切り替える。
【０１８６】
これにより、各切替情報が正常に端末装置３００に受信されたことを確認してから通信モードを切り替えられるため、端末装置３００による通信モードの切替と合わせて基地局装置４００の通信モードを切り替えることができる。
【０１８７】
（実施の形態７）
（実施の形態７にかかる端末装置の構成）
図２４は、実施の形態７にかかる端末装置の構成を示すブロック図である。図２４において、図３に示した構成と同様の構成については同一の符号を付して説明を省略する。実施の形態７にかかる端末装置３００は、図３に示した構成に加えて、セルサーチ部２４０１と、レベル測定部２４０２と、セルリセレクション制御部２４０３と、コンポーネントキャリア決定部２４０４と、を備えている。
【０１８８】
アンテナ３０１は、基地局装置４００を含む複数の基地局装置から送信された各ＳＣＨ（Ｓｙｎｃｈｒｏｎｉｚａｔｉｏｎ  ｃｈａｎｎｅｌ）を受信してＲＦ処理部３０２へ出力する。ＲＦ処理部３０２は、アンテナ３０１から出力された各ＳＣＨの周波数を高周波からベースバンドに変換し、周波数を変換した各ＳＣＨを復調部３０３、セルサーチ部２４０１およびレベル測定部２４０２へ出力する。
【０１８９】
セルサーチ部２４０１は、ＲＦ処理部３０２から出力された各ＳＣＨに基づいて端末装置３００の周囲の基地局装置を検出するセルサーチを行う。セルサーチ部２４０１は、セルサーチによって検出された基地局装置をレベル測定部２４０２へ通知する。レベル測定部２４０２は、セルサーチ部２４０１から通知された各基地局装置について、ＲＦ処理部３０２から出力された各ＳＣＨのレベルを測定する。レベル測定部２４０２は、測定した基地局装置ごとのＳＣＨのレベルをセルリセレクション制御部２４０３へ通知する。
【０１９０】
セルリセレクション制御部２４０３は、レベル測定部２４０２から通知される基地局装置ごとのＳＣＨのレベルに基づいてセルリセレクションを行う。セルリセレクション制御部２４０３は、たとえばＬＴＥに規定されたセルリセレクションを行う。たとえば、セルリセレクション制御部２４０３は、端末装置３００が待ち受けしている基地局装置のＳＣＨのレベルと、その他の基地局装置のＳＣＨのレベルと、を比較する。
【０１９１】
そして、セルリセレクション制御部２４０３は、端末装置３００が待ち受けしている基地局装置のＳＣＨのレベルがその他の基地局装置のＳＣＨのレベルより低くなると、その他の基地局装置へのセルリセレクションを行う。この場合は、セルリセレクション制御部２４０３は、その他の基地局装置の信号を復調するように復調部３０３を制御するとともにセルリセレクションの決定結果をコンポーネントキャリア決定部２４０４へ通知する。
【０１９２】
コンポーネントキャリア決定部２４０４は、セルリセレクション制御部２４０３から通知されたセルリセレクションの決定結果に基づいて、端末装置３００の受信に用いるコンポーネントキャリアを決定する。また、コンポーネントキャリア決定部２４０４は、キャリア数切替部３０７によって切り替えられる通信モードに従って、端末装置３００の受信に用いるコンポーネントキャリアを決定する。コンポーネントキャリア決定部２４０４は、決定したコンポーネントキャリアを復調するように復調部３０３を制御する。
【０１９３】
ここで、コンポーネントキャリア決定部２４０４は、セルリセレクション後に使用するコンポーネントキャリアとして、セルリセレクション前に使用していた周波数と同じ周波数のコンポーネントキャリアを決定する。これにより、セルリセレクション後に使用するコンポーネントキャリアを簡単な処理によって決定することができる。
【０１９４】
つぎに、セルリセレクション後において、端末装置３００の通信モードを単一キャリアモードとする場合について説明する。この場合は、コンポーネントキャリア決定部２４０４は、使用するコンポーネントキャリアとして、セルリセレクション前に使用していた周波数と同じ周波数のコンポーネントキャリアを決定する。これにより、単一キャリアモードの場合に使用するコンポーネントキャリアを簡単な処理により決定することができる。
【０１９５】
ここでは、実施の形態２にかかる端末装置３００の構成（図３参照）に対してセルサーチ部２４０１、レベル測定部２４０２、セルリセレクション制御部２４０３およびコンポーネントキャリア決定部２４０４を設けて実施の形態７とした。これに対して、実施の形態３〜６のいずれかにかかる端末装置３００の構成に対してセルサーチ部２４０１、レベル測定部２４０２、セルリセレクション制御部２４０３およびコンポーネントキャリア決定部２４０４を設けて実施の形態７としてもよい。
【０１９６】
（実施の形態７にかかる端末装置の動作）
図２５は、実施の形態７にかかる端末装置の動作の一例を示すフローチャートである。端末装置３００（図２４参照）は、たとえば以下のような動作を行う。図２５に示すように、まず、セルリセレクション制御部２４０３が、セルリセレクションを行うための基準となるセルリセレクション基準を満たすか否かを判断し（ステップＳ２５０１）、セルリセレクション基準を満たすまで待つ（ステップＳ２５０１：Ｎｏのループ）。
【０１９７】
ステップＳ２５０１において、セルリセレクション基準を満たしている場合（ステップＳ２５０１：Ｙｅｓ）は、セルリセレクション制御部２４０３が、他の基地局装置への切替を行い（ステップＳ２５０２）、一連の動作を終了する。ステップＳ２５０１においては、セルリセレクション制御部２４０３は、たとえば端末装置３００が待ち受けしている基地局装置のＳＣＨのレベルと、その他の基地局装置のＳＣＨのレベルと、を比較する。
【０１９８】
そして、セルリセレクション制御部２４０３は、端末装置３００が待ち受けしている基地局装置のＳＣＨのレベルがその他の基地局装置のＳＣＨのレベルより低くなると、セルリセレクション基準を満たしたと判断する。以上のステップにより、端末装置３００は、セルリセレクション基準を満たした場合にセルリセレクションを行うことができる。
【０１９９】
図２６は、実施の形態７にかかる端末装置の動作の具体例を示す図である。図２６において、通信リソース２６１０は、セルリセレクション前の基地局装置と端末装置３００との通信における通信リソースを示している。通信リソース２６２０は、セルリセレクション後の基地局装置と端末装置３００との通信における通信リソースを示している。通信リソース２６１０および通信リソース２６２０において、横軸は周波数を示している。
【０２００】
符号２６０１に示すように、セルリセレクションを行う前は、端末装置３００は、通信リソース２６１０の周波数ｆ１に対応するコンポーネントキャリア２６１１によって基地局装置と通信を行っていたとする。つぎに、端末装置３００がセルリセレクションを行うと、符号２６０２に示すように、端末装置３００は、セルリセレクションを行う前に使用していた周波数ｆ１と同じ周波数ｆ１に対応するコンポーネントキャリア２６２１によって基地局装置と通信を行う。
【０２０１】
つぎに、端末装置３００の通信モードが複数キャリアモードに切り替わると、符号２６０３に示すように、端末装置３００は、コンポーネントキャリア２６２１を含む複数のコンポーネントキャリア（コンポーネントキャリア２６２１〜２６２３）を用いて基地局装置と通信を行う。つぎに、端末装置３００の通信モードが複数キャリアモードから単一キャリアモードに切り替わると、符号２６０４に示すように、端末装置３００は、コンポーネントキャリア２６２１を用いて基地局装置と通信を行う。
【０２０２】
このように、図２４に示した端末装置３００は、セルリセレクションの後に単一キャリアモードで受信するコンポーネントキャリアを、セルリセレクションの前に受信していたコンポーネントキャリアの周波数と同じ周波数のコンポーネントキャリアに決定する。これにより、セルリセレクションの後のコンポーネントキャリアの決定と、単一キャリアモードのときのコンポーネントキャリアの決定と、の処理を簡略化することができる。
【０２０３】
（実施の形態７にかかる端末装置の変形例）
図２７は、実施の形態７にかかる端末装置の変形例１を示すブロック図である。図２７において、図２４に示した構成と同様の構成については同一の符号を付して説明を省略する。図２７に示すように、実施の形態７にかかる端末装置３００は、図２４に示したセルリセレクション制御部２４０３に代えてハンドオーバ制御部２７０１を備えてもよい。
【０２０４】
レベル測定部２４０２は、測定した基地局装置ごとのＳＣＨのレベルをハンドオーバ制御部２７０１へ通知する。ハンドオーバ制御部２７０１は、レベル測定部２４０２から通知される基地局装置ごとのＳＣＨのレベルに基づいてハンドオーバを行う。ハンドオーバ制御部２７０１は、たとえばＬＴＥに規定されたハンドオーバを行う。たとえば、ハンドオーバ制御部２７０１は、端末装置３００が通信中の基地局装置のＳＣＨのレベルと、その他の基地局装置のＳＣＨのレベルと、を比較する。
【０２０５】
そして、ハンドオーバ制御部２７０１は、端末装置３００が通信中（たとえばコネクトモード）の基地局装置のＳＣＨのレベルがその他の基地局装置のＳＣＨのレベルより低くなると、その他の基地局装置へのハンドオーバを行う。この場合は、ハンドオーバ制御部２７０１は、その他の基地局装置の信号を復調するように復調部３０３を制御するとともに、ハンドオーバの決定結果をコンポーネントキャリア決定部２４０４へ通知する。
【０２０６】
コンポーネントキャリア決定部２４０４は、ハンドオーバ制御部２７０１から通知されたハンドオーバの決定結果に基づいて、端末装置３００の受信に用いるコンポーネントキャリアを決定する。また、コンポーネントキャリア決定部２４０４は、キャリア数切替部３０７によって切り替えられる通信モードに従って、端末装置３００の受信に用いるコンポーネントキャリアを決定する。コンポーネントキャリア決定部２４０４は、決定したコンポーネントキャリアを復調するように復調部３０３を制御する。
【０２０７】
ここで、コンポーネントキャリア決定部２４０４は、ハンドオーバ後に使用するコンポーネントキャリアとして、ハンドオーバ前に使用していた周波数と同じ周波数のコンポーネントキャリアを決定する。これにより、ハンドオーバ後に使用するコンポーネントキャリアを簡単な処理によって決定することができる。
【０２０８】
つぎに、ハンドオーバ後において、端末装置３００の通信モードを単一キャリアモードとする場合について説明する。この場合は、コンポーネントキャリア決定部２４０４は、使用するコンポーネントキャリアとして、ハンドオーバ前に使用していた周波数と同じ周波数のコンポーネントキャリアを決定する。これにより、単一キャリアモードの場合に使用するコンポーネントキャリアを簡単な処理により決定することができる。
【０２０９】
このように、図２７に示した端末装置３００は、ハンドオーバの後に単一キャリアモードで受信するコンポーネントキャリアを、ハンドオーバの前に受信していたコンポーネントキャリアの周波数と同じ周波数のコンポーネントキャリアに決定する。これにより、ハンドオーバの後のコンポーネントキャリアの決定と、単一キャリアモードのときのコンポーネントキャリアの決定と、の処理を簡略化することができる。
【０２１０】
図２８は、実施の形態７にかかる端末装置の変形例２を示すブロック図である。図２７において、図２４に示した構成と同様の構成については同一の符号を付して説明を省略する。図２７に示すように、実施の形態７にかかる端末装置３００は、図２４に示したセルリセレクション制御部２４０３に代えて再接続制御部２８０１を備えている。
【０２１１】
レベル測定部２４０２は、測定したレベルを基地局装置ごとに再接続制御部２８０１へ通知する。再接続制御部２８０１は、レベル測定部２４０２から出力される、通信中の基地局装置のＳＣＨのレベルに基づいて通信中のセルへの再接続を行う。再接続制御部２８０１は、たとえばＬＴＥに規定された再接続を行う。たとえば、再接続制御部２８０１は、端末装置３００が通信中の基地局装置のＳＣＨのレベルと所定の閾値とを比較する。
【０２１２】
そして、再接続制御部２８０１は、端末装置３００が通信中の基地局装置のＳＣＨのレベルが所定の閾値より低くなると、基地局装置への再接続を行う。この場合は、再接続制御部２８０１は、復調部３０３に対して再接続の処理を行うとともに、再接続の決定結果をコンポーネントキャリア決定部２４０４へ通知する。
【０２１３】
コンポーネントキャリア決定部２４０４は、再接続制御部２８０１から通知された再接続の決定結果に基づいて、端末装置３００の受信に用いるコンポーネントキャリアを決定する。コンポーネントキャリア決定部２４０４は、再接続後に使用するコンポーネントキャリアとして、再接続前に使用していた周波数と同じ周波数のコンポーネントキャリアを決定する。これにより、再接続後に使用するコンポーネントキャリアを簡単な処理によって決定することができる。
【０２１４】
つぎに、再接続制御部２８０１において、端末装置３００の通信モードを単一キャリアモードとする場合について説明する。この場合は、コンポーネントキャリア決定部２４０４は、使用するコンポーネントキャリアとして、再接続前に使用していた周波数と同じ周波数のコンポーネントキャリアを決定する。これにより、単一キャリアモードの場合に使用するコンポーネントキャリアを簡単な処理により決定することができる。
【０２１５】
このように、図２８に示した端末装置３００は、再接続の後に単一キャリアモードで受信するコンポーネントキャリアを、再接続の前に受信していたコンポーネントキャリアの周波数と同じ周波数のコンポーネントキャリアに決定する。これにより、再接続の後のコンポーネントキャリアの決定と、単一キャリアモードのときのコンポーネントキャリアの決定と、の処理を簡略化することができる。
【０２１６】
以上説明したように、通信装置、通信システムおよび通信方法によれば、通信リソースを効率よく使用することができる。なお、上述した実施の形態２〜７においては、通信キャリアとしてＬＴＥ−Ａｄｖａｎｃｅｄに規定されたコンポーネントキャリアを例示して説明した。ただし、通信キャリアには、コンポーネントキャリアに限らず、物理リソースを分割した通信キャリア全般を適用することができる。
【０２１７】
また、上述した各実施の形態においては、各通信装置が通信モードとして複数キャリアモードおよび単一キャリアモードを有する構成について説明した。ただし、各通信装置が有する複数の通信モードは、複数キャリアモードおよび単一キャリアモードに限らず、使用する通信キャリア数が異なる複数の通信モードであればよい。たとえば、上述した各通信装置は、複数キャリアモードの代わりに所定数の通信キャリアを使用する第一通信モードを有し、単一キャリアモードの代わりに上記所定数より少ない数の通信キャリアを使用する第二通信モードを有していてもよい。
【０２１８】
また、開示の通信装置、通信システムおよび通信方法は、たとえばＬＴＥ−ａｄｖａｎｃｅｄの通信方式に適用することができる。ただし、開示の通信装置、通信システムおよび通信方法は、ＬＴＥ−ａｄｖａｎｃｅｄの通信方式に限らず、データを複数の物理リソースに分割して伝送可能な通信方式全般に適用することができる。
【符号の説明】
【０２１９】
１００  通信システム
２０１〜２０３  通信キャリア
３０１，４０７  アンテナ
２６１０，２６２０  通信リソース
２６１１，２６２１〜２６２３  コンポーネントキャリア
ｔ１，ｔ２  期限
ｆ１〜ｆ４  周波数
【図１】
2010146673.tif 000003
【図２】
2010146673.tif 000004
【図３】
2010146673.tif 000005
【図４】
2010146673.tif 000006
【図５】
2010146673.tif 000007
【図６】
2010146673.tif 000008
【図７】
2010146673.tif 000009
【図８】
2010146673.tif 000010
【図９】
2010146673.tif 000011
【図１０】
2010146673.tif 000012
【図１１】
2010146673.tif 000013
【図１２】
2010146673.tif 000014
【図１３】
2010146673.tif 000015
【図１４】
2010146673.tif 000016
【図１５】
2010146673.tif 000017
【図１６】
2010146673.tif 000018
【図１７】
2010146673.tif 000019
【図１８】
2010146673.tif 000020
【図１９】
2010146673.tif 000021
【図２０】
2010146673.tif 000022
【図２１】
2010146673.tif 000023
【図２２】
2010146673.tif 000024
【図２３】
2010146673.tif 000025
【図２４】
2010146673.tif 000026
【図２５】
2010146673.tif 000027
【図２６】
2010146673.tif 000028
【図２７】
2010146673.tif 000029
【図２８】
2010146673.tif 000030
【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
複数の通信キャリアに分割して送信されたデータを受信可能であり、受信する通信キャリア数が異なる複数の通信モードを有する受信部と、
前記受信部の通信量の変化を示す情報を取得する取得部と、
前記取得部によって取得された情報に基づいて前記通信モードを切り替える切替部と、
を備えることを特徴とする通信装置。
【請求項２】
前記受信部は、受信する通信キャリアが複数の複数キャリアモードと、受信する通信キャリアが単一の単一キャリアモードと、を前記通信モードとして有し、
前記切替部は、前記複数キャリアモードと前記単一キャリアモードとを切り替えることを特徴とする請求項１に記載の通信装置。
【請求項３】
前記取得部は、ＲＲＣメッセージに含まれる所定の情報を前記受信部の通信状態の変化を示す情報として取得し、
前記切替部は、前記取得部によって取得された前記所定の情報に基づいて、前記複数キャリアモードから前記単一キャリアモードへ切り替えることを特徴とする請求項２に記載の通信装置。
【請求項４】
前記取得部は、自装置に対する通信リソースの割り当てを示す割当情報を取得し、
前記切替部は、前記取得部によって取得された割当情報に基づいて前記通信モードを切り替えることを特徴とする請求項１に記載の通信装置。
【請求項５】
前記受信部が通信するセルを移行するセルリセレクションを行う制御部と、
前記制御部によるセルリセレクションの後に前記単一キャリアモードで前記受信部が受信する通信キャリアを、前記制御部によるセルリセレクションの前に前記受信部が受信していた通信キャリアの周波数と同じ周波数の通信キャリアに決定する決定部と、
を備えることを特徴とする請求項２に記載の通信装置。
【請求項６】
前記受信部の通信中にセルを移行するハンドオーバを行う制御部と、
前記制御部によるハンドオーバの後に前記単一キャリアモードで前記受信部が受信する通信キャリアを、前記制御部によるハンドオーバの前に前記受信部が受信していた通信キャリアの周波数と同じ周波数の通信キャリアに決定する決定部と、
を備えることを特徴とする請求項２に記載の通信装置。
【請求項７】
前記受信部が通信するセルへの再接続を行う制御部と、
前記制御部による再接続の後に前記単一キャリアモードで前記受信部が受信する通信キャリアを、前記制御部による再接続の前に前記受信部が受信していた通信キャリアの周波数と同じ周波数の通信キャリアに決定する決定部と、
を備えることを特徴とする請求項２に記載の通信装置。
【請求項８】
データを複数の通信キャリアに分割して送信可能であり、送信する通信キャリア数が異なる複数の通信モードを有する送信部と、
前記送信部の通信量の変化を示す情報を取得する取得部と、
前記取得部によって取得された情報に基づいて前記通信モードを切り替える切替部と、
を備えることを特徴とする通信装置。
【請求項９】
データを複数の通信キャリアに分割して送信可能であり、送信する通信キャリア数が異なる複数の通信モードを有し、通信量に応じて前記通信モードを切り替える第一通信装置と、
前記第一通信装置によって複数の通信キャリアに分割して送信されたデータを受信可能であり、受信する通信キャリア数が異なる複数の通信モードを有し、通信量に応じて前記通信モードを切り替える第二通信装置と、
を含むことを特徴とする通信システム。
【請求項１０】
データを複数の通信キャリアに分割して送信可能であり、送信する通信キャリア数が異なる複数の通信モードを有し、通信量に応じて前記通信モードを切り替える第一通信工程と、
前記第一通信工程によって複数の通信キャリアに分割して送信されたデータを受信可能であり、受信する通信キャリア数が異なる複数の通信モードを有し、通信量に応じて前記通信モードを切り替える第二通信工程と、
を含むことを特徴とする通信方法。
【請求項１１】
複数の通信キャリアを用いて通信する第１モードにより基地局との無線通信を行う端末装置において、
前記基地局から送信されるデータを、前記第１モードから、単一の通信キャリアを用いて通信する第２モードへの切り替えに基づいて受信する受信部と、
前記第２モードにおいて前記基地局から他の基地局へのハンドオーバの処理を実行するハンドオーバ制御部と、
を備えることを特徴とする端末装置。
【手続補正２】
【補正対象書類名】明細書
【補正対象項目名】全文
【補正方法】変更
【補正の内容】
【発明の詳細な説明】
【技術分野】
【０００１】
この発明は、通信を行う通信装置、通信システム、通信方法および端末装置に関する。
【背景技術】
【０００２】
標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（Ｌｏｎｇ  Ｔｅｒｍ  Ｅｖｏｌｕｔｉｏｎ）−Ａｄｖａｎｃｅｄの仕様化が進められている。ＬＴＥ−Ａｄｖａｎｃｅｄでは、ＬＴＥのシステムキャリア（たとえば最大２０ＭＨｚ）をコンポーネントキャリアと定義し、コンポーネントキャリアを複数束ねることでより高いスループットを得ることが検討されている。
【０００３】
また、どのような回線状態にあっても最適な通信速度での通信を保証することができる無線データ通信方法および装置を提供するために、マルチリンク方法により複数の回線を用いて無線データ通信を行う無線データ通信装置であって、回線状態を監視して得られた監視情報によりデータパスを切り替えて回線選択を行う安定化部を有する無線データ通信方法が開示されている（たとえば、下記特許文献１参照。）。
【０００４】
また、基地局装置と交換局とを接続する有線回線が、前記複数の端末がチャネルを共通に使用することができる共用チャネルと、１つの端末のみが使用できる専用チャネルとからなり、端末から転送されるデータの量が所定値以上である場合に、前記端末に専用チャネルを割り当て、該専用チャネルを用いたデータ転送に際して、前記端末から転送されるデータが、転送データ量過多により待たされ、該待ち合わせデータの量が予め定められた遅延データ量発生値以上である場合、前記端末に新たに別の専用チャネルを割り当て、待ち合わせデータの量が、予め定められた遅延データ量復旧値以下になるまで、前記専用チャネルと前記追加専用チャネルとを用いてデータを転送するパケット転送方法が開示されている（たとえば、下記特許文献２参照。）。
【先行技術文献】
【特許文献】
【０００５】
【特許文献１】特開２０００−１７４７７０号公報
【特許文献２】特開２００１−０２４７０６号公報
【発明の概要】
【発明が解決しようとする課題】
【０００６】
しかしながら、上述した従来技術では、物理リソースを効率よく使用することができないという問題がある。たとえば、伝送するデータが無い場合、または伝送するデータが少ない場合にも複数のコンポーネントキャリアを送受信すると消費電力の無駄が生ずる。
【０００７】
特に、受信側の通信装置においては、伝送するデータが無い場合、または伝送するデータが少ない場合にも、データが格納されているか否かを確認するために複数のコンポーネントキャリアを受信するため、消費電力の無駄が大きい。また、ＬＴＥ−Ａｄｖａｎｃｅｄに規定されたコンポーネントキャリアに限らず、データを複数の通信キャリアに分割して伝送する通信方式全般においても同様の問題がある。
【０００８】
本発明の一側面では、物理リソースを効率よく使用することを目的とする。
【課題を解決するための手段】
【０００９】
第１の案では、複数の通信キャリアに分割して送信されたデータを受信可能であり、受信する通信キャリア数が異なる複数の通信モードを有する受信部と、前記受信部の通信量の変化を示す情報を取得する取得部と、前記取得部によって取得された情報に基づいて前記通信モードを切り替える切替部と、を備える通信装置を用いることとする。
【発明の効果】
【００１０】
本発明によれば、物理リソースを効率よく使用することができるという効果を奏する。
【図面の簡単な説明】
【００１１】
【図１】実施の形態１にかかる通信システムの構成を示すブロック図である。
【図２】通信システムにおいて使用される通信キャリアを示す図である。
【図３】実施の形態２にかかる端末装置の構成を示すブロック図である。
【図４】実施の形態２にかかる基地局装置の構成を示すブロック図である。
【図５】実施の形態２にかかる端末装置の動作の一例を示すフローチャートである。
【図６】実施の形態２にかかる基地局装置の動作の一例を示すフローチャートである。
【図７】実施の形態２にかかる通信システムの動作の一例を示すシーケンス図である。
【図８】実施の形態３にかかる端末装置の構成を示すブロック図である。
【図９】実施の形態３にかかる基地局装置の構成を示すブロック図である。
【図１０】実施の形態３にかかる端末装置の動作の一例を示すフローチャートである。
【図１１】実施の形態３にかかる基地局装置の動作の一例を示すフローチャートである。
【図１２】実施の形態４にかかる端末装置の構成を示すブロック図である。
【図１３】実施の形態４にかかる基地局装置の構成を示すブロック図である。
【図１４】実施の形態４にかかる端末装置の動作の一例を示すフローチャートである。
【図１５】実施の形態４にかかる基地局装置の動作の一例を示すフローチャートである。
【図１６】実施の形態４にかかる通信システムの動作の一例を示すシーケンス図である。
【図１７】実施の形態５にかかる端末装置の構成を示すブロック図である。
【図１８】実施の形態５にかかる端末装置の動作の一例を示すフローチャートである。
【図１９】実施の形態５にかかる基地局装置の動作の一例を示すフローチャートである。
【図２０】実施の形態６にかかる端末装置の構成を示すブロック図である。
【図２１】実施の形態６にかかる基地局装置の構成を示すブロック図である。
【図２２】実施の形態６にかかる端末装置の動作の一例を示すフローチャートである。
【図２３】実施の形態６にかかる基地局装置の動作の一例を示すフローチャートである。
【図２４】実施の形態７にかかる端末装置の構成を示すブロック図である。
【図２５】実施の形態７にかかる端末装置の動作の一例を示すフローチャートである。
【図２６】実施の形態７にかかる端末装置の動作の具体例を示す図である。
【図２７】実施の形態７にかかる端末装置の変形例１を示すブロック図である。
【図２８】実施の形態７にかかる端末装置の変形例２を示すブロック図である。
【発明を実施するための形態】
【００１２】
以下に添付図面を参照して、この通信装置、通信システム、通信方法および端末装置の好適な実施の形態を詳細に説明する。
【００１３】
（実施の形態１）
（実施の形態１にかかる通信システムの構成）
図１は、実施の形態１にかかる通信システムの構成を示すブロック図である。図１に示すように、実施の形態１にかかる通信システム１００は、第一通信装置１１０と、第二通信装置１２０と、を含んでいる。ここでは、第一通信装置１１０および第二通信装置１２０において、第一通信装置１１０から第二通信装置１２０へデータを送信するための構成について説明する。ただし、第一通信装置１１０および第二通信装置１２０は、第二通信装置１２０から第一通信装置１１０へデータを送信するための構成を備えていてもよい。
【００１４】
第一通信装置１１０は、送信部１１１と、取得部１１２と、切替部１１３と、を備えている。送信部１１１は、データを複数の通信キャリアに分割して送信可能であり、送信する通信キャリア数が異なる複数の通信モードを有する。たとえば、送信部１１１は、複数キャリアモードおよび単一キャリアモードを通信モードとして有する。
【００１５】
複数キャリアモードは、送信する通信キャリアが複数の通信モードである。送信部１１１は、複数キャリアモードのときは、データを複数の通信キャリアに分割して送信する。単一キャリアモードは、送信する通信キャリアが単一の通信モードである。送信部１１１は、単一キャリアモードのときは、データを単一のキャリアにより送信する。
【００１６】
取得部１１２は、送信部１１１の通信状態の変化を示す情報を取得する。送信部１１１の通信状態の変化とは、たとえば、送信部１１１が送信するデータの量の変化である。または、送信部１１１の通信状態の変化は、送信部１１１が送信するデータの有無の変化であってもよい。取得部１１２は、取得した情報を切替部１１３へ出力する。
【００１７】
切替部１１３は、取得部１１２によって取得された情報に基づいて送信部１１１の通信モードを切り替える。たとえば、切替部１１３は、送信部１１１が送信するデータの量が所定量より大きくなる旨の情報が取得部１１２から出力されると、送信部１１１の通信モードを複数キャリアモードに切り替える。また、切替部１１３は、送信部１１１が送信するデータの量が所定量以下になる旨の情報が取得部１１２から出力されると、送信部１１１の通信モードを単一キャリアモードに切り替える。
【００１８】
または、切替部１１３は、送信部１１１が送信するデータが有る旨の情報が取得部１１２から出力されると、送信部１１１の通信モードを複数キャリアモードに切り替えるようにしてもよい。また、切替部１１３は、送信部１１１が送信するデータが無い旨の情報が取得部１１２から出力されると、送信部１１１の通信モードを単一キャリアモードに切り替えるようにしてもよい。
【００１９】
第二通信装置１２０は、受信部１２１と、取得部１２２と、切替部１２３と、を備えている。受信部１２１は、複数の通信キャリアに分割して送信されたデータを受信可能であり、受信する通信キャリア数が異なる複数の通信モードを有する。たとえば、受信部１２１は、複数キャリアモードおよび単一キャリアモードを通信モードとして有する。
【００２０】
複数キャリアモードは、受信する通信キャリアが複数の通信モードである。受信部１２１は、複数キャリアモードのときは、複数の通信キャリアに分割して送信されたデータを受信する。単一キャリアモードは、受信する通信キャリアが単一の通信モードである。受信部１２１は、単一キャリアモードのときは、単一の通信キャリアにより送信されたデータを受信する。
【００２１】
取得部１２２は、受信部１２１の通信状態の変化を示す情報を取得する。受信部１２１の通信状態の変化とは、たとえば、受信部１２１が受信するデータの量の変化である。または、受信部１２１の通信状態の変化は、受信部１２１が受信するデータの有無の変化であってもよい。取得部１２２は、取得した情報を切替部１２３へ出力する。
【００２２】
切替部１２３は、取得部１２２によって取得された情報に基づいて受信部１２１の通信モードを切り替える。たとえば、切替部１２３は、受信部１２１が受信するデータの量が所定量より大きくなる旨の情報が取得部１２２から出力されると、受信部１２１の通信モードを複数キャリアモードに切り替える。また、切替部１２３は、受信部１２１が受信するデータの量が所定量以下になる旨の情報が取得部１２２から出力されると、受信部１２１の通信モードを単一キャリアモードに切り替える。
【００２３】
または、切替部１２３は、受信部１２１が受信するデータが有る旨の情報が取得部１２２から出力されると、受信部１２１の通信モードを複数キャリアモードに切り替えるようにしてもよい。この場合は、切替部１２３は、受信部１２１が受信するデータが無い旨の情報が取得部１２２から出力されると、受信部１２１の通信モードを単一キャリアモードに切り替える。
【００２４】
（各通信装置のハードウェア構成）
第一通信装置１１０の送信部１１１は、たとえば、アンテナや通信制御回路などの無線通信インターフェースにより実現される。第一通信装置１１０の取得部１１２は、たとえば、ＤＳＰ（Ｄｉｇｉｔａｌ  Ｓｉｇｎａｌ  Ｐｒｏｃｅｓｓｏｒ）などの情報処理手段により実現される。取得部１１２は、取得した情報を第一通信装置１１０のメモリに記憶する。第一通信装置１１０の切替部１１３は、たとえば、ＤＳＰなどの情報処理手段により実現される。切替部１１３は、取得部１１２によりメモリに記憶された情報を読み出し、読み出した情報に基づいて通信モードを切り替える。
【００２５】
第二通信装置１２０の受信部１２１は、たとえば、アンテナや通信制御回路などの無線通信インターフェースにより実現される。第二通信装置１２０の取得部１２２は、たとえば、ＤＳＰなどの情報処理手段により実現される。取得部１２２は、取得した情報を第二通信装置１２０のメモリに記憶する。第二通信装置１２０の切替部１２３は、たとえば、ＤＳＰなどの情報処理手段により実現される。切替部１２３は、取得部１２２によりメモリに記憶された情報を読み出し、読み出した情報に基づいて通信モードを切り替える。
【００２６】
（通信システムにおいて使用される通信キャリア）
図２は、通信システムにおいて使用される通信キャリアを示す図である。図２において、横軸は周波数を示している。通信キャリア２０１〜２０３のそれぞれは、周波数によって分割されたシステムキャリアを示している。第一通信装置１１０の送信部１１１は、複数キャリアモードのときは、たとえばデータを通信キャリア２０１〜２０３のそれぞれに分割して送信する。また、第一通信装置１１０の送信部１１１は、単一キャリアモードのときは、たとえばデータを通信キャリア２０１によって送信する。
【００２７】
第二通信装置１２０の受信部１２１は、複数キャリアモードのときは、たとえば通信キャリア２０１〜２０３に分割して送信されたデータを受信する。また、第一通信装置１１０の送信部１１１は、単一キャリアモードのときは、たとえば通信キャリア２０１によって送信されたデータを受信する。
【００２８】
このように、実施の形態１にかかる通信システム１００は、通信状態に応じて、コンポーネントキャリア数が異なる複数の通信モードを切り替える。これにより、伝送するデータ量が多い場合は、コンポーネントキャリア数が多い通信モード（たとえば複数キャリアモード）に切り替えることで高いスループットによる通信を行うことができる。
【００２９】
また、伝送するデータが無い場合、または少ない場合は、コンポーネントキャリア数が少ない通信モード（たとえば単一キャリアモード）に切り替えることで第一通信装置１１０および第二通信装置１２０の消費電力を抑えることができる。このように、通信システム１００によれば、通信リソースを効率よく使用することができる。
【００３０】
（実施の形態２）
（実施の形態２にかかる端末装置の構成）
図３は、実施の形態２にかかる端末装置の構成を示すブロック図である。図３に示すように、実施の形態２にかかる端末装置３００は、アンテナ３０１と、ＲＦ処理部３０２と、復調部３０３と、復号部３０４と、論理チャネル解析部３０５と、送信タイミング制御部３０６と、キャリア数切替部３０７と、Ａｃｋ／Ｎａｃｋ生成部３０８と、符号化部３０９と、変調部３１０と、を備えている。
【００３１】
端末装置３００は、たとえば図１に示した第二通信装置１２０に対応する構成である。また、端末装置３００は、たとえばＬＴＥ−Ａｄｖａｎｃｅｄに対応する端末装置である。端末装置３００は、複数のコンポーネントキャリア（通信キャリア）に分割して送信されたデータを受信可能であり、受信する通信キャリア数が異なる複数の通信モードを有する。たとえば、端末装置３００は、受信する通信キャリアが複数の複数キャリアモードと、受信する通信キャリアが単一の単一キャリアモードと、を通信モードとして有する。
【００３２】
アンテナ３０１、ＲＦ処理部３０２、復調部３０３および復号部３０４は、たとえば図１に示した受信部１２１に対応する構成である。論理チャネル解析部３０５は、たとえば図１に示した取得部１２２に対応する構成である。キャリア数切替部３０７は、たとえば図１に示した切替部１２３に対応する構成である。
【００３３】
アンテナ３０１は、基地局装置（たとえば図４の基地局装置４００）との間で無線通信を行うためのアンテナである。具体的には、アンテナ３０１は、基地局装置から送信された信号を受信してＲＦ処理部３０２へ出力する。また、アンテナ３０１は、ＲＦ処理部３０２から出力された送達確認信号（ＡｃｋまたはＮａｃｋ）を基地局装置へ送信する。
【００３４】
ＲＦ処理部３０２は、アンテナ３０１から出力された信号の周波数を高周波（ＲＦ：Ｒａｄｉｏ  Ｆｒｅｑｕｅｎｃｙ）からベースバンドに変換し、周波数を変換した信号を復調部３０３へ出力する。また、ＲＦ処理部３０２は、変調部３１０から出力された送達確認信号の周波数をベースバンドから高周波に変換し、周波数を変換した送達確認信号をアンテナ３０１へ出力する。
【００３５】
復調部３０３は、ＲＦ処理部３０２から出力された信号を復調し、復調した信号を復号部３０４へ出力する。復号部３０４は、復調部３０３から出力された信号を復号し、復号により得られたデータを論理チャネル解析部３０５へ出力する。たとえば、復号部３０４は、信号の誤り訂正復号（ＦＥＣ：Ｆｏｒｗａｒｄ  Ｅｒｒｏｒ  Ｃｏｒｒｅｃｔｉｏｎ）を行い、誤り訂正復号の結果をＡｃｋ／Ｎａｃｋ生成部３０８へ通知する。
【００３６】
論理チャネル解析部３０５は、復号部３０４から出力されたデータの論理チャネル解析を行う。たとえば、論理チャネル解析部３０５は、データに含まれるバイナリデータを取得して、取得したバイナリデータを後段へ出力する。バイナリデータは、たとえば基地局装置から送信されたユーザデータである。また、論理チャネル解析部３０５は、データに含まれるタイミングコマンドを、通信状態の変化を示す情報として取得する。
【００３７】
具体的には、論理チャネル解析部３０５は、データの論理チャネルＩＤが格納された領域からタイミングコマンドを示すＩＤを検出し、検出したＩＤに対応する領域からタイミングコマンドを取得する。タイミングコマンドは、端末装置３００が基地局装置へデータを送信するタイミングを示すコマンドである。
【００３８】
たとえば、タイミングコマンドは、前回の端末装置３００の送信タイミングからの差分によって示される。また、タイミングコマンドには有効期限が設けられている。有効期限の長さは、たとえば、端末装置３００が基地局装置へ最初に接続したときに基地局装置によって設定される。論理チャネル解析部３０５は、取得したタイミングコマンドを送信タイミング制御部３０６へ出力する。
【００３９】
送信タイミング制御部３０６は、論理チャネル解析部３０５から出力されたタイミングコマンドに基づいて端末装置３００によるデータ（ユーザデータ）の送信タイミングを制御する。ただし、図３においては、端末装置３００からデータを送信する構成については図示を省略している。また、送信タイミング制御部３０６は、タイミングコマンドが取得された旨をキャリア数切替部３０７へ通知する。
【００４０】
キャリア数切替部３０７は、タイミングコマンドの有効期限を計時する同期タイマの機能を備えている。キャリア数切替部３０７は、タイミングコマンドが取得された旨が送信タイミング制御部３０６から通知されると、同期タイマによる有効期限の計時を開始させる。そして、キャリア数切替部３０７は、同期タイマによって計時されるタイミングコマンドの有効期限に基づいて端末装置３００の通信モードを切り替える。
【００４１】
具体的には、キャリア数切替部３０７は、タイミングコマンドの有効期限内においては通信モードを複数キャリアモードに設定する。また、キャリア数切替部３０７は、タイミングコマンドの有効期限外においては通信モードを単一キャリアモードに設定する。
【００４２】
たとえば、キャリア数切替部３０７は、複数のコンポートキャリアによる受信動作を行う設定をＲＦ処理部３０２および復調部３０３に対して行うことで通信モードを複数キャリアモードに設定する。また、キャリア数切替部３０７は、単一のコンポートキャリアによる受信動作を行う設定をＲＦ処理部３０２および復調部３０３に対して行うことで通信モードを単一キャリアモードに設定する。
【００４３】
Ａｃｋ／Ｎａｃｋ生成部３０８は、復号部３０４から通知された誤り訂正復号の結果に基づいて送達確認信号を生成する。たとえば、Ａｃｋ／Ｎａｃｋ生成部３０８は、復号部３０４から誤りがなかった旨または誤り訂正に成功した旨が通知されるとＡｃｋを生成し、誤り訂正に失敗した旨が通知されるとＮａｃｋを生成する。Ａｃｋ／Ｎａｃｋ生成部３０８は、生成した送達確認信号を符号化部３０９へ出力する。
【００４４】
符号化部３０９は、Ａｃｋ／Ｎａｃｋ生成部３０８から出力された送達確認信号を符号化する。符号化部３０９は、符号化した送達確認信号を変調部３１０へ出力する。変調部３１０は、符号化部３０９から出力された送達確認信号を変調する。変調部３１０は、変調した送達確認信号をＲＦ処理部３０２へ出力する。
【００４５】
（実施の形態２にかかる基地局装置の構成）
図４は、実施の形態２にかかる基地局装置の構成を示すブロック図である。図４に示すように、実施の形態２にかかる基地局装置４００は、スケジューラ部４０１と、送信タイミング制御部４０２と、バイナリデータバッファ部４０３と、符号化部４０４と、変調部４０５と、ＲＦ処理部４０６と、アンテナ４０７と、復調部４０８と、Ａｃｋ／Ｎａｃｋ判定部４０９と、キャリア数切替部４１０と、を備えている。
【００４６】
基地局装置４００は、たとえば図１に示した第一通信装置１１０に対応する構成である。また、基地局装置４００は、たとえばＬＴＥ−Ａｄｖａｎｃｅｄに対応する基地局装置である。基地局装置４００は、データを複数のコンポーネントキャリア（通信キャリア）に分割して送信可能であり、送信する通信キャリア数が異なる複数の通信モードを有する。たとえば、基地局装置４００は、送信する通信キャリアが複数の複数キャリアモードと、送信する通信キャリアが単一の単一キャリアモードと、を通信モードとして有する。
【００４７】
スケジューラ部４０１、送信タイミング制御部４０２、符号化部４０４、変調部４０５、ＲＦ処理部４０６およびアンテナ４０７は、たとえば図１に示した送信部１１１に対応する構成である。復調部４０８およびＡｃｋ／Ｎａｃｋ判定部４０９は、たとえば図１に示した取得部１１２に対応する構成である。キャリア数切替部４１０は、たとえば図１に示した切替部１１３に対応する構成である。
【００４８】
スケジューラ部４０１は、端末装置３００と基地局装置４００との間における通信のスケジューリングを行う。たとえば、スケジューラ部４０１は、基地局装置４００から各端末装置へ送信するデータのビット数などを決定する。また、スケジューラ部４０１は、キャリア数切替部４１０によって設定される基地局装置４００の通信モードに基づいて、各通信において使用するコンポーネントキャリアを決定する。
【００４９】
たとえば、スケジューラ部４０１は、キャリア数切替部４１０によって複数キャリアモードに設定されているときは、複数のコンポートキャリアを使用してデータを送信するようにスケジューリングを行う。また、スケジューラ部４０１は、キャリア数切替部４１０によって単一キャリアモードに設定されているときは、単一のコンポートキャリアを使用してデータを送信するようにスケジューリングを行う。
【００５０】
スケジューラ部４０１は、スケジューリングの結果を送信タイミング制御部４０２および変調部４０５へ通知する。また、スケジューラ部４０１は、スケジューリングの結果に基づいてバイナリデータバッファ部４０３へデータの出力指示を出力する。バイナリデータバッファ部４０３には、端末装置３００へ送信するためのデータ（バイナリデータ）が格納される。バイナリデータバッファ部４０３は、スケジューラ部４０１から出力指示が出力されると、格納されたデータを符号化部４０４へ出力する。
【００５１】
送信タイミング制御部４０２は、スケジューラ部４０１から通知されたスケジューリングの結果に基づいて、基地局装置４００から送信するデータに対する送達確認信号を端末装置３００が送信するタイミングを示すタイミングコマンドを生成する。送信タイミング制御部４０２は、生成したタイミングコマンドを符号化部４０４へ出力する。
【００５２】
符号化部４０４は、送信タイミング制御部４０２から出力されたタイミングコマンドを、バイナリデータバッファ部４０３から出力されたデータに格納する。そして、符号化部４０４は、タイミングコマンドを格納したデータを符号化し、符号化したデータを変調部４０５へ出力する。変調部４０５は、符号化部４０４から出力されたデータを変調し、変調により得られた信号をＲＦ処理部４０６へ出力する。
【００５３】
また、変調部４０５は、スケジューラ部４０１から通知されるスケジューリングの結果が示すコンポーネントキャリアに対応する通信リソース（物理リソース）によってデータを変調する。たとえば、変調部４０５は、複数のコンポーネントキャリアに分割してデータを送信する旨が通知された場合は、複数のコンポーネントキャリアに対応する各通信リソースによってデータの変調を行う。また、変調部４０５は、単一のコンポーネントキャリアによりデータを送信する旨が通知された場合は、単一のコンポーネントキャリアに対応する通信リソースによってデータの変調を行う。
【００５４】
ＲＦ処理部４０６は、変調部４０５から出力された信号の周波数をベースバンドから高周波に変換し、周波数を変換した信号をアンテナ４０７へ出力する。また、ＲＦ処理部４０６は、アンテナ４０７から出力された送達確認信号の周波数を高周波からベースバンドに変換し、周波数を変換した送達確認信号を復調部４０８へ出力する。
【００５５】
アンテナ４０７は、端末装置３００との間で無線通信を行うためのアンテナである。具体的には、アンテナ４０７は、端末装置３００から送信された送達確認信号を受信してＲＦ処理部４０６へ出力する。また、アンテナ４０７は、ＲＦ処理部４０６から出力された信号を端末装置３００へ送信する。
【００５６】
復調部４０８は、ＲＦ処理部４０６から出力された送達確認信号を復調し、復調した送達確認信号をＡｃｋ／Ｎａｃｋ判定部４０９へ出力する。Ａｃｋ／Ｎａｃｋ判定部４０９は、復調部４０８から出力された送達確認信号を判定する。たとえば、Ａｃｋ／Ｎａｃｋ判定部４０９は、送達確認信号がいずれの信号に対するものであるかの判定や、送達確認信号がＡｃｋおよびＮａｃｋのいずれであるかの判定を行う。Ａｃｋ／Ｎａｃｋ判定部４０９は、判定結果をキャリア数切替部４１０へ通知する。
【００５７】
キャリア数切替部４１０は、Ａｃｋ／Ｎａｃｋ判定部４０９から通知される判定結果に基づいて基地局装置４００の通信モードを切り替える。具体的には、キャリア数切替部４１０は、タイミングコマンドに対するＡｃｋを受信した旨の判定結果がＡｃｋ／Ｎａｃｋ判定部４０９から通知されると、通信モードを複数キャリアモードに切り替える。
【００５８】
また、キャリア数切替部４１０は、基地局装置４００から端末装置３００へ送信されたタイミングコマンドの有効期限を計時する同期タイマの機能を備えている。キャリア数切替部４１０は、同期タイマに基づいて、タイミングコマンドの有効期限外になると、通信モードを単一キャリアモードに切り替える。
【００５９】
具体的には、キャリア数切替部４１０は、複数のコンポートキャリアによるスケジューリングを行う設定をスケジューラ部４０１に対して行うことで、基地局装置４００の通信モードを複数キャリアモードに設定する。また、キャリア数切替部４１０は、単一のコンポートキャリアによるスケジューリングを行う設定をスケジューラ部４０１に対して行うことで、基地局装置４００の通信モードを単一キャリアモードに設定する。
【００６０】
（実施の形態２にかかる端末装置の動作）
図５は、実施の形態２にかかる端末装置の動作の一例を示すフローチャートである。端末装置３００（図３参照）は、たとえば以下のような動作を行う。図５に示すように、まず、キャリア数切替部３０７が、基地局装置４００からのタイミングコマンドを受信したか否かを判断する（ステップＳ５０１）。タイミングコマンドを受信していない場合（ステップＳ５０１：Ｎｏ）は、ステップＳ５０４へ移行する。
【００６１】
ステップＳ５０１においてタイミングコマンドを受信した場合（ステップＳ５０１：Ｙｅｓ）は、キャリア数切替部３０７が、タイミングコマンドの有効期限を計時する同期タイマの動作を開始させる（ステップＳ５０２）。つぎに、キャリア数切替部３０７が、端末装置３００の通信モードを複数キャリアモードに切り替える（ステップＳ５０３）。つぎに、キャリア数切替部３０７が、ステップＳ５０２によって動作を開始された同期タイマの期限が切れたか否かを判断する（ステップＳ５０４）。
【００６２】
ステップＳ５０４において、同期タイマの期限が切れていない場合（ステップＳ５０４：Ｎｏ）は、ステップＳ５０１へ戻って処理を続行する。同期タイマの期限が切れた場合（ステップＳ５０４：Ｙｅｓ）は、キャリア数切替部３０７が、端末装置３００の通信モードを単一キャリアモードに切り替え（ステップＳ５０５）、ステップＳ５０１へ戻って処理を続行する。以上の動作を行うことで、端末装置３００は、取得されたタイミングコマンドの有効期限に基づいて通信モードを切り替えることができる。
【００６３】
（実施の形態２にかかる基地局装置の動作）
図６は、実施の形態２にかかる基地局装置の動作の一例を示すフローチャートである。基地局装置４００（図４参照）は、たとえば以下のような動作を行う。図６に示すように、まず、Ａｃｋ／Ｎａｃｋ判定部４０９が、端末装置３００へ送信したタイミングコマンドに対するＡｃｋを受信したか否かを判断する（ステップＳ６０１）。Ａｃｋを受信していない場合（ステップＳ６０１：Ｎｏ）は、ステップＳ６０４へ移行する。
【００６４】
ステップＳ６０１において、タイミングコマンドに対するＡｃｋを受信した場合（ステップＳ６０１：Ｙｅｓ）は、キャリア数切替部４１０が、タイミングコマンドの有効期限を計時する同期タイマの動作を開始させる（ステップＳ６０２）。つぎに、キャリア数切替部４１０が、通信モードを複数キャリアモードに切り替える（ステップＳ６０３）。つぎに、キャリア数切替部４１０が、ステップＳ６０２によって動作を開始された同期タイマの期限が切れたか否かを判断する（ステップＳ６０４）。
【００６５】
ステップＳ６０４において、同期タイマの期限が切れていない場合（ステップＳ６０４：Ｎｏ）は、ステップＳ６０１へ戻って処理を続行する。同期タイマの期限が切れた場合（ステップＳ６０４：Ｙｅｓ）は、キャリア数切替部４１０が、通信モードを単一キャリアモードに切り替え（ステップＳ６０５）、ステップＳ６０１へ戻って処理を続行する。以上の動作を行うことで、基地局装置４００は、端末装置３００へ送信されたタイミングコマンドに対する端末装置３００からの送達確認信号を取得し、取得した送達確認信号に基づいて通信モードを切り替えることができる。
【００６６】
（実施の形態２にかかる通信システムの動作）
図７は、実施の形態２にかかる通信システムの動作の一例を示すシーケンス図である。まず、基地局装置４００において送信データが発生すると（ステップＳ７０１）、基地局装置４００が、端末装置３００へタイミングコマンドを送信する（ステップＳ７０２）。期限ｔ１は、ステップＳ７０２によって送信されたタイミングコマンドの有効期限を示している。つぎに、基地局装置４００が、ステップＳ７０１によって発生した送信データの一部のデータを端末装置３００へ送信する（ステップＳ７０３）。
【００６７】
つぎに、端末装置３００が、ステップＳ７０３によって送信されたデータに対するＡｃｋを基地局装置４００へ送信する（ステップＳ７０４）。つぎに、基地局装置４００が、端末装置３００へタイミングコマンドを送信する（ステップＳ７０５）。期限ｔ２は、ステップＳ７０５によって送信されたタイミングコマンドの有効期限を示している。つぎに、基地局装置４００が、ステップＳ７０１によって発生した送信データのうちの未送信のデータを端末装置３００へ送信する（ステップＳ７０６）。
【００６８】
つぎに、端末装置３００が、ステップＳ７０６によって送信されたデータに対するＡｃｋを基地局装置４００へ送信する（ステップＳ７０７）。以上のステップによって、ステップＳ７０１において発生した送信データが、すべて端末装置３００によって受信されたとする。つぎに、基地局装置４００が、送信処理を終了し（ステップＳ７０８）、一連の動作を終了する。
【００６９】
以上のステップにおいて、端末装置３００および基地局装置４００は、期限ｔ１および期限ｔ２の少なくとも一方が計時中となっている期間Ｔにおいては通信モードが複数キャリアモードとなる。また、端末装置３００および基地局装置４００は、期間Ｔ以外の期間においては通信モードが単一キャリアモードとなる。
【００７０】
なお、図７においては、ステップＳ７０３およびステップＳ７０６によって送信されたデータが端末装置３００によって正常に受信され、端末装置３００から基地局装置４００へＡｃｋが送信される場合について説明した。これに対して、データが端末装置３００によって正常に受信されず、端末装置３００から基地局装置４００へＮａｃｋが送信された場合は、基地局装置４００は、送信したデータを再度、端末装置３００へ送信する。
【００７１】
また、基地局装置４００においては、送信したタイミングコマンドに対する端末装置３００からのＡｃｋ（不図示）を受信してから期限ｔ１の計時を開始してもよい。この場合も、たとえばステップＳ７０３およびステップＳ７０６においてデータを送信するときに、基地局装置４００の通信モードを複数キャリアモードに切り替えることができる。
【００７２】
図７に示したように、基地局装置４００は、データの送信処理中においてはタイミングコマンドを定期的に端末装置３００へ送信する。これにより、データの送信処理中においては端末装置３００および基地局装置４００が複数キャリアモードに切り替わり、高いスループットによる通信を行うことができる。
【００７３】
また、基地局装置４００は、データの送信処理を終了すると、タイミングコマンドの送信を停止する。これにより、データの送信処理後においてはタイミングコマンドの有効期限が切れ、端末装置３００および基地局装置４００が単一キャリアモードに切り替わる。このため、端末装置３００および基地局装置４００の消費電力を抑えることができる。
【００７４】
このように、実施の形態２にかかる端末装置３００は、端末装置３００が信号を送信するタイミングを示すタイミングコマンドを、通信状態の変化を示す情報として取得する。タイミングコマンドは、たとえば、端末装置３００が受信するデータに対する送達確認信号を端末装置３００が送信するタイミングを示すタイミングコマンドである。
【００７５】
端末装置３００は、取得されたタイミングコマンドの有効期限に基づいて通信モードを切り替える。これにより、既存のタイミングコマンドを通信状態の変化を示す情報として利用できるため、新たな制御情報を基地局装置４００との間で送受信しなくても通信リソースを効率よく使用することができる。
【００７６】
たとえば、タイミングコマンドの有効期限内は基地局装置４００からデータが送信される可能性が高いため、端末装置３００は、タイミングコマンドの有効期限内は複数キャリアモードに切り替えることで高いスループットによる通信を行うことができる。また、タイミングコマンドの有効期限外は基地局装置４００からデータが送信される可能性が低いため、端末装置３００は、タイミングコマンドの有効期限外は単一キャリアモードに切り替えることで消費電力を抑えることができる。
【００７７】
また、新たな制御情報を送受信しなくてもよいため、大きな設計変更をしなくても通信リソースを効率よく使用することができる。また、新たな制御情報を送受信することによる通信リソースの圧迫を抑えることもできる。また、新たな制御情報を送受信することによって通信モードの切り替えが遅延することを回避することもできる。
【００７８】
実施の形態２にかかる基地局装置４００は、端末装置３００へ送信されたタイミングコマンドに対する端末装置３００からの送達確認信号を、通信状態の変化を示す情報として取得し、送達確認信号に基づいて通信モードを切り替える。これにより、既存のタイミングコマンドを通信状態の変化を示す情報として利用できるため、新たな制御情報を端末装置３００との間で送受信しなくても通信リソースを効率よく使用することができる。
【００７９】
たとえば、基地局装置４００は、タイミングコマンドに対する端末装置３００からの送達確認信号が取得された場合に、タイミングコマンドの有効期限内では複数キャリアモードに切り替え、タイミングコマンドの有効期限外では単一キャリアモードに切り替える。これにより、タイミングコマンドが正常に端末装置３００に受信されたことを確認してから通信モードを切り替えられるため、端末装置３００による通信モードの切替と合わせて基地局装置４００の通信モードを切り替えることができる。
【００８０】
また、送達確認信号を送受信しない通信では、基地局装置４００は送達確認信号を送信するためのタイミングコマンドを端末装置３００へ送信しないため、端末装置３００および基地局装置４００の通信モードは単一キャリアモードとなる。送達確認信号を送受信しない通信ではデータ量が少ない場合が多いため、この場合は、単一キャリアモードでも十分なスループットを得ることができるとともに、消費電力を抑えることができる。
【００８１】
たとえば、ＬＴＥにおけるＰＣＣＨ（Ｐａｇｉｎｇ  Ｃｏｎｔｒｏｌ  Ｃｈａｎｎｅｌ）やＢＣＣＨ（Ｂｒｏａｄｃａｓｔ  Ｃｏｎｔｒｏｌ  Ｃｈａｎｎｅｌ）は送達確認信号を送受信しないが、データレートは低い。実施の形態２においては、ＰＣＣＨやＢＣＣＨにおいては通信モードが単一キャリアモードのままとなるため、十分なスループットを得ることができるとともに、消費電力を抑えることができる。
【００８２】
また、タイミングコマンドは、端末装置３００がデータ（ユーザデータ）を基地局装置４００へ送信するタイミングを示すタイミングコマンドであってもよい。たとえば、端末装置３００は、基地局装置４００に対する送信データが発生した場合に、基地局装置４００に対してランダムアクセスを行うことによって、データを送信するためのタイミングコマンドを基地局装置４００から取得する。
【００８３】
この場合も、基地局装置４００は、取得したタイミングコマンドの有効期限に基づいて通信モードを切り替えることで通信リソースを効率よく使用することができる。なお、複数キャリアモードにおけるコンポーネントキャリア数は、基地局装置４００から端末装置３００へのダウンリンクと、端末装置３００から基地局装置４００へのアップリンクと、で異なっていてもよい。
【００８４】
（実施の形態３）
（実施の形態３にかかる端末装置の構成）
図８は、実施の形態３にかかる端末装置の構成を示すブロック図である。図８において、図３に示した構成と同様の構成については同一の符号を付して説明を省略する。図８に示すように、実施の形態３にかかる端末装置３００は、図３に示した構成において、送信タイミング制御部３０６およびＡｃｋ／Ｎａｃｋ生成部３０８に代えてＲＲＣ情報解析部８０１およびＲＲＣ完了信号生成部８０２を備えている。
【００８５】
復号部３０４は、誤り訂正復号の結果をＲＲＣ完了信号生成部８０２へ出力する。論理チャネル解析部３０５は、復号部３０４から出力されたデータに含まれるＲＲＣ（Ｒａｄｉｏ  Ｒｅｓｏｕｒｃｅ  Ｃｏｎｔｒｏｌ）メッセージを取得する。論理チャネル解析部３０５は、取得したＲＲＣメッセージをＲＲＣ情報解析部８０１へ出力する。
【００８６】
ＲＲＣ情報解析部８０１は、論理チャネル解析部３０５から出力されたＲＲＣメッセージからＤＲＸ（間欠受信）情報を検出する。ＤＲＸ情報には、端末装置３００（自装置）に対してＤＲＸサイクルの設定を要求するＤＲＸ設定信号と、端末装置３００に対してＤＲＸサイクルの設定解除を要求するＤＲＸ解除信号と、が含まれる。ＲＲＣ情報解析部８０１は、検出したＤＲＸ情報を復調部３０３およびキャリア数切替部３０７へ出力する。
【００８７】
復調部３０３は、ＲＲＣ情報解析部８０１から出力されたＤＲＸ情報に基づいて間欠受信を行う。具体的には、復調部３０３は、ＲＲＣ情報解析部８０１からＤＲＸ設定信号が出力されると、ＤＲＸ設定信号に基づいてＤＲＸサイクルを設定して間欠受信を行う。また、復調部３０３は、ＲＲＣ情報解析部８０１からＤＲＸ解除信号が出力されると、ＤＲＸサイクルを解除して間欠受信を終了する。
【００８８】
キャリア数切替部３０７は、ＲＲＣ情報解析部８０１から出力されたＤＲＸ情報に基づいて通信モードを切り替える。具体的には、キャリア数切替部３０７は、ＲＲＣ情報解析部８０１からＤＲＸ設定信号が出力されると、端末装置３００の通信モードを複数キャリアモードに切り替える。また、復調部３０３は、ＲＲＣ情報解析部８０１からＤＲＸ解除信号が出力されると、端末装置３００の通信モードを単一キャリアモードに切り替える。
【００８９】
ＲＲＣ完了信号生成部８０２は、復号部３０４から通知された誤り訂正復号の結果に基づいてＲＲＣ完了信号を生成する。具体的には、ＲＲＣ完了信号生成部８０２は、復号部３０４から誤り訂正に成功した旨が通知されるとＲＲＣ完了信号を生成する。ＲＲＣ完了信号生成部８０２は、生成したＲＲＣ完了信号を符号化部３０９へ出力する。
【００９０】
符号化部３０９は、ＲＲＣ完了信号生成部８０２から出力されたＲＲＣ完了信号を符号化する。符号化部３０９は、符号化したＲＲＣ完了信号を変調部３１０へ出力する。変調部３１０は、符号化部３０９から出力されたＲＲＣ完了信号を変調する。変調部３１０は、変調したＲＲＣ完了信号をＲＦ処理部３０２へ出力する。ＲＦ処理部３０２は、変調部３１０から出力されたＲＲＣ完了信号の周波数をベースバンドから高周波に変換し、周波数を変換したＲＲＣ完了信号をアンテナ３０１へ出力する。アンテナ３０１は、ＲＦ処理部３０２から出力されたＲＲＣ完了信号を基地局装置４００へ送信する。
【００９１】
（実施の形態３にかかる基地局装置の構成）
図９は、実施の形態３にかかる基地局装置の構成を示すブロック図である。図９において、図４に示した構成と同様の構成については同一の符号を付して説明を省略する。図９に示すように、実施の形態３にかかる基地局装置４００は、図４に示した送信タイミング制御部４０２およびＡｃｋ／Ｎａｃｋ判定部４０９に代えてＤＲＸサイクル設定制御部９０１、復号部９０２およびＲＲＣ完了信号判定部９０３を備えている。
【００９２】
スケジューラ部４０１は、スケジューリングにおいて、端末装置３００のＤＲＸサイクルの設定および設定解除の決定を行う。たとえば、スケジューラ部４０１は、端末装置３００へ送信するデータが無い場合や少ない場合は、端末装置３００にＤＲＸサイクルを設定することを決定する。また、スケジューラ部４０１は、端末装置３００へ送信するデータが多い場合は端末装置３００に設定したＤＲＸサイクルを解除することを決定する。
【００９３】
スケジューラ部４０１は、スケジューリングの結果をＤＲＸサイクル設定制御部９０１および変調部４０５へ通知する。ＤＲＸサイクル設定制御部９０１は、スケジューラ部４０１から通知されたスケジューリングの結果に基づいてＤＲＸ情報を生成する。ＤＲＸ情報は、たとえば、端末装置３００に対してＤＲＸサイクルの設定を要求する設定信号、または、端末装置３００に対してＤＲＸサイクルの設定解除を要求する解除信号である。
【００９４】
ＤＲＸサイクル設定制御部９０１は、生成したＤＲＸ情報を含むＲＲＣメッセージを符号化部４０４へ出力する。符号化部４０４は、ＤＲＸサイクル設定制御部９０１から出力されたＲＲＣメッセージを、バイナリデータバッファ部４０３から出力されたデータに格納する。符号化部４０４は、ＲＲＣメッセージを格納したデータを符号化し、符号化したデータを変調部４０５へ出力する。
【００９５】
アンテナ４０７は、端末装置３００から送信されたＲＲＣ完了信号を受信してＲＦ処理部４０６へ出力する。ＲＦ処理部４０６は、アンテナ４０７から出力されたＲＲＣ完了信号の周波数を高周波からベースバンドに変換し、周波数を変換したＲＲＣ完了信号を復調部４０８へ出力する。復調部４０８は、ＲＦ処理部４０６から出力されたＲＲＣ完了信号を復調し、復調したＲＲＣ完了信号を復号部９０２へ出力する。
【００９６】
復号部９０２は、復調部４０８から出力されたＲＲＣ完了信号を復号する。復号部９０２は、復号したＲＲＣ完了信号をＲＲＣ完了信号判定部９０３へ出力する。ＲＲＣ完了信号判定部９０３は、復号部９０２から出力されたＲＲＣ完了信号の判定を行う。たとえば、ＲＲＣ完了信号判定部９０３は、ＲＲＣ完了信号が、ＤＲＸ設定信号に対するＲＲＣ完了信号であるのか、またはＤＲＸ解除信号に対するＲＲＣ完了信号であるのかを判定する。ＲＲＣ完了信号判定部９０３は、判定結果をキャリア数切替部４１０へ通知する。
【００９７】
キャリア数切替部４１０は、ＲＲＣ完了信号判定部９０３から通知される判定結果に基づいて基地局装置４００の通信モードを切り替える。具体的には、キャリア数切替部４１０は、ＤＲＸ設定信号に対するＲＲＣ完了信号を取得した旨がＲＲＣ完了信号判定部９０３から通知されると、通信モードを単一キャリアモードに切り替える。また、キャリア数切替部４１０は、ＤＲＸ解除信号に対するＲＲＣ完了信号を取得した旨がＲＲＣ完了信号判定部９０３から通知されると、通信モードを複数キャリアモードに切り替える。
【００９８】
（実施の形態３にかかる端末装置の動作）
図１０は、実施の形態３にかかる端末装置の動作の一例を示すフローチャートである。端末装置３００（図８参照）は、たとえば以下のような動作を行う。図１０に示すように、まず、キャリア数切替部３０７が、基地局装置４００からのＤＲＸ設定信号を受信したか否かを判断する（ステップＳ１００１）。ＤＲＸ設定信号を受信していない場合（ステップＳ１００１：Ｎｏ）は、ステップＳ１００３へ移行する。
【００９９】
ステップＳ１００１において、基地局装置４００からのＤＲＸ設定信号を受信した場合（ステップＳ１００１：Ｙｅｓ）は、キャリア数切替部３０７が、端末装置３００の通信モードを複数キャリアモードに切り替える（ステップＳ１００２）。つぎに、キャリア数切替部３０７が、基地局装置４００からのＤＲＸ解除信号を受信したか否かを判断する（ステップＳ１００３）。
【０１００】
ステップＳ１００３において、ＤＲＸ解除信号を受信していない場合（ステップＳ１００３：Ｎｏ）は、ステップＳ１００１へ戻って処理を続行する。ＤＲＸ解除信号を受信した場合（ステップＳ１００３：Ｙｅｓ）は、キャリア数切替部３０７が、端末装置３００の通信モードを単一キャリアモードに切り替え（ステップＳ１００４）、ステップＳ１００１へ戻って処理を続行する。以上の動作を行うことで、端末装置３００は、取得された設定信号および解除信号に基づいて通信モードを切り替えることができる。
【０１０１】
（実施の形態３にかかる基地局装置の動作）
図１１は、実施の形態３にかかる基地局装置の動作の一例を示すフローチャートである。基地局装置４００（図９参照）は、たとえば以下のような動作を行う。図１１に示すように、まず、ＲＲＣ完了信号判定部９０３が、端末装置３００へ送信したＤＲＸ設定信号に対するＲＲＣ完了信号を受信したか否かを判断する（ステップＳ１１０１）。ＤＲＸ設定信号に対するＲＲＣ完了信号を受信していない場合（ステップＳ１１０１：Ｎｏ）は、ステップＳ１１０３へ移行する。
【０１０２】
ステップＳ１１０１において、ＤＲＸ設定信号に対するＲＲＣ完了信号を受信した場合（ステップＳ１１０１：Ｙｅｓ）は、キャリア数切替部４１０が、基地局装置４００の通信モードを単一キャリアモードに切り替える（ステップＳ１１０２）。つぎに、ＲＲＣ完了信号判定部９０３が、端末装置３００へ送信したＤＲＸ解除信号に対するＲＲＣ完了信号を受信したか否かを判断する（ステップＳ１１０３）。
【０１０３】
ステップＳ１１０３において、ＤＲＸ解除信号に対するＲＲＣ完了信号を受信していない場合（ステップＳ１１０３：Ｎｏ）は、ステップＳ１１０１へ戻って処理を続行する。ＤＲＸ解除信号に対するＲＲＣ完了信号を受信した場合（ステップＳ１１０３：Ｙｅｓ）は、キャリア数切替部４１０が、基地局装置４００の通信モードを複数キャリアモードに切り替え（ステップＳ１１０４）、ステップＳ１１０１へ戻って処理を続行する。以上の動作を行うことで、基地局装置４００は、ＤＲＸ設定信号およびＤＲＸ解除信号に対するＲＲＣ完了信号に基づいて通信モードを切り替えることができる。
【０１０４】
このように、実施の形態３にかかる端末装置３００は、端末装置３００に対してＤＲＸサイクルの設定を要求するＤＲＸ設定信号と、端末装置３００に対してＤＲＸサイクルの設定解除を要求するＤＲＸ解除信号と、を取得する。そして、端末装置３００は、取得されたＤＲＸ設定信号およびＤＲＸ解除信号に基づいて通信モードを切り替える。
【０１０５】
これにより、既存のＤＲＸ設定信号およびＤＲＸ解除信号を通信状態の変化を示す情報として利用できるため、新たな制御情報を基地局装置４００との間で送受信しなくても通信リソースを効率よく使用することができる。
【０１０６】
たとえば、ＤＲＸサイクルの解除時は基地局装置４００からデータが送信される可能性が高いため、端末装置３００は、ＤＲＸ解除信号を受信した場合は複数キャリアモードに切り替えることで高いスループットによる通信を行うことができる。また、ＤＲＸサイクルの設定時は基地局装置４００からデータが送信される可能性が低いため、端末装置３００は、ＤＲＸ設定信号を受信した場合は単一キャリアモードに切り替えることで消費電力を抑えることができる。
【０１０７】
実施の形態３にかかる基地局装置４００は、端末装置３００へ送信されたＤＲＸ設定信号またはＤＲＸ解除信号に対する端末装置３００からのＲＲＣ完了信号を取得し、取得されたＲＲＣ完了信号に基づいて通信モードを切り替える。これにより、既存のＲＲＣ完了信号を通信状態の変化を示す情報として利用できるため、新たな制御情報を端末装置３００との間で送受信しなくても通信リソースを効率よく使用することができる。
【０１０８】
たとえば、基地局装置４００は、端末装置３００へ送信されたＤＲＸ解除信号に対する端末装置３００からのＲＲＣ完了信号が取得された場合に複数キャリアモードに切り替える。また、基地局装置４００は、端末装置３００へ送信されたＤＲＸ設定信号に対する端末装置３００からのＲＲＣ完了信号が取得された場合に単一キャリアモードに切り替える。これにより、ＤＲＸ解除信号またはＤＲＸ設定信号が正常に端末装置３００に受信されたことを確認してから通信モードを切り替えられるため、端末装置３００による通信モードの切替と合わせて基地局装置４００の通信モードを切り替えることができる。
【０１０９】
（実施の形態４）
（実施の形態４にかかる端末装置の構成）
図１２は、実施の形態４にかかる端末装置の構成を示すブロック図である。図１２において、図３に示した構成と同様の構成については同一の符号を付して説明を省略する。実施の形態４にかかる端末装置３００は、図３に示した復号部３０４、論理チャネル解析部３０５および送信タイミング制御部３０６に代えてデータチャネル復号部１２０１、制御チャネル復号部１２０２およびバイナリデータバッファ部１２０３を備えている。
【０１１０】
復調部３０３は、復調した信号をデータチャネル復号部１２０１および制御チャネル復号部１２０２へ出力する。データチャネル復号部１２０１は、制御チャネル復号部１２０２から出力された受信割当情報に基づいて、復調部３０３から出力された信号に含まれるデータチャネルを復号する。たとえば、データチャネル復号部１２０１は、信号の誤り訂正復号を行い、誤り訂正復号の結果をＡｃｋ／Ｎａｃｋ生成部３０８へ通知する。また、データチャネル復号部１２０１は、復号したデータを後段へ出力する。
【０１１１】
制御チャネル復号部１２０２は、復調部３０３から出力された信号に含まれる制御チャネルを復号する。復調部３０３から出力された信号に含まれる制御チャネルには、端末装置３００に対して割り当てられた通信リソースを示す割当情報が含まれている。割当情報は、たとえば、端末装置３００によるデータの受信に対して割り当てられた通信リソースを示す受信割当情報、または、端末装置３００によるデータの送信に対して割り当てられた通信リソースを示す送信割当情報である。
【０１１２】
制御チャネル復号部１２０２は、制御チャネルに含まれる受信割当情報および送信割当情報を、通信状態の変化を示す情報として取得する。制御チャネル復号部１２０２は、受信割当情報を取得すると、取得した受信割当情報をデータチャネル復号部１２０１へ出力するとともに、受信割当情報を取得した旨をキャリア数切替部３０７へ通知する。制御チャネル復号部１２０２は、送信割当情報を取得すると、送信割当情報を取得した旨をキャリア数切替部３０７へ通知する。
【０１１３】
また、制御チャネル復号部１２０２は、送信割当情報を取得すると、送信割当情報が示す通信リソースに応じた量のデータを出力させる出力指示をバイナリデータバッファ部１２０３へ出力する。バイナリデータバッファ部１２０３には、基地局装置４００へ送信するためのデータ（バイナリデータ）が格納される。バイナリデータバッファ部１２０３は、制御チャネル復号部１２０２から出力指示が出力されると、格納されているデータのうちの出力指示が示す量のデータを符号化部３０９へ出力する。
【０１１４】
キャリア数切替部３０７は、制御チャネル復号部１２０２による受信割当情報または送信割当情報の取得の通知に基づいて、端末装置３００の通信モードを切り替える。具体的には、キャリア数切替部３０７は、受信割当情報または送信割当情報を取得した旨が制御チャネル復号部１２０２から通知されると通信モードを複数キャリアモードに設定する。
【０１１５】
また、キャリア数切替部３０７は、受信割当情報または送信割当情報を取得した旨が制御チャネル復号部１２０２から通知されてから一定時間（たとえば数秒間）を計時するタイマの機能を備えている。キャリア数切替部３０７は、タイマによる計時に基づいて、受信割当情報または送信割当情報を取得した旨が制御チャネル復号部１２０２から通知されてから一定時間が経過すると通信モードを単一キャリアモードに設定する。
【０１１６】
また、キャリア数切替部３０７は、タイマによる計時中にさらに受信割当情報または送信割当情報を取得した旨が制御チャネル復号部１２０２から通知されると、タイマをリセットするようにしてもよい。この場合は、キャリア数切替部３０７は、タイマをリセットしてからさらに一定時間が経過すると通信モードを単一キャリアモードに設定する。
【０１１７】
Ａｃｋ／Ｎａｃｋ生成部３０８は、データチャネル復号部１２０１から通知された誤り訂正復号の結果に基づいて送達確認信号を生成する。符号化部３０９は、Ａｃｋ／Ｎａｃｋ生成部３０８から出力された送達確認信号を符号化し、符号化した送達確認信号を変調部３１０へ出力する。また、符号化部３０９は、バイナリデータバッファ部１２０３から出力されたデータを符号化し、符号化したデータを変調部３１０へ出力する。
【０１１８】
変調部３１０は、符号化部３０９から出力されたデータを変調し、変調したデータをＲＦ処理部３０２へ出力する。アンテナ３０１は、ＲＦ処理部３０２から出力された送達確認信号およびデータを基地局装置４００へ送信する。ＲＦ処理部３０２は、変調部３１０から出力された送達確認信号およびデータの周波数をベースバンドから高周波に変換し、周波数を変換した送達確認信号およびデータをアンテナ３０１へ出力する。
【０１１９】
（実施の形態４にかかる基地局装置の構成）
図１３は、実施の形態４にかかる基地局装置の構成を示すブロック図である。図１３において、図４に示した構成と同様の構成については同一の符号を付して説明を省略する。図１３に示すように、実施の形態４にかかる基地局装置４００は、図４に示した構成において、送信タイミング制御部４０２および復調部４０８に代えて制御信号生成部１３０１、Ａｃｋ／Ｎａｃｋ復調部１３０２およびデータ復調部１３０３を備えている。
【０１２０】
スケジューラ部４０１は、スケジューリングの結果を制御信号生成部１３０１および変調部４０５へ通知する。制御信号生成部１３０１は、スケジューラ部４０１から通知されたスケジューリングの結果に基づいて制御信号を生成する。たとえば、制御信号生成部１３０１は、端末装置３００によるデータの受信に対して割り当てられた通信リソースを示す受信割当情報を生成する。また、制御信号生成部１３０１は、端末装置３００によるデータの送信に対して割り当てられた通信リソースを示す送信割当情報を生成する。
【０１２１】
スケジューラ部４０１は、生成した制御信号を制御チャネルとして符号化部４０４へ出力する。符号化部４０４は、送信タイミング制御部４０２から出力された制御チャネルを符号化し、符号化したデータを変調部４０５へ出力する。変調部４０５は、符号化部４０４から出力された制御チャネルを変調する。
【０１２２】
ＲＦ処理部４０６は、アンテナ４０７から出力された送達確認信号の周波数を高周波からベースバンドに変換し、周波数を変換した送達確認信号をＡｃｋ／Ｎａｃｋ復調部１３０２およびデータ復調部１３０３へ出力する。アンテナ４０７は、端末装置３００から送信された信号を受信してＲＦ処理部４０６へ出力する。
【０１２３】
Ａｃｋ／Ｎａｃｋ復調部１３０２は、ＲＦ処理部４０６から出力された信号に含まれる送達確認信号を復調し、復調した送達確認信号をＡｃｋ／Ｎａｃｋ判定部４０９へ出力する。データ復調部１３０３は、ＲＦ処理部４０６から出力された信号に含まれるデータを復調し、復調したデータをキャリア数切替部４１０へ出力する。キャリア数切替部４１０は、Ａｃｋ／Ｎａｃｋ判定部４０９から通知される判定結果と、データ復調部１３０３から出力されるデータと、に基づいて基地局装置４００の通信モードを切り替える。
【０１２４】
具体的には、キャリア数切替部４１０は、基地局装置４００から端末装置３００へ送信された受信割当情報に対するＡｃｋを受信した旨の判定結果がＡｃｋ／Ｎａｃｋ判定部４０９から通知されると、通信モードを複数キャリアモードに切り替える。また、キャリア数切替部４１０は、端末装置３００によって送信されたデータがデータ復調部１３０３から出力されると、通信モードを複数キャリアモードに切り替える。
【０１２５】
また、キャリア数切替部４１０は、通信モードを複数キャリアモードに切り替えてから一定時間を計時するタイマの機能を備えている。キャリア数切替部４１０は、タイマに基づいて、通信モードを複数キャリアモードに切り替えてから一定時間が経過すると、通信モードを単一キャリアモードに切り替える。
【０１２６】
（実施の形態４にかかる端末装置の動作）
図１４は、実施の形態４にかかる端末装置の動作の一例を示すフローチャートである。端末装置３００（図１２参照）は、たとえば以下のような動作を行う。図１４に示すように、まず、キャリア数切替部３０７が、基地局装置４００からの受信割当情報または送信割当情報を受信したか否かを判断する（ステップＳ１４０１）。
【０１２７】
ステップＳ１４０１において、受信割当情報または送信割当情報を受信していない場合（ステップＳ１４０１：Ｎｏ）は、ステップＳ１４０４へ移行する。基地局装置４００からの受信割当情報または送信割当情報を受信した場合（ステップＳ１４０１：Ｙｅｓ）は、キャリア数切替部３０７が、一定時間を計時するタイマの動作を開始させる（ステップＳ１４０２）。つぎに、キャリア数切替部３０７が、端末装置３００の通信モードを複数キャリアモードに切り替える（ステップＳ１４０３）。
【０１２８】
つぎに、キャリア数切替部３０７が、ステップＳ１４０２によって動作を開始されたタイマの期限が切れたか否かを判断する（ステップＳ１４０４）。タイマの期限が切れていない場合（ステップＳ１４０４：Ｎｏ）は、ステップＳ１４０１へ戻って処理を続行する。タイマの期限が切れた場合（ステップＳ１４０４：Ｙｅｓ）は、キャリア数切替部３０７が、端末装置３００の通信モードを単一キャリアモードに切り替え（ステップＳ１４０５）、ステップＳ１４０１へ戻って処理を続行する。以上の動作を行うことで、端末装置３００は、端末装置３００に対する通信リソースの割り当てを示す割当情報に基づいて通信モードを切り替えることができる。
【０１２９】
（実施の形態４にかかる基地局装置の動作）
図１５は、実施の形態４にかかる基地局装置の動作の一例を示すフローチャートである。基地局装置４００（図１３参照）は、たとえば以下のような動作を行う。図１５に示すように、まず、キャリア数切替部４１０が、端末装置３００へ送信した受信割当情報もしくは送信割当情報に対するＡｃｋ、または、端末装置３００から送信されたデータを受信したか否かを判断する（ステップＳ１５０１）。
【０１３０】
ステップＳ１５０１において、Ａｃｋまたはデータを受信していない場合（ステップＳ１５０１：Ｎｏ）は、ステップＳ１５０４へ移行する。Ａｃｋまたはデータを受信した場合（ステップＳ１５０１：Ｙｅｓ）は、キャリア数切替部４１０が、一定時間を計時するタイマの動作を開始させる（ステップＳ１５０２）。
【０１３１】
つぎに、キャリア数切替部４１０が、スケジューラ部４０１における通信モードを複数キャリアモードに切り替える（ステップＳ１５０３）。つぎに、キャリア数切替部４１０が、ステップＳ１５０２によって動作を開始されたタイマの期限が切れたか否かを判断する（ステップＳ１５０４）。
【０１３２】
ステップＳ１５０４において、タイマの期限が切れていない場合（ステップＳ１５０４：Ｎｏ）は、ステップＳ１５０１へ戻って処理を続行する。タイマの期限が切れた場合（ステップＳ１５０４：Ｙｅｓ）は、キャリア数切替部４１０が、スケジューラ部４０１における通信モードを単一キャリアモードに切り替え（ステップＳ１５０５）、ステップＳ１５０１へ戻って処理を続行する。
【０１３３】
以上の動作を行うことで、基地局装置４００は、端末装置３００へ送信した受信割当情報もしくは送信割当情報に対する送達確認信号に基づいて通信モードを切り替えることができる。また、基地局装置４００は、端末装置３００へ送信した送信割当情報に基づいて端末装置３００から送信されたデータに基づいて通信モードを切り替えることができる。
【０１３４】
（実施の形態４にかかる通信システムの動作）
図１６は、実施の形態４にかかる通信システムの動作の一例を示すシーケンス図である。まず、基地局装置４００において送信データが発生すると（ステップＳ１６０１）、基地局装置４００が、端末装置３００へ制御チャネルを送信する（ステップＳ１６０２）。ステップＳ１６０２によって送信される制御チャネルには受信割当情報が含まれている。
【０１３５】
期限ｔ１は、ステップＳ１６０２によって送信された受信割当情報が端末装置３００によって受信されてからの一定時間を示している。つぎに、基地局装置４００が、ステップＳ１６０１によって発生した送信データの一部のデータを端末装置３００へ送信する（ステップＳ１６０３）。つぎに、端末装置３００が、ステップＳ１６０３によって送信されたデータに対するＡｃｋを基地局装置４００へ送信する（ステップＳ１６０４）。
【０１３６】
つぎに、基地局装置４００が、端末装置３００へ制御チャネルを送信する（ステップＳ１６０５）。ステップＳ１６０５によって送信される制御チャネルには受信割当情報が含まれている。期限ｔ２は、ステップＳ１６０５によって送信された受信割当情報が端末装置３００によって受信されてからの一定時間を示している。つぎに、基地局装置４００が、ステップＳ１６０１によって発生した送信データのうちの未送信のデータを端末装置３００へ送信する（ステップＳ１６０６）。
【０１３７】
つぎに、端末装置３００が、ステップＳ１６０６によって送信されたデータに対するＡｃｋを基地局装置４００へ送信する（ステップＳ１６０７）。以上のステップによって、ステップＳ１６０１において発生した送信データが、すべて端末装置３００によって受信されたとする。つぎに、基地局装置４００が、送信処理を終了し（ステップＳ１６０８）、一連の動作を終了する。
【０１３８】
以上のステップにおいて、端末装置３００および基地局装置４００は、期限ｔ１および期限ｔ２の少なくとも一方が計時中となっている期間Ｔにおいては通信モードが複数キャリアモードとなる。また、端末装置３００および基地局装置４００は、期間Ｔ以外の期間においては通信モードが単一キャリアモードとなる。
【０１３９】
なお、図１６においては、ステップＳ１６０３とステップＳ１６０６によって送信されたデータが端末装置３００によって正常に受信され、端末装置３００から基地局装置４００へＡｃｋが送信される場合について説明した。これに対して、データが端末装置３００によって正常に受信されず、端末装置３００から基地局装置４００へＮａｃｋが送信された場合は、基地局装置４００は、送信したデータを再度、端末装置３００へ送信する。
【０１４０】
また、基地局装置４００においては、送信した制御チャネルに対する端末装置３００からのＡｃｋ（不図示）を受信してから期限ｔ１の計時を開始してもよい。この場合も、たとえばステップＳ１６０３およびステップＳ１６０６においてデータを送信するときに、通信モードを複数キャリアモードに切り替えることができる。
【０１４１】
また、基地局装置４００においては、ステップＳ１６０３によって送信したデータに対する、端末装置３００からのＡｃｋを受信（ステップＳ１６０４）してから期限ｔ１の計時を開始してもよい。この場合も、たとえばステップＳ１６０６においてデータを送信するときに、通信モードを複数キャリアモードに切り替えることができる。
【０１４２】
図１６に示したように、基地局装置４００は、データの送信処理中においては制御チャネルを定期的に端末装置３００へ送信する。これにより、データの送信処理中においては端末装置３００および基地局装置４００が複数キャリアモードに切り替わり、高いスループットによる通信を行うことができる。
【０１４３】
また、基地局装置４００は、データの送信処理を終了すると、制御チャネルの送信を停止する。これにより、データの送信処理後においては制御チャネルの有効期限が切れ、端末装置３００および基地局装置４００が単一キャリアモードに切り替わる。このため、端末装置３００および基地局装置４００の消費電力を抑えることができる。
【０１４４】
このように、実施の形態４にかかる端末装置３００は、端末装置３００に対する通信リソースの割り当てを示す割当情報（受信割当情報または送信割当情報）を取得し、取得された割当情報に基づいて通信モードを切り替える。これにより、既存の割当情報を通信状態の変化を示す情報として利用できるため、新たな制御情報を基地局装置４００との間で送受信しなくても通信リソースを効率よく使用することができる。
【０１４５】
たとえば、受信割当情報を受信した後は基地局装置４００からデータが送信される可能性が高いため、端末装置３００は、受信割当情報を受信した場合は複数キャリアモードに切り替えることで高いスループットによる通信を行うことができる。また、送信割当情報を受信した後は端末装置３００からデータを送信する可能性が高いため、端末装置３００は、送信割当情報を受信した場合は複数キャリアモードに切り替えることで高いスループットによる通信を行うことができる。
【０１４６】
また、受信割当情報または送信割当情報を受信した後の一定期間は繰り返し通信が行われる可能性が高い。たとえば、端末装置３００によってウェブページの閲覧などを行う場合は、特定のページにアクセスした後に、ページ内のリンクからさらに他のページへアクセスされる可能性が高い。
【０１４７】
このため、端末装置３００は、受信割当情報または送信割当情報を受信してから一定期間は複数キャリアモードに切り替えることで高いスループットによる通信を行うことができる。また、端末装置３００は、受信割当情報または送信割当情報を受信してから一定期間が経過したら単一キャリアモードに切り替えることで消費電力を抑えることができる。
【０１４８】
実施の形態４にかかる基地局装置４００は、端末装置３００へ送信された割当情報（受信割当情報または送信割当情報）に対する端末装置３００からの送達確認信号を取得し、取得された送達確認信号に基づいて通信モードを切り替える。これにより、既存の送達確認信号を通信状態の変化を示す情報として利用できるため、新たな制御情報を端末装置３００との間で送受信しなくても通信リソースを効率よく使用することができる。
【０１４９】
たとえば、基地局装置４００は、端末装置３００へ送信された割当情報に対する端末装置３００からの送達確認信号が取得された場合に複数キャリアモードに切り替える。また、基地局装置４００は、端末装置３００へ送信された割当情報に対する端末装置３００からの送達確認信号が取得されてから一定時間が経過すると単一キャリアモードに切り替える。これにより、割当情報が正常に端末装置３００に受信されたことを確認してから通信モードを切り替えられるため、端末装置３００による通信モードの切替と合わせて基地局装置４００の通信モードを切り替えることができる。
【０１５０】
また、実施の形態４にかかる基地局装置４００は、端末装置３００へ送信された送信割当情報に基づいて端末装置３００から送信されたデータを取得し、取得されたデータに基づいて通信モードを切り替える。これにより、既存のデータを通信状態の変化を示す情報として利用できるため、新たな制御情報を端末装置３００との間で送受信しなくても通信リソースを効率よく使用することができる。
【０１５１】
たとえば、基地局装置４００は、端末装置３００へ送信された送信割当情報に基づいて端末装置３００から送信されたデータが取得された場合に複数キャリアモードに切り替える。また、基地局装置４００は、端末装置３００へ送信された送信割当情報に基づいて端末装置３００から送信されたデータが取得されてから一定時間が経過すると単一キャリアモードに切り替える。これにより、割当情報が正常に端末装置３００に受信されたことを確認してから通信モードを切り替えられるため、端末装置３００による通信モードの切替と合わせて基地局装置４００の通信モードを切り替えることができる。
【０１５２】
（実施の形態５）
（実施の形態５にかかる端末装置の構成）
図１７は、実施の形態５にかかる端末装置の構成を示すブロック図である。図１７において、図１２に示した構成と同様の構成については同一の符号を付して説明を省略する。図１７に示すように、実施の形態５にかかる端末装置３００は、図１２に示した端末装置３００の構成に加えてＤＲＸ制御部１７０１を備えている。
【０１５３】
制御チャネル復号部１２０２は、復号した制御チャネルをＤＲＸ制御部１７０１へ出力する。ＤＲＸ制御部１７０１は、制御チャネル復号部１２０２から出力された制御チャネルに基づいて動作するＤＲＸ休止タイマ（間欠受信休止タイマ）の機能を備えている。ＤＲＸ休止タイマは、端末装置３００のＤＲＸの休止期間を計時するタイマであり、たとえば、ＬＴＥに規定されたＤＲＸ  Ｉｎａｃｔｉｖｉｔｙ  ｔｉｍｅｒである。
【０１５４】
ＤＲＸ制御部１７０１は、ＤＲＸ休止タイマの動作中は、ＤＲＸを休止して常時制御チャネルを受信するように復調部３０３を制御する。また、ＤＲＸ制御部１７０１は、ＤＲＸ休止タイマの動作が終了すると、ＤＲＸを行うように復調部３０３を制御する。また、ＤＲＸ制御部１７０１は、ＤＲＸ休止タイマの動作状態を示すタイマ情報を、通信状態の変化を示す情報として取得する。ＤＲＸ制御部１７０１は、取得したタイマ情報をキャリア数切替部３０７へ出力する。
【０１５５】
キャリア数切替部３０７は、ＤＲＸ制御部１７０１から通知されるタイマ情報に基づいて端末装置３００の通信モードを切り替える。たとえば、キャリア数切替部３０７は、タイマ情報に基づいて、ＤＲＸ制御部１７０１のＤＲＸ休止タイマによるＤＲＸの休止期間の計時が開始されると通信モードを複数キャリアモードに切り替える。また、キャリア数切替部３０７は、タイマ情報に基づいて、ＤＲＸ休止タイマによるＤＲＸの休止期間の計時が終了すると通信モードを単一キャリアモードに切り替える。
【０１５６】
（実施の形態５にかかる基地局装置の構成）
実施の形態５にかかる基地局装置４００の構成には、たとえば、図９に示した基地局装置４００の構成を用いることができる。この場合は、基地局装置４００は、たとえば端末装置３００へＤＲＸ解除信号を送信することで、端末装置３００のＤＲＸ休止タイマの計時を開始させることができる。
【０１５７】
（実施の形態５にかかる端末装置の動作）
図１８は、実施の形態５にかかる端末装置の動作の一例を示すフローチャートである。端末装置３００（図１７参照）は、たとえば以下のような動作を行う。図１８に示すように、まず、キャリア数切替部３０７が、ＤＲＸ休止タイマによるＤＲＸの休止期間の計時が開始されたか否かを判断する（ステップＳ１８０１）。ＤＲＸ休止タイマによる計時が開始されていない場合（ステップＳ１８０１：Ｎｏ）はステップＳ１８０３へ移行する。
【０１５８】
ステップＳ１８０１において、ＤＲＸ休止タイマによる計時が開始された場合（ステップＳ１８０１：Ｙｅｓ）は、キャリア数切替部３０７が、端末装置３００の通信モードを複数キャリアモードに切り替える（ステップＳ１８０２）。つぎに、キャリア数切替部３０７が、ＤＲＸ休止タイマによるＤＲＸの休止期間の計時が終了したか否かを判断する（ステップＳ１８０３）。
【０１５９】
ステップＳ１８０３において、ＤＲＸ休止タイマによる計時が終了していない場合（ステップＳ１８０３：Ｎｏ）は、ステップＳ１８０１へ戻って処理を続行する。ＤＲＸ休止タイマによる計時が終了した場合（ステップＳ１８０３：Ｙｅｓ）は、キャリア数切替部３０７が、端末装置３００の通信モードを単一キャリアモードに切り替え（ステップＳ１８０４）、ステップＳ１８０１へ戻って処理を続行する。以上の動作を行うことで、端末装置３００は、タイマ情報に基づいて通信モードを切り替えることができる。
【０１６０】
（実施の形態５にかかる基地局装置の動作）
図１９は、実施の形態５にかかる基地局装置の動作の一例を示すフローチャートである。実施の形態５にかかる基地局装置４００（たとえば図９参照）は、たとえば以下のような動作を行う。図１９に示すように、まず、キャリア数切替部４１０が、端末装置３００におけるＤＲＸ休止タイマによるＤＲＸの休止期間の計時が開始されたか否かを判断する（ステップＳ１９０１）。ＤＲＸ休止タイマによる計時が開始されていない場合（ステップＳ１９０１：Ｎｏ）はステップＳ１９０３へ移行する。
【０１６１】
ステップＳ１９０１において、ＤＲＸ休止タイマによる計時が開始された場合（ステップＳ１９０１：Ｙｅｓ）は、キャリア数切替部４１０が、基地局装置４００の通信モードを複数キャリアモードに切り替える（ステップＳ１９０２）。つぎに、キャリア数切替部４１０が、端末装置３００におけるＤＲＸ休止タイマによるＤＲＸの休止期間の計時が終了したか否かを判断する（ステップＳ１９０３）。
【０１６２】
ステップＳ１９０３において、ＤＲＸ休止タイマによる計時が終了していない場合（ステップＳ１９０３：Ｎｏ）は、ステップＳ１９０１へ戻って処理を続行する。ＤＲＸ休止タイマによる計時が終了した場合（ステップＳ１９０３：Ｙｅｓ）は、キャリア数切替部４１０が、基地局装置４００の通信モードを単一キャリアモードに切り替え（ステップＳ１９０４）、ステップＳ１９０１へ戻って処理を続行する。
【０１６３】
ステップＳ１９０１において、基地局装置４００は、たとえば、端末装置３００へ送信したＤＲＸ設定信号に対するＡｃｋを受信したか否かによって、ＤＲＸ休止タイマによる計時が開始されたか否かを判断する。また、ステップＳ１９０３において、基地局装置４００は、たとえば、ＤＲＸ設定信号に対するＡｃｋを受信してから一定時間が経過したか否かによって、ＤＲＸ休止タイマによる計時が終了したか否かを判断する。
【０１６４】
このように、実施の形態５にかかる端末装置３００は、端末装置３００のＤＲＸの休止期間を計時するＤＲＸ休止タイマの動作状態を示すタイマ情報を取得し、取得されたタイマ情報に基づいて通信モードを切り替える。これにより、既存のタイマ情報を通信状態の変化を示す情報として利用できるため、新たな制御情報を基地局装置４００との間で送受信しなくても通信リソースを効率よく使用することができる。
【０１６５】
たとえば、ＤＲＸ休止タイマの計時中は基地局装置４００からデータが送信される可能性が高いため、端末装置３００は、ＤＲＸ休止タイマによる計時が開始された場合は複数キャリアモードに切り替えることで高いスループットによる通信を行うことができる。また、ＤＲＸ休止タイマの計時中以外は基地局装置４００からデータが送信される可能性が低いため、端末装置３００は、ＤＲＸ休止タイマによる計時が終了した場合は単一キャリアモードに切り替えることで消費電力を抑えることができる。
【０１６６】
（実施の形態６）
（実施の形態６にかかる端末装置の構成）
図２０は、実施の形態６にかかる端末装置の構成を示すブロック図である。図２０において、図８に示した構成と同様の構成については同一の符号を付して説明を省略する。ＲＲＣ情報解析部８０１は、論理チャネル解析部３０５から出力されたＲＲＣメッセージから、コネクトモードとアイドルモードとの切替情報を検出する。
【０１６７】
コネクトモードは、たとえばＬＴＥに規定されたｃｏｎｎｅｃｔｅｄ  ｍｏｄｅである。アイドルモードは、たとえばＬＴＥに規定されたｉｄｌｅ  ｍｏｄｅである。ＲＲＣ情報解析部８０１は、検出した切替情報を復調部３０３およびキャリア数切替部３０７へ出力する。復調部３０３は、ＲＲＣ情報解析部８０１から出力された切替情報に基づいてコネクトモードとアイドルモードとを切り替える。
【０１６８】
キャリア数切替部３０７は、ＲＲＣ情報解析部８０１から出力された切替情報に基づいて通信モードを切り替える。具体的には、キャリア数切替部３０７は、端末装置３００がコネクトモードのときは通信モードを複数キャリアモードに切り替える。また、キャリア数切替部３０７は、端末装置３００がアイドルモードのときは通信モードを複数キャリアモードに切り替える。
【０１６９】
（実施の形態６にかかる基地局装置の構成）
図２１は、実施の形態６にかかる基地局装置の構成を示すブロック図である。図２１において、図９に示した構成と同様の構成については同一の符号を付して説明を省略する。図２１に示すように、実施の形態６にかかる基地局装置４００は、図９に示したＤＲＸサイクル設定制御部９０１に代えてＲＲＣメッセージ生成部２１０１を備えている。
【０１７０】
スケジューラ部４０１は、スケジューリングにおいて、端末装置３００のコネクトモードとアイドルモードとの切替の決定を行う。スケジューラ部４０１は、スケジューリングの結果をＲＲＣメッセージ生成部２１０１および変調部４０５へ通知する。ＲＲＣメッセージ生成部２１０１は、スケジューラ部４０１から通知されたスケジューリングの結果に基づいて、コネクトモードとアイドルモードとの切替を示す切替情報を生成する。
【０１７１】
ＲＲＣメッセージ生成部２１０１は、生成した切替情報を含むＲＲＣメッセージを符号化部４０４へ出力する。符号化部４０４は、ＲＲＣメッセージ生成部２１０１から出力されたＲＲＣメッセージを、バイナリデータバッファ部４０３から出力されたデータに格納する。符号化部４０４は、ＲＲＣメッセージを格納したデータを符号化し、符号化したデータを変調部４０５へ出力する。
【０１７２】
ＲＦ処理部４０６は、アンテナ４０７から出力されたＲＲＣ完了信号の周波数を高周波からベースバンドに変換し、周波数を変換したＲＲＣ完了信号を復調部４０８へ出力する。復調部４０８は、ＲＦ処理部４０６から出力されたＲＲＣ完了信号を復調し、復調したＲＲＣ完了信号を復号部９０２へ出力する。
【０１７３】
復号部９０２は、復調部４０８から出力されたＲＲＣ完了信号を復号する。復号部９０２は、復号したＲＲＣ完了信号をＲＲＣ完了信号判定部９０３へ出力する。ＲＲＣ完了信号判定部９０３は、復号部９０２から出力されたＲＲＣ完了信号の判定を行う。たとえば、ＲＲＣ完了信号判定部９０３は、ＲＲＣ完了信号が、コネクトモードへの切替を要求する切替情報に対するＲＲＣ完了信号であるのか、またはアイドルモードへの切替を要求する切替情報に対するＲＲＣ完了信号であるのかを判定する。ＲＲＣ完了信号判定部９０３は、判定結果をキャリア数切替部４１０へ通知する。
【０１７４】
キャリア数切替部４１０は、ＲＲＣ完了信号判定部９０３から通知される判定結果に基づいて基地局装置４００の通信モードを切り替える。具体的には、キャリア数切替部４１０は、コネクトモードへの切替を要求する切替情報に対するＲＲＣ完了信号を取得した旨がＲＲＣ完了信号判定部９０３から通知されると、通信モードを複数キャリアモードに切り替える。また、キャリア数切替部４１０は、アイドルモードへの切替を要求する切替情報に対するＲＲＣ完了信号を取得した旨がＲＲＣ完了信号判定部９０３から通知されると、通信モードを単一キャリアモードに切り替える。
【０１７５】
（実施の形態６にかかる端末装置の動作）
図２２は、実施の形態６にかかる端末装置の動作の一例を示すフローチャートである。端末装置３００（図２０参照）は、たとえば以下のような動作を行う。図２２に示すように、まず、キャリア数切替部３０７が、端末装置３００がコネクトモードか否かを判断する（ステップＳ２２０１）。端末装置３００がコネクトモードでない場合（ステップＳ２２０１：Ｎｏ）は、ステップＳ２２０３へ移行する。
【０１７６】
ステップＳ２２０１において、端末装置３００がコネクトモードである場合（ステップＳ２２０１：Ｙｅｓ）は、キャリア数切替部３０７が、端末装置３００の通信モードを複数キャリアモードに切り替える（ステップＳ２２０２）。つぎに、キャリア数切替部３０７が、端末装置３００がアイドルモードか否かを判断する（ステップＳ２２０３）。
【０１７７】
ステップＳ２２０３において、端末装置３００がアイドルモードでない場合（ステップＳ２２０３：Ｎｏ）は、ステップＳ２２０１へ戻って処理を続行する。端末装置３００がアイドルモードである場合（ステップＳ２２０３：Ｙｅｓ）は、キャリア数切替部３０７が、端末装置３００の通信モードを単一キャリアモードに切り替え（ステップＳ２２０４）、ステップＳ２２０１へ戻って処理を続行する。以上の動作を行うことで、端末装置３００は、切替情報に基づいて通信モードを切り替えることができる。
【０１７８】
（実施の形態６にかかる基地局装置の動作）
図２３は、実施の形態６にかかる基地局装置の動作の一例を示すフローチャートである。基地局装置４００（図２１参照）は、たとえば以下のような動作を行う。図２３に示すように、まず、ＲＲＣ完了信号判定部９０３が、端末装置３００へ送信したコネクトモードへの切替を要求する切替情報に対するＲＲＣ完了信号を端末装置３００から受信したか否かを判断する（ステップＳ２３０１）。
【０１７９】
ステップＳ２３０１において、切替情報に対するＲＲＣ完了信号を受信していない場合（ステップＳ２３０１：Ｎｏ）は、ステップＳ２３０３へ移行する。切替情報に対するＲＲＣ完了信号に対するＲＲＣ完了信号を受信した場合（ステップＳ２３０１：Ｙｅｓ）は、スケジューラ部４０１が、基地局装置４００の通信モードを単一キャリアモードに切り替える（ステップＳ２３０２）。
【０１８０】
つぎに、ＲＲＣ完了信号判定部９０３が、端末装置３００へ送信したアイドルモードへの切替を要求する切替情報に対するＲＲＣ完了信号を端末装置３００から受信したか否かを判断する（ステップＳ２３０３）。切替情報に対するＲＲＣ完了信号を受信していない場合（ステップＳ２３０３：Ｎｏ）は、ステップＳ２３０１へ戻って処理を続行する。
【０１８１】
ステップＳ２３０３において、切替情報に対するＲＲＣ完了信号を受信した場合（ステップＳ２３０３：Ｙｅｓ）は、キャリア数切替部４１０が、通信モードを複数キャリアモードに切り替え（ステップＳ２３０４）、ステップＳ２３０１へ戻って処理を続行する。以上の動作を行うことで、基地局装置４００は、切替情報に基づいて端末装置３００から送信されたＲＲＣ完了信号に基づいて通信モードを切り替えることができる。
【０１８２】
このように、実施の形態６にかかる端末装置３００は、端末装置３００のコネクトモードとアイドルモードとの切替を示す切替情報を取得し、取得された切替情報に基づいて通信モードを切り替える。これにより、既存の切替情報を通信状態の変化を示す情報として利用できるため、新たな制御情報を基地局装置４００との間で送受信しなくても通信リソースを効率よく使用することができる。
【０１８３】
たとえば、端末装置３００がコネクトモードのときは基地局装置４００からデータが送信される可能性が高いため、端末装置３００は、コネクトモードのときは複数キャリアモードに切り替えることで高いスループットによる通信を行うことができる。また、端末装置３００がアイドルモードのときは基地局装置４００からデータが送信される可能性が低いため、端末装置３００は、アイドルモードのときは単一キャリアモードに切り替えることで消費電力を抑えることができる。
【０１８４】
実施の形態６にかかる基地局装置４００は、端末装置３００へ送信された切替情報に対する端末装置３００からのＲＲＣ完了信号を取得し、取得されたＲＲＣ完了信号に基づいて通信モードを切り替える。これにより、既存のＲＲＣ完了信号を通信状態の変化を示す情報として利用できるため、新たな制御情報を端末装置３００との間で送受信しなくても通信リソースを効率よく使用することができる。
【０１８５】
たとえば、基地局装置４００は、端末装置３００へ送信された、コネクトモードへの切替を要求する切替情報に対する端末装置３００からのＲＲＣ完了信号が取得された場合に複数キャリアモードに切り替える。また、基地局装置４００は、端末装置３００へ送信された、アイドルモードへの切替を要求する切替情報に対する端末装置３００からのＲＲＣ完了信号が取得された場合に単一キャリアモードに切り替える。
【０１８６】
これにより、各切替情報が正常に端末装置３００に受信されたことを確認してから通信モードを切り替えられるため、端末装置３００による通信モードの切替と合わせて基地局装置４００の通信モードを切り替えることができる。
【０１８７】
（実施の形態７）
（実施の形態７にかかる端末装置の構成）
図２４は、実施の形態７にかかる端末装置の構成を示すブロック図である。図２４において、図３に示した構成と同様の構成については同一の符号を付して説明を省略する。実施の形態７にかかる端末装置３００は、図３に示した構成に加えて、セルサーチ部２４０１と、レベル測定部２４０２と、セルリセレクション制御部２４０３と、コンポーネントキャリア決定部２４０４と、を備えている。
【０１８８】
アンテナ３０１は、基地局装置４００を含む複数の基地局装置から送信された各ＳＣＨ（Ｓｙｎｃｈｒｏｎｉｚａｔｉｏｎ  ｃｈａｎｎｅｌ）を受信してＲＦ処理部３０２へ出力する。ＲＦ処理部３０２は、アンテナ３０１から出力された各ＳＣＨの周波数を高周波からベースバンドに変換し、周波数を変換した各ＳＣＨを復調部３０３、セルサーチ部２４０１およびレベル測定部２４０２へ出力する。
【０１８９】
セルサーチ部２４０１は、ＲＦ処理部３０２から出力された各ＳＣＨに基づいて端末装置３００の周囲の基地局装置を検出するセルサーチを行う。セルサーチ部２４０１は、セルサーチによって検出された基地局装置をレベル測定部２４０２へ通知する。レベル測定部２４０２は、セルサーチ部２４０１から通知された各基地局装置について、ＲＦ処理部３０２から出力された各ＳＣＨのレベルを測定する。レベル測定部２４０２は、測定した基地局装置ごとのＳＣＨのレベルをセルリセレクション制御部２４０３へ通知する。
【０１９０】
セルリセレクション制御部２４０３は、レベル測定部２４０２から通知される基地局装置ごとのＳＣＨのレベルに基づいてセルリセレクションを行う。セルリセレクション制御部２４０３は、たとえばＬＴＥに規定されたセルリセレクションを行う。たとえば、セルリセレクション制御部２４０３は、端末装置３００が待ち受けしている基地局装置のＳＣＨのレベルと、その他の基地局装置のＳＣＨのレベルと、を比較する。
【０１９１】
そして、セルリセレクション制御部２４０３は、端末装置３００が待ち受けしている基地局装置のＳＣＨのレベルがその他の基地局装置のＳＣＨのレベルより低くなると、その他の基地局装置へのセルリセレクションを行う。この場合は、セルリセレクション制御部２４０３は、その他の基地局装置の信号を復調するように復調部３０３を制御するとともにセルリセレクションの決定結果をコンポーネントキャリア決定部２４０４へ通知する。
【０１９２】
コンポーネントキャリア決定部２４０４は、セルリセレクション制御部２４０３から通知されたセルリセレクションの決定結果に基づいて、端末装置３００の受信に用いるコンポーネントキャリアを決定する。また、コンポーネントキャリア決定部２４０４は、キャリア数切替部３０７によって切り替えられる通信モードに従って、端末装置３００の受信に用いるコンポーネントキャリアを決定する。コンポーネントキャリア決定部２４０４は、決定したコンポーネントキャリアを復調するように復調部３０３を制御する。
【０１９３】
ここで、コンポーネントキャリア決定部２４０４は、セルリセレクション後に使用するコンポーネントキャリアとして、セルリセレクション前に使用していた周波数と同じ周波数のコンポーネントキャリアを決定する。これにより、セルリセレクション後に使用するコンポーネントキャリアを簡単な処理によって決定することができる。
【０１９４】
つぎに、セルリセレクション後において、端末装置３００の通信モードを単一キャリアモードとする場合について説明する。この場合は、コンポーネントキャリア決定部２４０４は、使用するコンポーネントキャリアとして、セルリセレクション前に使用していた周波数と同じ周波数のコンポーネントキャリアを決定する。これにより、単一キャリアモードの場合に使用するコンポーネントキャリアを簡単な処理により決定することができる。
【０１９５】
ここでは、実施の形態２にかかる端末装置３００の構成（図３参照）に対してセルサーチ部２４０１、レベル測定部２４０２、セルリセレクション制御部２４０３およびコンポーネントキャリア決定部２４０４を設けて実施の形態７とした。これに対して、実施の形態３〜６のいずれかにかかる端末装置３００の構成に対してセルサーチ部２４０１、レベル測定部２４０２、セルリセレクション制御部２４０３およびコンポーネントキャリア決定部２４０４を設けて実施の形態７としてもよい。
【０１９６】
（実施の形態７にかかる端末装置の動作）
図２５は、実施の形態７にかかる端末装置の動作の一例を示すフローチャートである。端末装置３００（図２４参照）は、たとえば以下のような動作を行う。図２５に示すように、まず、セルリセレクション制御部２４０３が、セルリセレクションを行うための基準となるセルリセレクション基準を満たすか否かを判断し（ステップＳ２５０１）、セルリセレクション基準を満たすまで待つ（ステップＳ２５０１：Ｎｏのループ）。
【０１９７】
ステップＳ２５０１において、セルリセレクション基準を満たしている場合（ステップＳ２５０１：Ｙｅｓ）は、セルリセレクション制御部２４０３が、他の基地局装置への切替を行い（ステップＳ２５０２）、一連の動作を終了する。ステップＳ２５０１においては、セルリセレクション制御部２４０３は、たとえば端末装置３００が待ち受けしている基地局装置のＳＣＨのレベルと、その他の基地局装置のＳＣＨのレベルと、を比較する。
【０１９８】
そして、セルリセレクション制御部２４０３は、端末装置３００が待ち受けしている基地局装置のＳＣＨのレベルがその他の基地局装置のＳＣＨのレベルより低くなると、セルリセレクション基準を満たしたと判断する。以上のステップにより、端末装置３００は、セルリセレクション基準を満たした場合にセルリセレクションを行うことができる。
【０１９９】
図２６は、実施の形態７にかかる端末装置の動作の具体例を示す図である。図２６において、通信リソース２６１０は、セルリセレクション前の基地局装置と端末装置３００との通信における通信リソースを示している。通信リソース２６２０は、セルリセレクション後の基地局装置と端末装置３００との通信における通信リソースを示している。通信リソース２６１０および通信リソース２６２０において、横軸は周波数を示している。
【０２００】
符号２６０１に示すように、セルリセレクションを行う前は、端末装置３００は、通信リソース２６１０の周波数ｆ１に対応するコンポーネントキャリア２６１１によって基地局装置と通信を行っていたとする。つぎに、端末装置３００がセルリセレクションを行うと、符号２６０２に示すように、端末装置３００は、セルリセレクションを行う前に使用していた周波数ｆ１と同じ周波数ｆ１に対応するコンポーネントキャリア２６２１によって基地局装置と通信を行う。
【０２０１】
つぎに、端末装置３００の通信モードが複数キャリアモードに切り替わると、符号２６０３に示すように、端末装置３００は、コンポーネントキャリア２６２１を含む複数のコンポーネントキャリア（コンポーネントキャリア２６２１〜２６２３）を用いて基地局装置と通信を行う。つぎに、端末装置３００の通信モードが複数キャリアモードから単一キャリアモードに切り替わると、符号２６０４に示すように、端末装置３００は、コンポーネントキャリア２６２１を用いて基地局装置と通信を行う。
【０２０２】
このように、図２４に示した端末装置３００は、セルリセレクションの後に単一キャリアモードで受信するコンポーネントキャリアを、セルリセレクションの前に受信していたコンポーネントキャリアの周波数と同じ周波数のコンポーネントキャリアに決定する。これにより、セルリセレクションの後のコンポーネントキャリアの決定と、単一キャリアモードのときのコンポーネントキャリアの決定と、の処理を簡略化することができる。
【０２０３】
（実施の形態７にかかる端末装置の変形例）
図２７は、実施の形態７にかかる端末装置の変形例１を示すブロック図である。図２７において、図２４に示した構成と同様の構成については同一の符号を付して説明を省略する。図２７に示すように、実施の形態７にかかる端末装置３００は、図２４に示したセルリセレクション制御部２４０３に代えてハンドオーバ制御部２７０１を備えてもよい。
【０２０４】
レベル測定部２４０２は、測定した基地局装置ごとのＳＣＨのレベルをハンドオーバ制御部２７０１へ通知する。ハンドオーバ制御部２７０１は、レベル測定部２４０２から通知される基地局装置ごとのＳＣＨのレベルに基づいてハンドオーバを行う。ハンドオーバ制御部２７０１は、たとえばＬＴＥに規定されたハンドオーバを行う。たとえば、ハンドオーバ制御部２７０１は、端末装置３００が通信中の基地局装置のＳＣＨのレベルと、その他の基地局装置のＳＣＨのレベルと、を比較する。
【０２０５】
そして、ハンドオーバ制御部２７０１は、端末装置３００が通信中（たとえばコネクトモード）の基地局装置のＳＣＨのレベルがその他の基地局装置のＳＣＨのレベルより低くなると、その他の基地局装置へのハンドオーバを行う。この場合は、ハンドオーバ制御部２７０１は、その他の基地局装置の信号を復調するように復調部３０３を制御するとともに、ハンドオーバの決定結果をコンポーネントキャリア決定部２４０４へ通知する。
【０２０６】
コンポーネントキャリア決定部２４０４は、ハンドオーバ制御部２７０１から通知されたハンドオーバの決定結果に基づいて、端末装置３００の受信に用いるコンポーネントキャリアを決定する。また、コンポーネントキャリア決定部２４０４は、キャリア数切替部３０７によって切り替えられる通信モードに従って、端末装置３００の受信に用いるコンポーネントキャリアを決定する。コンポーネントキャリア決定部２４０４は、決定したコンポーネントキャリアを復調するように復調部３０３を制御する。
【０２０７】
ここで、コンポーネントキャリア決定部２４０４は、ハンドオーバ後に使用するコンポーネントキャリアとして、ハンドオーバ前に使用していた周波数と同じ周波数のコンポーネントキャリアを決定する。これにより、ハンドオーバ後に使用するコンポーネントキャリアを簡単な処理によって決定することができる。
【０２０８】
つぎに、ハンドオーバ後において、端末装置３００の通信モードを単一キャリアモードとする場合について説明する。この場合は、コンポーネントキャリア決定部２４０４は、使用するコンポーネントキャリアとして、ハンドオーバ前に使用していた周波数と同じ周波数のコンポーネントキャリアを決定する。これにより、単一キャリアモードの場合に使用するコンポーネントキャリアを簡単な処理により決定することができる。
【０２０９】
このように、図２７に示した端末装置３００は、ハンドオーバの後に単一キャリアモードで受信するコンポーネントキャリアを、ハンドオーバの前に受信していたコンポーネントキャリアの周波数と同じ周波数のコンポーネントキャリアに決定する。これにより、ハンドオーバの後のコンポーネントキャリアの決定と、単一キャリアモードのときのコンポーネントキャリアの決定と、の処理を簡略化することができる。
【０２１０】
図２８は、実施の形態７にかかる端末装置の変形例２を示すブロック図である。図２７において、図２４に示した構成と同様の構成については同一の符号を付して説明を省略する。図２７に示すように、実施の形態７にかかる端末装置３００は、図２４に示したセルリセレクション制御部２４０３に代えて再接続制御部２８０１を備えている。
【０２１１】
レベル測定部２４０２は、測定したレベルを基地局装置ごとに再接続制御部２８０１へ通知する。再接続制御部２８０１は、レベル測定部２４０２から出力される、通信中の基地局装置のＳＣＨのレベルに基づいて通信中のセルへの再接続を行う。再接続制御部２８０１は、たとえばＬＴＥに規定された再接続を行う。たとえば、再接続制御部２８０１は、端末装置３００が通信中の基地局装置のＳＣＨのレベルと所定の閾値とを比較する。
【０２１２】
そして、再接続制御部２８０１は、端末装置３００が通信中の基地局装置のＳＣＨのレベルが所定の閾値より低くなると、基地局装置への再接続を行う。この場合は、再接続制御部２８０１は、復調部３０３に対して再接続の処理を行うとともに、再接続の決定結果をコンポーネントキャリア決定部２４０４へ通知する。
【０２１３】
コンポーネントキャリア決定部２４０４は、再接続制御部２８０１から通知された再接続の決定結果に基づいて、端末装置３００の受信に用いるコンポーネントキャリアを決定する。コンポーネントキャリア決定部２４０４は、再接続後に使用するコンポーネントキャリアとして、再接続前に使用していた周波数と同じ周波数のコンポーネントキャリアを決定する。これにより、再接続後に使用するコンポーネントキャリアを簡単な処理によって決定することができる。
【０２１４】
つぎに、再接続制御部２８０１において、端末装置３００の通信モードを単一キャリアモードとする場合について説明する。この場合は、コンポーネントキャリア決定部２４０４は、使用するコンポーネントキャリアとして、再接続前に使用していた周波数と同じ周波数のコンポーネントキャリアを決定する。これにより、単一キャリアモードの場合に使用するコンポーネントキャリアを簡単な処理により決定することができる。
【０２１５】
このように、図２８に示した端末装置３００は、再接続の後に単一キャリアモードで受信するコンポーネントキャリアを、再接続の前に受信していたコンポーネントキャリアの周波数と同じ周波数のコンポーネントキャリアに決定する。これにより、再接続の後のコンポーネントキャリアの決定と、単一キャリアモードのときのコンポーネントキャリアの決定と、の処理を簡略化することができる。
【０２１６】
以上説明したように、通信装置、通信システム、通信方法および端末装置によれば、通信リソースを効率よく使用することができる。なお、上述した実施の形態２〜７においては、通信キャリアとしてＬＴＥ−Ａｄｖａｎｃｅｄに規定されたコンポーネントキャリアを例示して説明した。ただし、通信キャリアには、コンポーネントキャリアに限らず、物理リソースを分割した通信キャリア全般を適用することができる。
【０２１７】
また、上述した各実施の形態においては、各通信装置が通信モードとして複数キャリアモードおよび単一キャリアモードを有する構成について説明した。ただし、各通信装置が有する複数の通信モードは、複数キャリアモードおよび単一キャリアモードに限らず、使用する通信キャリア数が異なる複数の通信モードであればよい。たとえば、上述した各通信装置は、複数キャリアモードの代わりに所定数の通信キャリアを使用する第一通信モードを有し、単一キャリアモードの代わりに上記所定数より少ない数の通信キャリアを使用する第二通信モードを有していてもよい。
【０２１８】
また、開示の通信装置、通信システム、通信方法および端末装置は、たとえばＬＴＥ−ａｄｖａｎｃｅｄの通信方式に適用することができる。ただし、開示の通信装置、通信システム、通信方法および端末装置は、ＬＴＥ−ａｄｖａｎｃｅｄの通信方式に限らず、データを複数の物理リソースに分割して伝送可能な通信方式全般に適用することができる。
【０２１９】
上述した実施の形態に関し、さらに以下の付記を開示する。
【０２２０】
（付記１）複数の通信キャリアに分割して送信されたデータを受信可能であり、受信する通信キャリア数が異なる複数の通信モードを有する受信部と、
前記受信部の通信量の変化を示す情報を取得する取得部と、
前記取得部によって取得された情報に基づいて前記通信モードを切り替える切替部と、
を備えることを特徴とする通信装置。
【０２２１】
（付記２）前記受信部は、受信する通信キャリアが複数の複数キャリアモードと、受信する通信キャリアが単一の単一キャリアモードと、を前記通信モードとして有し、
前記切替部は、前記複数キャリアモードと前記単一キャリアモードとを切り替えることを特徴とする付記１に記載の通信装置。
【０２２２】
（付記３）前記取得部は、自装置が信号を送信するタイミングを示す有効期限つきのタイミングコマンドを取得し、
前記切替部は、前記取得部によって取得されたタイミングコマンドの有効期限に基づいて前記通信モードを切り替えることを特徴とする付記１に記載の通信装置。
【０２２３】
（付記４）前記取得部は、自装置が信号を送信するタイミングを示す有効期限つきのタイミングコマンドを取得し、
前記切替部は、前記取得部によって取得されたタイミングコマンドの有効期限内では前記複数キャリアモードに切り替え、前記タイミングコマンドの有効期限外では前記単一キャリアモードに切り替えることを特徴とする付記２に記載の通信装置。
【０２２４】
（付記５）前記取得部は、自装置に対して間欠受信サイクルの設定を要求する設定信号と、自装置に対して間欠受信サイクルの設定解除を要求する解除信号と、を取得し、
前記切替部は、前記取得部によって取得された設定信号および解除信号に基づいて前記通信モードを切り替えることを特徴とする付記１に記載の通信装置。
【０２２５】
（付記６）前記取得部は、自装置に対して間欠受信サイクルの設定を要求する設定信号と、自装置に対して間欠受信サイクルの設定解除を要求する解除信号と、を取得し、
前記切替部は、前記取得部によって前記設定信号が取得されると前記複数キャリアモードに切り替え、前記取得部によって前記解除信号が取得されると前記単一キャリアモードに切り替えることを特徴とする付記２に記載の通信装置。
【０２２６】
（付記７）前記取得部は、自装置に対する通信リソースの割り当てを示す割当情報を取得し、
前記切替部は、前記取得部によって取得された割当情報に基づいて前記通信モードを切り替えることを特徴とする付記１に記載の通信装置。
【０２２７】
（付記８）前記取得部は、自装置に対する通信リソースの割り当てを示す割当情報を取得し、
前記切替部は、前記取得部によって前記割当情報が取得されると前記複数キャリアモードに切り替え、前記割当情報が取得されてから一定期間が経過すると前記単一キャリアモードに切り替えることを特徴とする付記２に記載の通信装置。
【０２２８】
（付記９）前記取得部は、自装置の間欠受信の休止期間を計時する間欠受信休止タイマの動作状態を示すタイマ情報を取得し、
前記切替部は、前記取得部によって取得されたタイマ情報に基づいて前記通信モードを切り替えることを特徴とする付記１に記載の通信装置。
【０２２９】
（付記１０）前記取得部は、自装置の間欠受信の休止期間を計時する間欠受信休止タイマの動作状態を示すタイマ情報を取得し、
前記切替部は、前記取得部によって取得されたタイマ情報に基づいて、前記間欠受信休止タイマによる前記休止期間の計時が開始されると前記複数キャリアモードに切り替え、前記計時が終了すると前記単一キャリアモードに切り替えることを特徴とする付記２に記載の通信装置。
【０２３０】
（付記１１）前記取得部は、自装置のコネクトモードとアイドルモードとの切替を示す切替情報を取得し、
前記切替部は、前記取得部によって取得された切替情報に基づいて前記通信モードを切り替えることを特徴とする付記１に記載の通信装置。
【０２３１】
（付記１２）前記取得部は、自装置のコネクトモードとアイドルモードとの切替を示す切替情報を取得し、
前記切替部は、前記取得部によって取得された切替情報に基づいて、自装置がコネクトモードのときは前記複数キャリアモードに切り替え、自装置がアイドルモードのときは前記単一キャリアモードに切り替えることを特徴とする付記２に記載の通信装置。
【０２３２】
（付記１３）前記受信部が通信するセルを移行するセルリセレクションを行う制御部と、
前記制御部によるセルリセレクションの後に前記単一キャリアモードで前記受信部が受信する通信キャリアを、前記制御部によるセルリセレクションの前に前記受信部が受信していた通信キャリアの周波数と同じ周波数の通信キャリアに決定する決定部と、
を備えることを特徴とする付記２に記載の通信装置。
【０２３３】
（付記１４）前記受信部の通信中にセルを移行するハンドオーバを行う制御部と、
前記制御部によるハンドオーバの後に前記単一キャリアモードで前記受信部が受信する通信キャリアを、前記制御部によるハンドオーバの前に前記受信部が受信していた通信キャリアの周波数と同じ周波数の通信キャリアに決定する決定部と、
を備えることを特徴とする付記２に記載の通信装置。
【０２３４】
（付記１５）前記受信部が通信するセルへの再接続を行う制御部と、
前記制御部による再接続の後に前記単一キャリアモードで前記受信部が受信する通信キャリアを、前記制御部による再接続の前に前記受信部が受信していた通信キャリアの周波数と同じ周波数の通信キャリアに決定する決定部と、
を備えることを特徴とする付記２に記載の通信装置。
【０２３５】
（付記１６）データを複数の通信キャリアに分割して送信可能であり、送信する通信キャリア数が異なる複数の通信モードを有する送信部と、
前記送信部の通信量の変化を示す情報を取得する取得部と、
前記取得部によって取得された情報に基づいて前記通信モードを切り替える切替部と、
を備えることを特徴とする通信装置。
【０２３６】
（付記１７）前記送信部は、送信する通信キャリアが複数の複数キャリアモードと、送信する通信キャリアが単一の単一キャリアモードと、を前記通信モードとして有し、
前記切替部は、前記複数キャリアモードと前記単一キャリアモードとを切り替えることを特徴とする付記１６に記載の通信装置。
【０２３７】
（付記１８）前記送信部は、通信先の通信装置がデータを送信するタイミングを示す有効期限つきのタイミングコマンドを前記通信先の通信装置へ送信し、
前記取得部は、前記送信部によって送信されたタイミングコマンドに対する前記通信先の通信装置からの送達確認信号を取得し、
前記切替部は、前記取得部によって取得された送達確認信号に基づいて前記通信モードを切り替えることを特徴とする付記１６に記載の通信装置。
【０２３８】
（付記１９）前記送信部は、通信先の通信装置がデータを送信するタイミングを示す有効期限つきのタイミングコマンドを前記通信先の通信装置へ送信し、
前記取得部は、前記送信部によって送信されたタイミングコマンドに対する前記通信先の通信装置からの送達確認信号を取得し、
前記切替部は、前記取得部によって送達確認信号が取得された場合に、前記有効期限内では前記複数キャリアモードに切り替え、前記有効期限外では前記単一キャリアモードに切り替えることを特徴とする付記１７に記載の通信装置。
【０２３９】
（付記２０）前記送信部は、通信先の通信装置に対して間欠受信サイクルの設定を要求する設定信号と、前記通信先の通信装置に対して間欠受信サイクルの設定解除を要求する解除信号と、を前記通信先の通信装置へ送信し、
前記取得部は、前記送信部によって送信された設定信号または解除信号に対する前記通信先の通信装置からの完了信号を取得し、
前記切替部は、前記取得部によって取得された完了信号に基づいて前記通信モードを切り替えることを特徴とする付記１６に記載の通信装置。
【０２４０】
（付記２１）前記送信部は、通信先の通信装置に対して間欠受信サイクルの設定を要求する設定信号と、前記通信先の通信装置に対して間欠受信サイクルの設定解除を要求する解除信号と、を前記通信先の通信装置へ送信し、
前記取得部は、前記送信部によって送信された設定信号または解除信号に対する前記通信先の通信装置からの完了信号を取得し、
前記切替部は、前記取得部によって前記設定信号に対する完了信号が取得されると前記複数キャリアモードに切り替え、前記取得部によって前記解除信号に対する完了信号が取得されると前記単一キャリアモードに切り替えることを特徴とする付記１７に記載の通信装置。
【０２４１】
（付記２２）前記送信部は、通信先の通信装置に対する通信リソースの割り当てを示す割当情報を前記通信先の通信装置へ送信し、
前記取得部は、前記送信部によって送信された割当情報に対する前記通信先の通信装置からの送達確認信号を取得し、
前記切替部は、前記取得部によって取得された送達確認信号に基づいて前記通信モードを切り替えることを特徴とする付記１６に記載の通信装置。
【０２４２】
（付記２３）前記送信部は、通信先の通信装置に対する通信リソースの割り当てを示す割当情報を前記通信先の通信装置へ送信し、
前記取得部は、前記送信部によって送信された割当情報に対する前記通信先の通信装置からの送達確認信号を取得し、
前記切替部は、前記取得部によって送達確認信号が取得されると前記複数キャリアモードに切り替え、前記取得部によって送達確認信号が取得されてから一定時間が経過すると前記単一キャリアモードに切り替えることを特徴とする付記１７に記載の通信装置。
【０２４３】
（付記２４）前記送信部は、通信先の通信装置によるデータの送信に対する通信リソースの割り当てを示す送信割当情報を前記通信先の通信装置へ送信し、
前記取得部は、前記送信部によって送信された送信割当情報に基づいて前記通信先の通信装置から送信されたデータを取得し、
前記切替部は、前記取得部によって取得されたデータに基づいて前記通信モードを切り替えることを特徴とする付記１６に記載の通信装置。
【０２４４】
（付記２５）前記送信部は、通信先の通信装置によるデータの送信に対する通信リソースの割り当てを示す送信割当情報を前記通信先の通信装置へ送信し、
前記取得部は、前記送信部によって送信された送信割当情報に基づいて前記通信先の通信装置から送信されたデータを取得し、
前記切替部は、前記取得部によってデータが取得されると前記複数キャリアモードに切り替え、前記取得部によってデータが取得されてから一定時間が経過すると前記単一キャリアモードに切り替えることを特徴とする付記１７に記載の通信装置。
【０２４５】
（付記２６）前記送信部は、通信先の通信装置のコネクトモードとアイドルモードとの切替を示す切替情報を前記通信先の通信装置へ送信し、
前記取得部は、前記送信部によって送信された切替情報に基づいて前記通信先の通信装置から送信された完了信号を取得し、
前記切替部は、前記取得部によって取得された完了信号に基づいて前記通信モードを切り替えることを特徴とする付記１６に記載の通信装置。
【０２４６】
（付記２７）前記送信部は、通信先の通信装置のコネクトモードとアイドルモードとの切替を示す切替情報を前記通信先の通信装置へ送信し、
前記取得部は、前記送信部によって送信された切替情報に基づいて前記通信先の通信装置から送信された完了信号を取得し、
前記切替部は、前記取得部によってコネクトモードへの切替を要求する切替情報が取得されると前記複数キャリアモードに切り替え、前記取得部によってアイドルモードへの切替を要求する切替情報が取得されると前記単一キャリアモードに切り替えることを特徴とする付記１７に記載の通信装置。
【０２４７】
（付記２８）データを複数の通信キャリアに分割して送信可能であり、送信する通信キャリア数が異なる複数の通信モードを有し、通信量に応じて前記通信モードを切り替える第一通信装置と、
前記第一通信装置によって複数の通信キャリアに分割して送信されたデータを受信可能であり、受信する通信キャリア数が異なる複数の通信モードを有し、通信量に応じて前記通信モードを切り替える第二通信装置と、
を含むことを特徴とする通信システム。
【０２４８】
（付記２９）データを複数の通信キャリアに分割して送信可能であり、送信する通信キャリア数が異なる複数の通信モードを有し、通信量に応じて前記通信モードを切り替える第一通信工程と、
前記第一通信工程によって複数の通信キャリアに分割して送信されたデータを受信可能であり、受信する通信キャリア数が異なる複数の通信モードを有し、通信量に応じて前記通信モードを切り替える第二通信工程と、
を含むことを特徴とする通信方法。
【符号の説明】
【０２４９】
１００  通信システム
２０１〜２０３  通信キャリア
３０１，４０７  アンテナ
２６１０，２６２０  通信リソース
２６１１，２６２１〜２６２３  コンポーネントキャリア
ｔ１，ｔ２  期限
ｆ１〜ｆ４  周波数
【国際調査報告】
2010146673.tif 000031
2010146673.tif 000032
2010146673.tif 000033
2010146673.tif 000034
2010146673.tif 000035